(57)【要約】本発明の実施形態は、フレキシブル・イーサネットのレイテンシ測定の方法及び関連するデバイスを提供する。方法は、第１ノードによって第１ダウンリンク送信時間インターバル及び第２ダウンリンク受信時間インターバルに基づき第１存続期間を決定し、第１ダウンリンク送信時間インターバルは、第１ノードが第１サービス符号ブロックを取得する時点と、第１ノードが第１ダウンリンク送信参照符号ブロックを送信する時点との間の時間インターバルであり、第２ダウンリンク受信時間インターバルは、第２ノードが第１サービス符号ブロックを取得する時点と、第２ノードが第１ダウンリンク受信参照符号ブロックを取得する時点との間の時間インターバルである、ことと、第１ノードによって第１アップリンク送信時間インターバル及び第２アップリンク受信時間インターバルに基づき第２存続期間を決定することと、第１ノードによって第１存続期間及び第２存続期間に基づき第１ノードと第２ノードとの間のアップリンク及びダウンリンクレイテンシ差を計算することとを含む。本発明の実施形態によれば、非対称なアップリンク及びダウンリンクレイテンシを測定するコストを削減可能である。
2021508210.tif 000002
【特許請求の範囲】
【請求項１】
フレキシブル・イーサネットのレイテンシ測定の方法であって、
第１ノードによって、第１ダウンリンク送信時間インターバル及び第２ダウンリンク受信時間インターバルに基づいて第１存続期間を決定することであり、前記第１ダウンリンク送信時間インターバルは、前記第１ノードが第１サービス符号ブロックを取得する時点と、前記第１ノードが第１ダウンリンク送信参照符号ブロックを送信する時点との間の時間インターバルであり、前記第２ダウンリンク受信時間インターバルは、第２ノードが前記第１サービス符号ブロックを受信する時点と、前記第２ノードが第１ダウンリンク受信参照符号ブロックを受信する時点との間の時間インターバルであり、前記第１サービス符号ブロックは、前記第１ノードによって前記第２ノードへ送信されるサービスフローを運ぶために使用され、前記第１ダウンリンク送信参照符号ブロックは、前記第１ノードが前記第１サービス符号ブロックを送信するときにダウンリンクアライメントのために使用される符号ブロックであり、前記第１ダウンリンク受信参照符号ブロックは、前記第２ノードが前記第１サービス符号ブロックを受信するときにダウンリンクアライメントのために使用される符号ブロックである、前記第１存続期間を決定することと、
前記第１ノードによって、第１アップリンク送信時間インターバル及び第２アップリンク受信時間インターバルに基づいて第２存続期間を決定することであり、前記第１アップリンク送信時間インターバルは、前記第２ノードが第２サービス符号ブロックを取得する時点と、前記第２ノードが第２アップリンク送信参照符号ブロックを送信する時点との間の時間インターバルであり、前記第２アップリンク受信時間インターバルは、前記第１ノードが前記第２サービス符号ブロックを受信する時点と、前記第１ノードが第２アップリンク受信参照符号ブロックを受信する時点との間の時間インターバルであり、前記第２サービス符号ブロックは、前記第２ノードによって前記第１ノードへ送信されるサービスフローを運ぶために使用され、前記第２アップリンク送信参照符号ブロックは、前記第２ノードが前記第２サービス符号ブロックを送信するときにアップリンクアライメントのために使用される符号ブロックであり、前記第２アップリンク受信参照符号ブロックは、前記第１ノードが前記第２サービス符号ブロックを受信するときにアップリンクアライメントのために使用される符号ブロックである、前記第２存続期間を決定することと、
前記第１ノードによって、前記第１存続期間及び前記第２存続期間に基づいて前記第１ノードと前記第２ノードとの間のアップリンク及びダウンリンクレイテンシ差を計算することと
を有する方法。
【請求項２】
前記第１ノードと前記第２ノードとの間の通信リンクは、前記第１ノード及び前記第２ノード以外の中間ノードを通らず、あるいは、前記第１ノードと前記第２ノードとの間の通信リンクは、中間ノードを通ってトランスペアレントに伝送され、
前記第１存続期間、前記第１ダウンリンク送信時間インターバル、及び前記第２ダウンリンク受信時間インターバルは、次の関係：
DT=dtt(0)-drt(n+1)
を満足し、
DTは、前記第１存続期間であり、dtt(0)は、前記第１ダウンリンク送信時間インターバルであり、drt(n+1)は、前記第２ダウンリンク受信時間インターバルであり、
前記第２存続期間、前記第１アップリンク送信時間インターバル、及び前記第２アップリンク受信時間インターバルは、次の関係：
UT=utt(0)-urt(n+1)
を満足し、
UTは、前記第２存続期間であり、utt(0)は、前記第１アップリンク送信時間インターバルであり、urt(n+1)は、前記第２アップリンク受信時間インターバルである、
請求項１に記載の方法。
【請求項３】
前記第１ノードと前記第２ノードとの間の通信リンクは、非トランスペアレント伝送モードでｎ個の中間ノードを通り、ｎは、１以上の正の整数であり、
前記第１存続期間、前記第１ダウンリンク送信時間インターバル、及び前記第２ダウンリンク受信時間インターバルは、次の関係：
DT=[dtt(0)-drt(1)]+[dtt(1)-drt(2)]+・・・+[dtt(i)-drt(i+1)]+・・・+[dtt(n)-drt(n+1)]
を満足し、
DTは、前記第１存続期間であり、dtt(0)は、前記第１ダウンリンク送信時間インターバルであり、drt(n+1)は、前記第２ダウンリンク受信時間インターバルであり、drt(i)は、前記ｎ個の中間ノードの中のｉ番目の中間ノードが前記第１サービス符号ブロックを受信する時点と、前記ｉ番目の中間ノードが第３ダウンリンク受信参照符号ブロックを受信する時点との間の時間インターバルであり、前記第３ダウンリンク受信参照符号ブロックは、前記ｉ番目の中間ノードが前記第１サービス符号ブロックを受信するときにダウンリンクアライメントのために使用される符号ブロックであり、dtt(i)は、前記ｎ個の中間ノードの中の前記ｉ番目の中間ノードが前記第１サービス符号ブロックを受信する時点と、前記ｉ番目の中間ノードが第３ダウンリンク送信参照符号ブロックを送信する時点との間の時間インターバルであり、前記第３ダウンリンク送信参照符号ブロックは、前記ｉ番目の中間ノードが前記第１サービス符号ブロックを送信するときにダウンリンクアライメントのために使用される符号ブロックであり、このとき、ｎ≧ｉ≧１であり、
前記第２存続期間、前記第１アップリンク送信時間インターバル、及び前記第２アップリンク受信時間インターバルは、次の関係：
UT=[utt(0)-urt(1)]+[utt(1)-urt(2)]+・・・+[utt(j)-urt(j+1)]+・・・+[utt(n)-urt(n+1)]
を満足し、
UTは、前記第２存続期間であり、utt(0)は、前記第１アップリンク送信時間インターバルであり、urt(n+1)は、前記第２アップリンク受信時間インターバルであり、urt(j)は、前記ｎ個の中間ノードの中のｊ番目の中間ノードが前記第２サービス符号ブロックを受信する時点と、前記ｊ番目の中間ノードが第４アップリンク受信参照符号ブロックを受信する時点との間の時間インターバルであり、前記第４アップリンク受信参照符号ブロックは、前記ｊ番目の中間ノードが前記第２サービス符号ブロックを受信するときにアップリンクアライメントのために使用される符号ブロックであり、dtt(j)は、前記ｎ個の中間ノードの中の前記ｊ番目の中間ノードが前記第２サービス符号ブロックを受信する時点と、前記ｊ番目の中間ノードが第４アップリンク送信参照符号ブロックを送信する時点との間の時間インターバルであり、前記第４アップリンク送信参照符号ブロックは、前記ｊ番目の中間ノードが前記第２サービス符号ブロックを送信するときにアップリンクアライメントのために使用される符号ブロックであり、このとき、ｎ≧ｊ≧１である、
請求項１に記載の方法。
【請求項４】
第１ノードによって、第１ダウンリンク送信時間インターバル及び第２ダウンリンク受信時間インターバルに基づいて第１存続期間を決定することより前に、前記方法は、
前記第１ノードによって前記第１ダウンリンク送信時間インターバルdtt(0)を記録することと、
前記第１ノードによって前記第２ノード及び前記ｎ個の中間ノードへ第１指示情報を送信することであり、該第１指示情報は、前記第１サービス符号ブロックを示すために使用され、該第１サービス符号ブロックは、前記第２ノード及び前記中間ノードに、ダウンリンク受信時間インターバル及びダウンリンク送信時間インターバルを記録するよう指示するために使用される、前記第１指示情報を送信することと、
前記第１ノードによって、前記ｎ個の中間ノードによって別々に送信される前記ダウンリンク送信時間インターバル及び前記ダウンリンク受信時間インターバルと、前記第２ノードによって送信される前記第２ダウンリンク受信時間インターバルdrt(n+1)とを受け取ることであり、前記ｉ番目の中間ノードによって送信される前記ダウンリンク受信時間インターバルはdrt(i)であり、前記ｉ番目の中間ノードによって送信される前記ダウンリンク送信時間インターバルはdtt(i)である、前記受け取ることと
を更に有する、
請求項３に記載の方法。
【請求項５】
第１ノードによって、第１ダウンリンク送信時間インターバル及び第２ダウンリンク受信時間インターバルに基づいて第１存続期間を決定することより前に、前記方法は、
前記第１ノードによって、前記第２ノードによって送信される前記第１アップリンク送信時間インターバルutt(0)と、前記ｎ個の中間ノードによって別々に送信されるアップリンク受信時間インターバル及びアップリンク送信時間インターバルとを受け取ることであり、前記ｊ番目の中間ノードによって送信される前記アップリンク受信時間インターバルはurt(j)であり、前記ｊ番目の中間ノードによって送信される前記アップリンク送信時間インターバルはutt(j)である、前記受け取ることと、
前記第１ノードによって、前記第２ノードによって送信される第２指示情報を受信することであり、該第２指示情報は、前記第２サービス符号ブロックを示すために使用される、前記第２指示情報を受信することと、
前記第１ノードによって、前記第２指示情報に従って前記第２アップリンク受信時間インターバルurt(n+1)を記録することと
を更に有する、
請求項３又は４に記載の方法。
【請求項６】
フレキシブル・イーサネットのレイテンシ測定の方法であって、
第２ノードによって、第１ノードによって送信される第１指示情報を受信することであり、該第１指示情報は、第１サービス符号ブロックを示すために使用される、前記第１指示情報を受信することと、
前記第２ノードによって、前記指示情報に従って、第２ダウンリンク受信時間インターバルを記録することであり、該第２ダウンリンク受信時間インターバルは、前記第２ノードが前記第１サービス符号ブロックを受信する時点と、前記第２ノードが第１ダウンリンク受信参照符号ブロックを受信する時点との間の時間インターバルであり、前記第１サービス符号ブロックは、前記第１ノードによって前記第２ノードへ送信されるサービスフローを運ぶために使用され、前記第１ダウンリンク受信参照符号ブロックは、前記第２ノードが前記第１サービス符号ブロックを受信するときにダウンリンクアライメントのために使用される符号ブロックである、前記記録することと、
前記第２ノードによって前記第１ノードへ前記第２ダウンリンク受信時間インターバル及び第１アップリンク送信時間インターバルを送ることであり、前記第１アップリンク送信時間インターバルは、前記第２ノードが第２サービス符号ブロックを取得する時点と、前記第２ノードが第２アップリンク送信参照符号ブロックを送信する時点との間の時間インターバルであり、前記第１アップリンク送信時間インターバル及び前記第２ダウンリンク受信時間インターバルは、前記第１ノードと前記第２ノードとの間のアップリンク及びダウンリンクレイテンシ差を決定するために使用され、前記第２サービス符号ブロックは、前記第２ノードによって前記第１ノードへ送信されるサービスフローを運ぶために使用され、前記第２アップリンク送信参照符号ブロックは、前記第２ノードが前記第２サービス符号ブロックを送信するときにアップリンクアライメントのために使用される符号ブロックである、前記送ることと
を有する方法。
【請求項７】
前記方法は、
前記第２ノードによって前記第１ノードへ第２指示情報を送信することであり、該第２指示情報は、前記第２サービス符号ブロックを示すために使用され、該第２サービス符号ブロックは、前記第１ノードに、第２アップリンク受信時間インターバルを決定するよう指示するために使用され、該第２アップリンク受信時間インターバルは、前記第１ノードが前記第２サービス符号ブロックを受信する時点と、前記第１ノードが第２アップリンク受信参照符号ブロックを受信する時点との間の時間インターバルであり、前記第２アップリンク受信参照符号ブロックは、前記第１ノードが前記第２サービス符号ブロックを受信するときにアップリンクアライメントのために使用される符号ブロックである、前記第２指示情報を送信すること
を更に有する、
請求項６に記載の方法。
【請求項８】
プロセッサ及びメモリを有するノードであって、
前記メモリは、プログラム命令を記憶するよう構成され、
前記プロセッサは、前記プログラム命令を呼び出して、
第１ダウンリンク送信時間インターバル及び第２ダウンリンク受信時間インターバルに基づいて第１存続期間を決定する動作であり、前記第１ダウンリンク送信時間インターバルは、前記ノードが第１サービス符号ブロックを取得する時点と、前記ノードが第１ダウンリンク送信参照符号ブロックを送信する時点との間の時間インターバルであり、前記第２ダウンリンク受信時間インターバルは、第２ノードが前記第１サービス符号ブロックを受信する時点と、前記第２ノードが第１ダウンリンク受信参照符号ブロックを受信する時点との間の時間インターバルであり、前記第１サービス符号ブロックは、前記ノードによって前記第２ノードへ送信されるサービスフローを運ぶために使用され、前記第１ダウンリンク送信参照符号ブロックは、前記ノードが前記第１サービス符号ブロックを送信するときにダウンリンクアライメントのために使用される符号ブロックであり、前記第１ダウンリンク受信参照符号ブロックは、前記第２ノードが前記第１サービス符号ブロックを受信するときにダウンリンクアライメントのために使用される符号ブロックである、前記第１存続期間を決定する動作と、
第１アップリンク送信時間インターバル及び第２アップリンク受信時間インターバルに基づいて第２存続期間を決定する動作であり、前記第１アップリンク送信時間インターバルは、前記第２ノードが第２サービス符号ブロックを取得する時点と、前記第２ノードが第２アップリンク送信参照符号ブロックを送信する時点との間の時間インターバルであり、前記第２アップリンク受信時間インターバルは、前記ノードが前記第２サービス符号ブロックを受信する時点と、前記ノードが第２アップリンク受信参照符号ブロックを受信する時点との間の時間インターバルであり、前記第２サービス符号ブロックは、前記第２ノードによって前記ノードへ送信されるサービスフローを運ぶために使用され、前記第２アップリンク送信参照符号ブロックは、前記第２ノードが前記第２サービス符号ブロックを送信するときにアップリンクアライメントのために使用される符号ブロックであり、前記第２アップリンク受信参照符号ブロックは、前記ノードが前記第２サービス符号ブロックを受信するときにアップリンクアライメントのために使用される符号ブロックである、前記第２存続期間を決定する動作と、
前記第１存続期間及び前記第２存続期間に基づいて前記ノードと前記第２ノードとの間のアップリンク及びダウンリンクレイテンシ差を計算する動作と
を実行するよう構成される、
ノード。
【請求項９】
前記ノードと前記第２ノードとの間の通信リンクは、前記ノード及び前記第２ノード以外の中間ノードを通らず、あるいは、前記ノードと前記第２ノードとの間の通信リンクは、中間ノードを通ってトランスペアレントに伝送され、
前記第１存続期間、前記第１ダウンリンク送信時間インターバル、及び前記第２ダウンリンク受信時間インターバルは、次の関係：
DT=dtt(0)-drt(n+1)
を満足し、
DTは、前記第１存続期間であり、dtt(0)は、前記第１ダウンリンク送信時間インターバルであり、drt(n+1)は、前記第２ダウンリンク受信時間インターバルであり、
前記第２存続期間、前記第１アップリンク送信時間インターバル、及び前記第２アップリンク受信時間インターバルは、次の関係：
UT=utt(0)-urt(n+1)
を満足し、
UTは、前記第２存続期間であり、utt(0)は、前記第１アップリンク送信時間インターバルであり、urt(n+1)は、前記第２アップリンク受信時間インターバルである、
請求項８に記載のノード。
【請求項１０】
前記ノードと前記第２ノードとの間の通信リンクは、非トランスペアレント伝送モードでｎ個の中間ノードを通り、ｎは、１以上の正の整数であり、
前記第１存続期間、前記第１ダウンリンク送信時間インターバル、及び前記第２ダウンリンク受信時間インターバルは、次の関係：
DT=[dtt(0)-drt(1)]+[dtt(1)-drt(2)]+・・・+[dtt(i)-drt(i+1)]+・・・+[dtt(n)-drt(n+1)]
を満足し、
DTは、前記第１存続期間であり、dtt(0)は、前記第１ダウンリンク送信時間インターバルであり、drt(n+1)は、前記第２ダウンリンク受信時間インターバルであり、drt(i)は、前記ｎ個の中間ノードの中のｉ番目の中間ノードが前記第１サービス符号ブロックを受信する時点と、前記ｉ番目の中間ノードが第３ダウンリンク受信参照符号ブロックを受信する時点との間の時間インターバルであり、前記第３ダウンリンク受信参照符号ブロックは、前記ｉ番目の中間ノードが前記第１サービス符号ブロックを受信するときにダウンリンクアライメントのために使用される符号ブロックであり、dtt(i)は、前記ｎ個の中間ノードの中の前記ｉ番目の中間ノードが前記第１サービス符号ブロックを受信する時点と、前記ｉ番目の中間ノードが第３ダウンリンク送信参照符号ブロックを送信する時点との間の時間インターバルであり、前記第３ダウンリンク送信参照符号ブロックは、前記ｉ番目の中間ノードが前記第１サービス符号ブロックを送信するときにダウンリンクアライメントのために使用される符号ブロックであり、このとき、ｎ≧ｉ≧１であり、
前記第２存続期間、前記第１アップリンク送信時間インターバル、及び前記第２アップリンク受信時間インターバルは、次の関係：
UT=[utt(0)-urt(1)]+[utt(1)-urt(2)]+・・・+[utt(j)-urt(j+1)]+・・・+[utt(n)-urt(n+1)]
を満足し、
UTは、前記第２存続期間であり、utt(0)は、前記第１アップリンク送信時間インターバルであり、urt(n+1)は、前記第２アップリンク受信時間インターバルであり、urt(j)は、前記ｎ個の中間ノードの中のｊ番目の中間ノードが前記第２サービス符号ブロックを受信する時点と、前記ｊ番目の中間ノードが第４アップリンク受信参照符号ブロックを受信する時点との間の時間インターバルであり、前記第４アップリンク受信参照符号ブロックは、前記ｊ番目の中間ノードが前記第２サービス符号ブロックを受信するときにアップリンクアライメントのために使用される符号ブロックであり、dtt(j)は、前記ｎ個の中間ノードの中の前記ｊ番目の中間ノードが前記第２サービス符号ブロックを受信する時点と、前記ｊ番目の中間ノードが第４アップリンク送信参照符号ブロックを送信する時点との間の時間インターバルであり、前記第４アップリンク送信参照符号ブロックは、前記ｊ番目の中間ノードが前記第２サービス符号ブロックを送信するときにアップリンクアライメントのために使用される符号ブロックであり、このとき、ｎ≧ｊ≧１である、
請求項８に記載のノード。
【請求項１１】
前記ノードは、受信器及び送信器を更に有し、
前記第１ダウンリンク送信時間インターバル及び前記第２ダウンリンク受信時間インターバルに基づいて前記第１存続期間を決定する前に、前記プロセッサは、
前記第１ダウンリンク送信時間インターバルdtt(0)を記録し、
前記送信器を使用することによって前記第２ノード及び前記ｎ個の中間ノードへ第１指示情報を送信し、該第１指示情報は、前記第１サービス符号ブロックを示すために使用され、該第１サービス符号ブロックは、前記第２ノード及び前記中間ノードに、ダウンリンク受信時間インターバル及びダウンリンク送信時間インターバルを記録するよう指示するために使用され、
前記受信器を使用することによって、前記ｎ個の中間ノードによって別々に送信される前記ダウンリンク送信時間インターバル及び前記ダウンリンク受信時間インターバルと、前記第２ノードによって送信される前記第２ダウンリンク受信時間インターバルdrt(n+1)とを受け取り、前記ｉ番目の中間ノードによって送信される前記ダウンリンク受信時間インターバルはdrt(i)であり、前記ｉ番目の中間ノードによって送信される前記ダウンリンク送信時間インターバルはdtt(i)である、
よう更に構成される、
請求項１０に記載のノード。
【請求項１２】
前記ノードは、受信器を更に有し、
前記第１ダウンリンク送信時間インターバル及び前記第２ダウンリンク受信時間インターバルに基づいて前記第１存続期間を決定する前に、前記プロセッサは、
前記受信器を使用することによって、前記第２ノードによって送信される前記第１アップリンク送信時間インターバルutt(0)と、前記ｎ個の中間ノードによって別々に送信されるアップリンク受信時間インターバル及びアップリンク送信時間インターバルとを受け取り、前記ｊ番目の中間ノードによって送信される前記アップリンク受信時間インターバルはurt(j)であり、前記ｊ番目の中間ノードによって送信される前記アップリンク送信時間インターバルはutt(j)であり、
前記受信器を使用することによって、前記第２ノードによって送信される第２指示情報を受信し、該第２指示情報は、前記第２サービス符号ブロックを示すために使用され、
前記第２指示情報に従って前記第２アップリンク受信時間インターバルurt(n+1)を記録する
よう更に構成される、
請求項１０又は１１に記載のノード。
【請求項１３】
プロセッサ、メモリ、受信器及び送信器を有するノードであって、
前記メモリは、プログラム命令を記憶するよう構成され、
前記プロセッサは、前記プログラム命令を呼び出して、
前記受信器を使用することによって、第１ノードによって送信される第１指示情報を受信する動作であり、該第１指示情報は、第１サービス符号ブロックを示すために使用される、前記第１指示情報を受信する動作と、
前記指示情報に従って第２ダウンリンク受信時間インターバルを記録する動作であり、該第２ダウンリンク受信時間インターバルは、前記ノードが前記第１サービス符号ブロックを受信する時点と、前記ノードが第１ダウンリンク受信参照符号ブロックを受信する時点との間の時間インターバルであり、前記第１サービス符号ブロックは、前記第１ノードによって前記ノードへ送信されるサービスフローを運ぶために使用され、前記第１ダウンリンク受信参照符号ブロックは、前記ノードが前記第１サービス符号ブロックを受信するときにダウンリンクアライメントのために使用される符号ブロックである、前記記録する動作と、
前記送信器を使用することによって、前記第１ノードへ前記第２ダウンリンク受信時間インターバル及び第１アップリンク送信時間インターバルを送る動作であり、前記第１アップリンク送信時間インターバルは、前記ノードが第２サービス符号ブロックを取得する時点と、前記ノードが第２アップリンク送信参照符号ブロックを送信する時点との間の時間インターバルであり、前記第１アップリンク送信時間インターバル及び前記第２ダウンリンク受信時間インターバルは、前記第１ノードと前記ノードとの間のアップリンク及びダウンリンクレイテンシ差を決定するために使用され、前記第２サービス符号ブロックは、前記ノードによって前記第１ノードへ送信されるサービスフローを運ぶために使用され、前記第２アップリンク送信参照符号ブロックは、前記ノードが前記第２サービス符号ブロックを送信するときにアップリンクアライメントのために使用される符号ブロックである、前記送る動作と
を実行するよう構成される、
ノード。
【請求項１４】
前記プロセッサは、
前記送信器を使用することによって前記第１ノードへ第２指示情報を送信し、該第２指示情報は、前記第２サービス符号ブロックを示すために使用され、該第２サービス符号ブロックは、前記第１ノードに、第２アップリンク受信時間インターバルを決定するよう指示するために使用され、該第２アップリンク受信時間インターバルは、前記第１ノードが前記第２サービス符号ブロックを受信する時点と、前記第１ノードが第２アップリンク受信参照符号ブロックを受信する時点との間の時間インターバルであり、前記第２アップリンク受信参照符号ブロックは、前記第１ノードが前記第２サービス符号ブロックを受信するときにアップリンクアライメントのために使用される符号ブロックである、
よう更に構成される、
請求項１３に記載のノード。
【請求項１５】
プログラム命令を記憶し、該プログラム命令がプロセッサで実行される場合に、請求項１乃至７のうちいずれか一項に記載の方法が実施される、
コンピュータ可読記憶媒体。
【発明の詳細な説明】
【技術分野】
【０００１】
本発明は、通信技術の分野に、特に、フレキシブル・イーサネットのレイテンシ測定の方法及び関連するデバイスに関係がある。
【背景技術】
【０００２】
フレキシブル・イーサネット（FlexE）は、イーサネットサービスを対象としたバインディング、サブレート、及びチャネライゼーションなどの機能をサポートすることができる。FlexEに基づくベアラネットワークは、適用中に様々なタイプのサービスにアクセスする。サービス符号ブロックが到着する時点と、サービス符号ブロックによる使用のためにFlexEによって供給されるスロットチャネルが到着する時点とは、ランダムである。その結果、FlexE内の一方向性伝送リンクのレイテンシが不確実であるために、アップリンクレイテンシ及びダウンリンクレイテンシは非対称であることがある。しかし、FlexEにおけるいくつかのサービス、例えば、共通公衆無線インターフェイス（Common  Public  Radio  Interface，CPRI）サービスは、アップリンクレイテンシ及びダウンリンクレイテンシの対称性を必要とする。アップリンクレイテンシ及びダウンリンクレイテンシの対称性を実装するために、最初に、非対称なアップリンク及びダウンリンクレイテンシが決定される必要があり、次いで、非対称なレイテンシは補償される。
【０００３】
現在、非対称なアップリンク及びダウンリンクレイテンシを決定する方法は：FlexE技術を使用する次世代イーサネット（XE）トランスポートネットワークのプロバイダエッジ（provider  edge，PE）が、グローバル・ポジショニング・システム（Global  Positioning  System，GPS）を使用することによってGPS衛星のそれと時間及び周波数を同期させる、ことである。図１は、対応するシナリオの概略図である。サービスのアップリンクレイテンシが測定される場合に、サービス送信デバイス（PEに属する）は、サービスを送信するときに時間スタンプT1を添付し、サービス受信デバイス（PEに属する）は、サービスを受信するときに時間スタンプT2を添付する、ことが知られ得る。サービス受信デバイスは、次いで、時間スタンプT2をサービス送信デバイスへ送り、サービス送信デバイスは、アップリンクレイテンシが(T2-T1)に等しいとして、時間スタンプT1及び時間スタンプT2に基づいてアップリンクレイテンシを計算する。サービスのダウンリンクレイテンシは、同じ原理に従って測定され得る。それから、非対称なアップリンク及びダウンリンクレイテンシは、サービスのアップリンクレイテンシとサービスのダウンリンクレイテンシとの間の差に基づいて決定され得る。この測定方法はネットワークのプロバイダエッジのGPSに依存し、GPSのメンテナンス費用は比較的に高く、無効リスクが存在する、ことが知られ得る。例えば、GPSのアンテナのフィーダは、長距離では比較的に太く、約１０％のアンテナが毎年無効であり、GPSが無効である場合には、現場でのハードウェア交換が必要とされる。結果として、GPSのメンテナンス費用は非常に高い。メンテナンス費用を減らしかつ無効リスクを回避しながら如何にして非対称なアップリンク及びダウンリンクレイテンシを測定するかは、当業者によって研究されている技術的課題である。
【発明の概要】
【０００４】
本発明の実施形態は、非対称なアップリンク及びダウンリンクレイテンシを測定するコストを減らすための、フレキシブル・イーサネットのレイテンシ測定の方法及び関連するデバイスを開示する。
【０００５】
本発明の実施形態の第１の態様は、フレキシブル・イーサネットのレイテンシ測定の方法を開示する。方法は：
第１ノードによって、第１ダウンリンク送信時間インターバル及び第２ダウンリンク受信時間インターバルに基づいて第１存続期間を決定することであり、第１ダウンリンク送信時間インターバルは、第１ノードが第１サービス符号ブロックを取得する時点と、第１ノードが第１ダウンリンク送信参照符号ブロックを送信する時点との間の時間インターバルであり、第２ダウンリンク受信時間インターバルは、第２ノードが第１サービス符号ブロックを受信する時点と、第２ノードが第１ダウンリンク受信参照符号ブロックを受信する時点との間の時間インターバルであり、第１サービス符号ブロックは、第１ノードによって第２ノードへ送信されるサービスフローを運ぶために使用され、第１ダウンリンク送信参照符号ブロックは、第１ノードが第１サービス符号ブロックを送信するときにダウンリンクアライメントのために使用される符号ブロックであり、第１ダウンリンク受信参照符号ブロックは、第２ノードが第１サービス符号ブロックを受信するときにダウンリンクアライメントのために使用される符号ブロックである、ことと、
第１ノードによって、第１アップリンク送信時間インターバル及び第２アップリンク受信時間インターバルに基づいて第２存続期間を決定することであり、第１アップリンク送信時間インターバルは、第２ノードが第２サービス符号ブロックを取得する時点と、第２ノードが第２アップリンク送信参照符号ブロックを送信する時点との間の時間インターバルであり、第２アップリンク受信時間インターバルは、第１ノードが第２サービス符号ブロックを受信する時点と、第１ノードが第２アップリンク受信参照符号ブロックを受信する時点との間の時間インターバルであり、第２サービス符号ブロックは、第２ノードによって第１ノードへ送信されるサービスフローを運ぶために使用され、第２アップリンク送信参照符号ブロックは、第２ノードが第２サービス符号ブロックを送信するときにアップリンクアライメントのために使用される符号ブロックであり、第２アップリンク受信参照符号ブロックは、第１ノードが第２サービス符号ブロックを受信するときにアップリンクアライメントのために使用される符号ブロックである、ことと、
第１ノードによって、第１存続期間及び前記第２存続期間に基づいて第１ノードと第２ノードとの間のアップリンク及びダウンリンクレイテンシ差を計算することと
を含む。
【０００６】
上記のステップを実行することによって、第１ノードは、第１ノードで第１サービス符号ブロックを送信する時点と、第１ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【０００７】
第１の態様を参照して、第１の態様の第１の可能な実施において、第１ノードと第２ノードとの間の通信リンクは、第１ノード及び第２ノード以外の中間ノードを通らず、あるいは、第１ノードと第２ノードとの間の通信リンクは、中間ノードを通ってトランスペアレントに伝送され、この場合に、
第１存続期間、第１ダウンリンク送信時間インターバル、及び第２ダウンリンク受信時間インターバルは、次の関係：
DT=dtt(0)-drt(n+1)
を満足し、このとき、DTは、第１存続期間であり、dtt(0)は、第１ダウンリンク送信時間インターバルであり、drt(n+1)は、第２ダウンリンク受信時間インターバルであり、
第２存続期間、第１アップリンク送信時間インターバル、及び第２アップリンク受信時間インターバルは、次の関係：
UT=utt(0)-urt(n+1)
を満足し、このとき、UTは、第２存続期間であり、utt(0)は、第１アップリンク送信時間インターバルであり、urt(n+1)は、第２アップリンク受信時間インターバルである。
【０００８】
第１の態様又は第１の態様の上記の可能な実施のいずれか１つを参照して、第１の態様の第２の可能な実施において、第１ノードと第２ノードとの間の通信リンクは、非トランスペアレント伝送モードでｎ個の中間ノードを通り、ｎは、１以上の正の整数であり、この場合に。
第１存続期間、第１ダウンリンク送信時間インターバル、及び第２ダウンリンク受信時間インターバルは、次の関係：
DT=[dtt(0)-drt(1)]+[dtt(1)-drt(2)]+・・・+[dtt(i)-drt(i+1)]+・・・+[dtt(n)-drt(n+1)]
を満足し、このときDTは、第１存続期間であり、dtt(0)は、第１ダウンリンク送信時間インターバルであり、drt(n+1)は、第２ダウンリンク受信時間インターバルであり、drt(i)は、ｎ個の中間ノードの中のｉ番目の中間ノードが第１サービス符号ブロックを受信する時点と、ｉ番目の中間ノードが第３ダウンリンク受信参照符号ブロックを受信する時点との間の時間インターバルであり、第３ダウンリンク受信参照符号ブロックは、ｉ番目の中間ノードが第１サービス符号ブロックを受信するときにダウンリンクアライメントのために使用される符号ブロックであり、dtt(i)は、ｎ個の中間ノードの中のｉ番目の中間ノードが第１サービス符号ブロックを受信する時点と、ｉ番目の中間ノードが第３ダウンリンク送信参照符号ブロックを送信する時点との間の時間インターバルであり、第３ダウンリンク送信参照符号ブロックは、ｉ番目の中間ノードが第１サービス符号ブロックを送信するときにダウンリンクアライメントのために使用される符号ブロックであり、このとき、ｎ≧ｉ≧１であり、
第２存続期間、第１アップリンク送信時間インターバル、及び第２アップリンク受信時間インターバルは、次の関係：
UT=[utt(0)-urt(1)]+[utt(1)-urt(2)]+・・・+[utt(j)-urt(j+1)]+・・・+[utt(n)-urt(n+1)]
を満足し、このとき、UTは、第２存続期間であり、utt(0)は、第１アップリンク送信時間インターバルであり、urt(n+1)は、第２アップリンク受信時間インターバルであり、urt(j)は、ｎ個の中間ノードの中のｊ番目の中間ノードが第２サービス符号ブロックを受信する時点と、ｊ番目の中間ノードが第４アップリンク受信参照符号ブロックを受信する時点との間の時間インターバルであり、第４アップリンク受信参照符号ブロックは、ｊ番目の中間ノードが第２サービス符号ブロックを受信するときにアップリンクアライメントのために使用される符号ブロックであり、dtt(j)は、ｎ個の中間ノードの中のｊ番目の中間ノードが第２サービス符号ブロックを受信する時点と、ｊ番目の中間ノードが第４アップリンク送信参照符号ブロックを送信する時点との間の時間インターバルであり、第４アップリンク送信参照符号ブロックは、ｊ番目の中間ノードが第２サービス符号ブロックを送信するときにアップリンクアライメントのために使用される符号ブロックであり、このとき、ｎ≧ｊ≧１である。
【０００９】
第１の態様又は第１の態様の上記の可能な実施のいずれか１つを参照して、第１の態様の第３の可能な実施において、第１ノードによって第１ダウンリンク送信時間インターバル及び第２ダウンリンク受信時間インターバルに基づいて第１存続期間を決定することより前に、方法は、
第１ノードによって第１ダウンリンク送信時間インターバルdtt(0)を記録することと、
第１ノードによって第２ノード及びｎ個の中間ノードへ第１指示情報を送信することであり、第１指示情報は、第１サービス符号ブロックを示すために使用され、第１サービス符号ブロックは、第２ノード及び前記中間ノードに、ダウンリンク受信時間インターバル及びダウンリンク送信時間インターバルを記録するよう指示するために使用される、ことと、
第１ノードによって、ｎ個の中間ノードによって別々に送信されるダウンリンク送信時間インターバル及びダウンリンク受信時間インターバルと、第２ノードによって送信される第２ダウンリンク受信時間インターバルdrt(n+1)とを受け取ることであり、ｉ番目の中間ノードによって送信されるダウンリンク受信時間インターバルはdrt(i)であり、ｉ番目の中間ノードによって送信されるダウンリンク送信時間インターバルはdtt(i)である、ことと
を更に含む。
【００１０】
第１の態様又は第１の態様の上記の可能な実施のいずれか１つを参照して、第１の態様の第４の可能な実施において、第１ノードによって第１ダウンリンク送信時間インターバル及び第２ダウンリンク受信時間インターバルに基づいて第１存続期間を決定することより前に、方法は、
第１ノードによって、第２ノードによって送信される第１アップリンク送信時間インターバルutt(0)と、ｎ個の中間ノードによって別々に送信されるアップリンク受信時間インターバル及びアップリンク送信時間インターバルとを受け取ることであり、ｊ番目の中間ノードによって送信されるアップリンク受信時間インターバルはurt(j)であり、ｊ番目の中間ノードによって送信される前記アップリンク送信時間インターバルはutt(j)である、ことと、
第１ノードによって、第２ノードによって送信される第２指示情報を受信することであり、第２指示情報は、第２サービス符号ブロックを示すために使用される、ことと、
第１ノードによって、第２指示情報に従って第２アップリンク受信時間インターバルurt(n+1)を記録することと
を更に含む。
【００１１】
第１の態様又は第１の態様の上記の可能な実施のいずれか１つを参照して、第１の態様の第５の可能な実施において、ｎ個の中間ノードによって別々に送信されるアップリンク送信時間インターバル及びアップリンク受信時間インターバル、並びに第２ノードによって送信される第１アップリンク送信時間インターバルdtt(n+1)は、レイテンシ配信運用、管理、及び保守OAM符号ブロックにおいて運ばれる。
【００１２】
第１の態様又は第１の態様の上記の可能な実施のいずれか１つを参照して、第１の態様の第６の可能な実施において、ｎ個の中間ノードによって別々に送信されるダウンリンク送信時間インターバル及びダウンリンク受信時間インターバル、並びに第２ノードによって送信される第２ダウンリンク受信時間インターバルdrt(n+1)は、レイテンシ配信運用、管理、及び保守OAM符号ブロックにおいて運ばれる。
【００１３】
第１の態様又は第１の態様の上記の可能な実施のいずれか１つを参照して、第１の態様の第７の可能な実施において、第１サービス符号ブロックは、第１サービスのフレームヘッダであり、第２サービス符号ブロックは、第２サービスのフレームヘッダである。
【００１４】
第２の態様に従って、本願の実施形態は、フレキシブル・イーサネットのレイテンシ測定の方法を提供する。方法は：
第２ノードによって、第１ノードによって送信される第１指示情報を受信することであり、第１指示情報は、第１サービス符号ブロックを示すために使用される、ことと、
第２ノードによって、指示情報に従って、第２ダウンリンク受信時間インターバルを記録することであり、第２ダウンリンク受信時間インターバルは、第２ノードが第１サービス符号ブロックを受信する時点と、第２ノードが第１ダウンリンク受信参照符号ブロックを受信する時点との間の時間インターバルであり、第１サービス符号ブロックは、第１ノードによって第２ノードへ送信されるサービスフローを運ぶために使用され、第１ダウンリンク受信参照符号ブロックは、第２ノードが前記第１サービス符号ブロックを受信するときにダウンリンクアライメントのために使用される符号ブロックである、ことと、
第２ノードによって第１ノードへ第２ダウンリンク受信時間インターバル及び第１アップリンク送信時間インターバルを送ることであり、第１アップリンク送信時間インターバルは、第２ノードが第２サービス符号ブロックを取得する時点と、第２ノードが第２アップリンク送信参照符号ブロックを送信する時点との間の時間インターバルであり、第１アップリンク送信時間インターバル及び第２ダウンリンク受信時間インターバルは、第１ノードと第２ノードとの間のアップリンク及びダウンリンクレイテンシ差を決定するために使用され、第２サービス符号ブロックは、第２ノードによって第１ノードへ送信されるサービスフローを運ぶために使用され、第２アップリンク送信参照符号ブロックは、第２ノードが第２サービス符号ブロックを送信するときにアップリンクアライメントのために使用される符号ブロックである、ことと
を含む。
【００１５】
上記のステップを実行することによって、第１ノードは、第１ノードで第１サービス符号ブロックを送信する時点と、第１ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【００１６】
第２の態様を参照して、第２の態様の第１の可能な実施において、方法は、第２ノードによって第１ノードへ第２指示情報を送信することであり、第２指示情報は、第２サービス符号ブロックを示すために使用され、第２サービス符号ブロックは、第１ノードに、第２アップリンク受信時間インターバルを決定するよう指示するために使用され、第２アップリンク受信時間インターバルは、第１ノードが第２サービス符号ブロックを受信する時点と、第１ノードが第２アップリンク受信参照符号ブロックを受信する時点との間の時間インターバルであり、第２アップリンク受信参照符号ブロックは、第１ノードが第２サービス符号ブロックを受信するときにアップリンクアライメントのために使用される符号ブロックである、ことを更に含む。
【００１７】
第２の態様又は第２の態様の上記の可能な実施のいずれか１つを参照して、第２の態様の第２の可能な実施において、第１サービス符号ブロックは、第１サービスのフレームヘッダであり、第２サービス符号ブロックは、第２サービスのフレームヘッダである。
【００１８】
第３の態様に従って、本願の実施形態は、ノードを提供する。ノードは、プロセッサ及びメモリを含み、メモリは、プログラム命令を記憶するよう構成され、プロセッサは、前記プログラム命令を呼び出して、次の：
第１ダウンリンク送信時間インターバル及び第２ダウンリンク受信時間インターバルに基づいて第１存続期間を決定する動作であり、第１ダウンリンク送信時間インターバルは、ノードが第１サービス符号ブロックを取得する時点と、ノードが第１ダウンリンク送信参照符号ブロックを送信する時点との間の時間インターバルであり、第２ダウンリンク受信時間インターバルは、第２ノードが第１サービス符号ブロックを受信する時点と、第２ノードが第１ダウンリンク受信参照符号ブロックを受信する時点との間の時間インターバルであり、第１サービス符号ブロックは、ノードによって第２ノードへ送信されるサービスフローを運ぶために使用され、第１ダウンリンク送信参照符号ブロックは、ノードが第１サービス符号ブロックを送信するときにダウンリンクアライメントのために使用される符号ブロックであり、第１ダウンリンク受信参照符号ブロックは、第２ノードが第１サービス符号ブロックを受信するときにダウンリンクアライメントのために使用される符号ブロックである、動作と、
次いで、第１アップリンク送信時間インターバル及び第２アップリンク受信時間インターバルに基づいて第２存続期間を決定する動作であり、第１アップリンク送信時間インターバルは、第２ノードが第２サービス符号ブロックを取得する時点と、第２ノードが第２アップリンク送信参照符号ブロックを送信する時点との間の時間インターバルであり、第２アップリンク受信時間インターバルは、ノードが第２サービス符号ブロックを受信する時点と、ノードが第２アップリンク受信参照符号ブロックを受信する時点との間の時間インターバルであり、第２サービス符号ブロックは、第２ノードによってノードへ送信されるサービスフローを運ぶために使用され、第２アップリンク送信参照符号ブロックは、第２ノードが第２サービス符号ブロックを送信するときにアップリンクアライメントのために使用される符号ブロックであり、第２アップリンク受信参照符号ブロックは、ノードが第２サービス符号ブロックを受信するときにアップリンクアライメントのために使用される符号ブロックである、動作と、
その後に、第１存続期間及び第２存続期間に基づいてノードと第２ノードとの間のアップリンク及びダウンリンクレイテンシ差を計算する動作と
を実行するよう構成される。
【００１９】
上記の動作を実行することによって、ノードは、ノードで第１サービス符号ブロックを送信する時点と、ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及びノードで第２サービス符号ブロックを受信する時点と、ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【００２０】
第３の態様を参照して、第３の態様の第１の可能な実施において、ノードと第２ノードとの間の通信リンクは、ノード及び第２ノード以外の中間ノードを通らず、あるいは、ノードと第２ノードとの間の通信リンクは、中間ノードを通ってトランスペアレントに伝送され、この場合に、
第１存続期間、第１ダウンリンク送信時間インターバル、及び第２ダウンリンク受信時間インターバルは、次の関係：
DT=dtt(0)-drt(n+1)
を満足し、このとき、DTは、第１存続期間であり、dtt(0)は、第１ダウンリンク送信時間インターバルであり、drt(n+1)は、第２ダウンリンク受信時間インターバルであり、
第２存続期間、第１アップリンク送信時間インターバル、及び第２アップリンク受信時間インターバルは、次の関係：
UT=utt(0)-urt(n+1)
を満足し、このとき、UTは、第２存続期間であり、utt(0)は、第１アップリンク送信時間インターバルであり、urt(n+1)は、第２アップリンク受信時間インターバルである。
【００２１】
第３の態様又は第３の態様の上記の可能な実施のいずれか１つを参照して、第３の態様の第２の可能な実施において、ノードと第２ノードとの間の通信リンクは、非トランスペアレント伝送モードでｎ個の中間ノードを通り、ｎは、１以上の正の整数であり、この場合に、
第１存続期間、第１ダウンリンク送信時間インターバル、及び第２ダウンリンク受信時間インターバルは、次の関係：
DT=[dtt(0)-drt(1)]+[dtt(1)-drt(2)]+・・・+[dtt(i)-drt(i+1)]+・・・+[dtt(n)-drt(n+1)]
を満足し、このとき、DTは、第１存続期間であり、dtt(0)は、第１ダウンリンク送信時間インターバルであり、drt(n+1)は、第２ダウンリンク受信時間インターバルであり、drt(i)は、ｎ個の中間ノードの中のｉ番目の中間ノードが第１サービス符号ブロックを受信する時点と、ｉ番目の中間ノードが第３ダウンリンク受信参照符号ブロックを受信する時点との間の時間インターバルであり、第３ダウンリンク受信参照符号ブロックは、ｉ番目の中間ノードが第１サービス符号ブロックを受信するときにダウンリンクアライメントのために使用される符号ブロックであり、dtt(i)は、ｎ個の中間ノードの中のｉ番目の中間ノードが第１サービス符号ブロックを受信する時点と、ｉ番目の中間ノードが第３ダウンリンク送信参照符号ブロックを送信する時点との間の時間インターバルであり、第３ダウンリンク送信参照符号ブロックは、ｉ番目の中間ノードが第１サービス符号ブロックを送信するときにダウンリンクアライメントのために使用される符号ブロックであり、このとき、ｎ≧ｉ≧１であり、
第２存続期間、第１アップリンク送信時間インターバル、及び第２アップリンク受信時間インターバルは、次の関係：
UT=[utt(0)-urt(1)]+[utt(1)-urt(2)]+・・・+[utt(j)-urt(j+1)]+・・・+[utt(n)-urt(n+1)]
を満足し、このとき、UTは、第２存続期間であり、utt(0)は、第１アップリンク送信時間インターバルであり、urt(n+1)は、第２アップリンク受信時間インターバルであり、urt(j)は、ｎ個の中間ノードの中のｊ番目の中間ノードが第２サービス符号ブロックを受信する時点と、ｊ番目の中間ノードが第４アップリンク受信参照符号ブロックを受信する時点との間の時間インターバルであり、第４アップリンク受信参照符号ブロックは、ｊ番目の中間ノードが第２サービス符号ブロックを受信するときにアップリンクアライメントのために使用される符号ブロックであり、dtt(j)は、ｎ個の中間ノードの中のｊ番目の中間ノードが第２サービス符号ブロックを受信する時点と、ｊ番目の中間ノードが第４アップリンク送信参照符号ブロックを送信する時点との間の時間インターバルであり、第４アップリンク送信参照符号ブロックは、ｊ番目の中間ノードが第２サービス符号ブロックを送信するときにアップリンクアライメントのために使用される符号ブロックであり、このとき、ｎ≧ｊ≧１である。
【００２２】
第３の態様又は第３の態様の上記の可能な実施のいずれか１つを参照して、第３の態様の第３の可能な実施において、ノードは、受信器及び送信器を更に含み、
第１ダウンリンク送信時間インターバル及び第２ダウンリンク受信時間インターバルに基づいて第１存続期間を決定する前に、プロセッサは、
第１ダウンリンク送信時間インターバルdtt(0)を記録し、
送信器を使用することによって第２ノード及びｎ個の中間ノードへ第１指示情報を送信し、第１指示情報は、第１サービス符号ブロックを示すために使用され、第１サービス符号ブロックは、第２ノード及び中間ノードに、ダウンリンク受信時間インターバル及びダウンリンク送信時間インターバルを記録するよう指示するために使用され、
受信器を使用することによって、ｎ個の中間ノードによって別々に送信されるダウンリンク送信時間インターバル及びダウンリンク受信時間インターバルと、第２ノードによって送信される第２ダウンリンク受信時間インターバルdrt(n+1)とを受け取り、ｉ番目の中間ノードによって送信されるダウンリンク受信時間インターバルはdrt(i)であり、ｉ番目の中間ノードによって送信されるダウンリンク送信時間インターバルはdtt(i)である、
よう更に構成される。
【００２３】
第３の態様又は第３の態様の上記の可能な実施のいずれか１つを参照して、第４の態様の第２の可能な実施において、ノードは、受信器を更に含み、
第１ダウンリンク送信時間インターバル及び第２ダウンリンク受信時間インターバルに基づいて第１存続期間を決定する前に、プロセッサは、
受信器を使用することによって、第２ノードによって送信される第１アップリンク送信時間インターバルutt(0)と、ｎ個の中間ノードによって別々に送信されるアップリンク受信時間インターバル及びアップリンク送信時間インターバルとを受け取り、ｊ番目の中間ノードによって送信されるアップリンク受信時間インターバルはurt(j)であり、ｊ番目の中間ノードによって送信されるアップリンク送信時間インターバルはutt(j)であり、
受信器を使用することによって、第２ノードによって送信される第２指示情報を受信し、第２指示情報は、第２サービス符号ブロックを示すために使用され、
第２指示情報に従って第２アップリンク受信時間インターバルurt(n+1)を記録する
よう更に構成される。
【００２４】
第３の態様又は第３の態様の上記の可能な実施のいずれか１つを参照して、第３の態様の第５の可能な実施において、ｎ個の中間ノードによって別々に送信されるアップリンク送信時間インターバル及びアップリンク受信時間インターバル、並びに第２ノードによって送信される第１アップリンク送信時間インターバルdtt(n+1)は、レイテンシ配信運用、管理、及び保守OAM符号ブロックにおいて運ばれる。
【００２５】
第３の態様又は第３の態様の上記の可能な実施のいずれか１つを参照して、第３の態様の第６の可能な実施において、ｎ個の中間ノードによって別々に送信されるダウンリンク送信時間インターバル及びダウンリンク受信時間インターバル、並びに第２ノードによって送信される第２ダウンリンク受信時間インターバルdrt(n+1)は、レイテンシ配信運用、管理、及び保守OAM符号ブロックにおいて運ばれる。
【００２６】
第３の態様又は第３の態様の上記の可能な実施のいずれか１つを参照して、第３の態様の第７の可能な実施において、第１サービス符号ブロックは、第１サービスのフレームヘッダであり、第２サービス符号ブロックは、第２サービスのフレームヘッダである。
【００２７】
第４の態様に従って、本願の実施形態は、ノードを提供する。ノードは、プロセッサ、メモリ、受信器及び送信器を含み、メモリは、プログラム命令を記憶するよう構成され、プロセッサは、前記プログラム命令を呼び出して、次の：
受信器を使用することによって、第１ノードによって送信される第１指示情報を受信する動作であり、第１指示情報は、第１サービス符号ブロックを示すために使用される、動作と、
指示情報に従って第２ダウンリンク受信時間インターバルを記録する動作であり、第２ダウンリンク受信時間インターバルは、ノードが第１サービス符号ブロックを受信する時点と、ノードが第１ダウンリンク受信参照符号ブロックを受信する時点との間の時間インターバルであり、第１サービス符号ブロックは、第１ノードによってノードへ送信されるサービスフローを運ぶために使用され、第１ダウンリンク受信参照符号ブロックは、ノードが第１サービス符号ブロックを受信するときにダウンリンクアライメントのために使用される符号ブロックである、動作と、
送信器を使用することによって、第１ノードへ第２ダウンリンク受信時間インターバル及び第１アップリンク送信時間インターバルを送る動作であり、第１アップリンク送信時間インターバルは、ノードが第２サービス符号ブロックを取得する時点と、ノードが第２アップリンク送信参照符号ブロックを送信する時点との間の時間インターバルであり、第１アップリンク送信時間インターバル及び第２ダウンリンク受信時間インターバルは、第１ノードとノードとの間のアップリンク及びダウンリンクレイテンシ差を決定するために使用され、第２サービス符号ブロックは、ノードによって第１ノードへ送信されるサービスフローを運ぶために使用され、第２アップリンク送信参照符号ブロックは、ノードが第２サービス符号ブロックを送信するときにアップリンクアライメントのために使用される符号ブロックである、動作と
を実行するよう構成される。
【００２８】
上記の動作を実行することによって、第１ノードは、第１ノードで第１サービス符号ブロックを送信する時点と、第１ノードで第１ダウンリンク送信参照符号ブロックを送信する時点との間の時間インターバル、及びノードで第１サービス符号ブロックを受信する時点と、ノードで第１ダウンリンク受信参照符号ブロックを受信する時点との間の時間インターバルに基づいて第１存続期間を決定し、ノードで第２サービス符号ブロックを送信する時点と、ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードとノードとの間のアップリンク及ぶダウンリンクレイテンシ差を決定する。このプロセスは、GPSによって実行される時間同期化に依存する必要がなく、それにより、安定性はより良く、コストはより低い。
【００２９】
第４の態様を参照して、第４の態様の第１の可能な実施において、プロセッサは、送信器を使用することによって第１ノードへ第２指示情報を送信するよう更に構成され、第２指示情報は、第２サービス符号ブロックを示すために使用され、第２サービス符号ブロックは、第１ノードに、第２アップリンク受信時間インターバルを決定するよう指示するために使用され、第２アップリンク受信時間インターバルは、第１ノードが第２サービス符号ブロックを受信する時点と、第１ノードが第２アップリンク受信参照符号ブロックを受信する時点との間の時間インターバルであり、第２アップリンク受信参照符号ブロックは、第１ノードが第２サービス符号ブロックを受信するときにアップリンクアライメントのために使用される符号ブロックである。
【００３０】
第４の態様又は第４の態様の上記の可能な実施のいずれか１つを参照して、第４の態様の第２の可能な実施において、第１サービス符号ブロックは、第１サービスのフレームヘッダであり、第２サービス符号ブロックは、第２サービスのフレームヘッダである。
【００３１】
第５の態様に従って、本願の実施形態は、第１ノードを提供する。第１ノードは、第１の態様又は第１の態様の可能な実施のいずれか１つに従う方法を実行するよう構成されるユニットを含む。
【００３２】
第６の態様に従って、本願の実施形態は、第２ノードを提供する。第２ノードは、第２の態様又は第２の態様の可能な実施のいずれか１つに従う方法を実行するよう構成されるユニットを含む。
【００３３】
第７の態様に従って、本願の実施形態は、チップシステムを提供する。チップシステムは、少なくとも１つのプロセッサ、メモリ、及びインターフェイス回路を含み、メモリ、インターフェイス回路、及び少なくとも１つのプロセッサは、ラインを使用することによって互いに接続され、少なくとも１つのメモリはプログラム命令を記憶しており、プログラム命令がプロセッサによって実行される場合に、第１の態様又は第１の態様の可能な実施のいずれか１つ、あるいは、第２の態様又は第２の態様の可能な実施のいずれか１つに記載される方法が実施される。
【００３４】
第８の態様に従って、本願の実施形態は、コンピュータ可読記憶媒体を提供する。コンピュータ可読記憶媒体はプログラム命令を記憶しており、プログラム命令がプロセッサで実行される場合に、第１の態様又は第１の態様の可能な実施のいずれか１つ、あるいは、第２の態様又は第２の態様の可能な実施のいずれか１つに記載される方法が実施される。
【００３５】
第９の態様に従って、本願の実施形態は、コンピュータプログラム製品を提供する。コンピュータプログラム製品がプロセッサで実行される場合に、第１の態様又は第１の態様の可能な実施のいずれか１つ、あるいは、第２の態様又は第２の態様の可能な実施のいずれか１つに記載される方法が実施される。
【００３６】
本発明の実施形態を実施することによって、第１ノードは、第１ノードで第１サービス符号ブロックを送信する時点と、第１ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【００３７】
本発明の実施形態で使用される添付の図面が以下で説明される。
【図面の簡単な説明】
【００３８】
【図１】先行技術におけるアップリンク及びダウンリンクレイテンシ測定シナリオの概略図である。
【図２】本発明の実施形態に従う通信システムの略アーキテクチャ図である。
【図３】本発明の実施形態に従うフレキシブル・イーサネットのレイテンシ測定の方法の略フローチャートである。
【図４】本発明の実施形態に従うダウンリンクサービス伝送の略構造図である。
【図５】本発明の実施形態に従う他のダウンリンクサービス伝送の略構造図である。
【図６】本発明の実施形態に従うアップリンクサービス伝送の略構造図である。
【図７】本発明の実施形態に従う他のダウンリンクサービス伝送の略構造図である。
【図８】本発明の実施形態に従うノードの略構造図である。
【図９】本発明の実施形態に従う他のノードの略構造図である。
【図１０】本発明の実施形態に従う他のノードの略構造図である。
【図１１】本発明の実施形態に従う他のノードの略構造図である。
【発明を実施するための形態】
【００３９】
本発明の実施形態は、本発明の実施形態における添付の図面を参照して、以下で記載される。
【００４０】
図２は、本発明の実施形態に従う通信システムの略アーキテクチャ図である。通信システムは、カスタマデバイス２１１、第１ノード２１２、第２ノード２１３、XEトランスポートネットワーク２１４、及びカスタマデバイス２１５を含む。通信システム内のデバイスは、フレキシブル・イーサネット（FlexE）技術に基づいて互いと通信する。第１ノード２１２及び第２ノード２１３は、XEトランスポートネットワーク２１４内のプロバイダエッジに属する。カスタマデバイス２１１によって送信されたサービスは、第１ノード２１２を使用することによってXEトランスポートネットワーク２１４へ伝送され、次いで、XEトランスポートネットワーク２１４から第２ノード２１３へ伝送され、次いで、第２ノード２１３によってカスタマデバイス２１５へ伝送される。カスタマデバイス２１５によって送信されたサービスは、第２ノード２１３を使用することによってXEトランスポートネットワーク２１４へ伝送され、次いで、XEトランスポートネットワーク２１４から第１ノード２１２へ伝送され、それから、第１ノード２１２によってカスタマデバイス２１１へ伝送される。第１ノード２１２へ接続される１つ以上のカスタマデバイスが存在してよく、第２ノード２１３へ接続される１つ以上のカスタマデバイスも存在してよいことが留意されるべきである。図２では、第１ノード２１２及び第２ノード２１３が夫々１つ以上のカスタマデバイスへ接続されている例が、説明のために使用される。その上、XEトランスポートネットワーク２１４内の第１ノード２１２と第２ノード２１３との間のリンクは、中間ノードを通ってもよく、あるいは、中間ノードを通らなくてもよい。中間ノードを通る場合に、リンクは、１つ以上の中間ノードを通ってよい。XEトランスポートネットワーク２１４は、代替的に、他のネットワークと置き換えられてもよいことが理解され得る。
【００４１】
図３は、本発明の実施形態に従うフレキシブル・イーサネットのレイテンシ測定の方法を示す。方法は、図２に示されるアーキテクチャに基づいて実施されてよい。方法は、制限なしに、次のステップを含む。
【００４２】
ステップＳ３０１：第１ノードは、第１ダウンリンク送信時間インターバル及び第２ダウンリンク受信時間インターバルに基づいて第１存続期間を決定する。
【００４３】
言い換えれば、本願のこの実施形態で、第１ダウンリンク送信時間インターバル及び第２ダウンリンク受信時間インターバルは、第１存続期間を決定するために使用される必要がある。第１ダウンリンク送信時間インターバルは、第１ノードが第１サービス符号ブロックを取得する時点と、第１ノードが第１ダウンリンク送信参照符号ブロックを送信する時点との間の時間インターバルであり、第２ダウンリンク受信時間インターバルは、第２ノードが第１サービス符号ブロックを受信する時点と、第２ノードが第１ダウンリンク受信参照符号ブロックを受信する時点との間の時間インターバルである。第１サービス符号ブロックは、第１ノードによって前記第２ノードへ送信されるサービスフローを運ぶために使用される。その上、第１ダウンリンク送信参照符号ブロックは、第１ノードが第１サービス符号ブロックを送信するときにダウンリンクアライメントのために使用される符号ブロックであり、第１ダウンリンク受信参照符号ブロックは、第２ノードが第１サービス符号ブロックを受信するときにダウンリンクアライメントのために使用される符号ブロックである。その上、本願のこの実施形態で、第１ノードが第１サービス符号ブロックを取得することは：第１サービス符号ブロックを生成すること、又は（他のノードによって送信される）第１サービス符号ブロックを受信すること、を含む。第１存続期間を決定する方法は、異なる場合において異なり得る。２つの可能な場合が、以下に挙げられる。
【００４４】
場合１：第１ノードと第２ノードとの間の通信リンクは、他の中間ノードを通らず、あるいは、第１ノードと第２ノードとの間の通信リンクは、中間ノードを通ってトランスペアレントに伝送され、この場合に、第１存続期間を決定する方法は、以下で記載される。
【００４５】
第１ノードは、第１ダウンリンク送信時間インターバルを記録し、例えば、第１サービス符号ブロックを取得するときに計時を開始し、第１ダウンリンク送信参照符号ブロックを送信するときに計時を終了し、それにより、第１ノードによって計時の開始から計時の終了までに記録された時間長さが第１ダウンリンク送信時間インターバルである。第１ノードは、第１指示情報を第２ノードへ送信し、第１指示情報は、第１サービス符号ブロックを示すために使用される。相応して、第２ノードは、第１指示情報を受信し、第１指示情報に従って、第１サービス符号ブロックを受信するときに計時を開始すると決定し、更には、第１ダウンリンク受信参照符号ブロックを受信するときに計時を終了し、それにより、第２ノードによって計時の開始から計時の終了までに記録された時間長さが第２ダウンリンク受信時間インターバルである。次いで、第２ノードは、第２ダウンリンク受信時間インターバルを第１ノードへ送り、第１ノードは、第２ノードによって送られた第２ダウンリンク受信時間インターバルを受け取る。最後に、第１ノードは、第１ダウンリンク送信時間インターバル及び第２ダウンリンク受信時間インターバルに基づいて第１存続期間を計算する。第１存続期間DT=dtt(0)-drt(n+1)、このとき、dtt(0)は、第１ダウンリンク送信時間インターバルであり、drt(n+1)は、第２ダウンリンク受信時間インターバルである。この場合に、第１ダウンリンク送信参照符号ブロック及び第１ダウンリンク受信参照符号ブロックは、同じ符号ブロックである。
【００４６】
場合２：第１ノードと第２ノードとの間の通信リンクは、非トランスペアレント伝送モードでｎ個の中間ノードを通る。従って、第１ノードによって第２ノードへ送られる第１サービス符号ブロックは、ｎ個の中間ノードを通る。この場合に、第１存続期間を決定する方法は、以下で記載される。
【００４７】
第１ノードは、第１ダウンリンク送信時間インターバルを記録し、例えば、第１サービス符号ブロックを取得するときに計時を開始し、第１ダウンリンク送信参照符号ブロックを送信するときに計時を終了し、それにより、第１ノードによって計時の開始から計時の終了までに記録された時間長さが第１ダウンリンク送信時間インターバルである。
【００４８】
第１ノードは、第１指示情報を第２ノード及びｎ個の中間ノードへ送信し、第１指示情報は、第１サービス符号ブロックを示すために使用される。第１ノードは、第２指示情報を第２ノードへ送信し、第２指示情報は、ｎ個の中間ノードを通る、ことが理解され得る。従って、第１ノードは第１指示情報をｎ個の中間ノードへ送信する、と見なされ得る。相応して、第２ノードは、第１指示情報を受信し、第１指示情報に従って、第１サービス符号ブロックを受信するときに計時を開始すると決定し、更には、第１ダウンリンク受信参照符号ブロックを受信するときに計時を終了し、それにより、第２ノードによって計時の開始から計時の終了までに記録された時間長さが第２ダウンリンク受信時間インターバルである。次いで、第２ノードは、第２ダウンリンク受信時間インターバルを第１ノードへ送る。
【００４９】
中間ノードは、第１指示情報を受信し、第１指示情報に従って、第１サービス符号ブロックを受信するときに計時を開始すると決定し、更には、第３ダウンリンク受信参照符号ブロックを受信するときに計時を終了する。第３ダウンリンク受信参照符号ブロックは、ｉ番目の中間ノードが第１サービス符号ブロックを受信するときにダウンリンクアライメントのために使用される符号ブロックであり、ｎ個の中間ノードによって計時の開始から計時の終了までに記録された時間長さは、記録されたダウンリンク受信時間インターバルである。ｎ個の中間ノードの中のｉ番目の中間ノードによって記録されるダウンリンク受信時間インターバルは、drt(i)であり、ｎ個の中間ノードは、次いで、ｎ個の中間ノードによって記録されたダウンリンク受信時間インターバルを第１ノードへ送る。その上、ｉ番目の中間ノードは更に、第１サービス符号ブロックを（ｉ＋１）番目の中間ノードへ送信する必要がある。ｉ番目の中間ノードは、第１サービス符号ブロックを受信するときに計時を開始し、第３ダウンリンク送信参照符号ブロックを受信するときに計時を終了する。第３ダウンリンク送信参照符号ブロックは、ｉ番目の中間ノードが第１サービス符号ブロックを送信するときにダウンリンクアライメントのために使用される符号ブロックであり、ｉ番目の中間ノードによる計時の開始から計時の終了までに記録された時間長さは、ｉ番目の中間ノードによって記録されたダウンリンク送信時間インターバルである。ｎ個の中間ノードは、次いで、ｎ個の中間ノードによって記録されたダウンリンク送信時間インターバルを第１ノードへ送り、このとき、ｎ≧ｉ≧１。ｉ番目の中間ノードによって記録されるダウンリンク受信時間インターバル及びダウンリンク送信時間インターバルは、一緒に第１ノードへ送られてよく（例えば、ダウンリンク受信時間インターバル及びダウンリンク送信時間インターバルは、同じ情報にカプセル化されてよい）、あるいは、別々に第１ノードへ送られてもよい、ことが理解され得る。任意に、ｎ個の中間ノードの中のｉ番目の中間ノードは、具体的に、ｎ個の中間ノードのうち、第１サービス符号ブロックを時間順に受信するｉ番目の中間ノードであってよい。
【００５０】
第１ノードは、第２ノードによって送られる第２ダウンリンク受信時間インターバルと、ｎ個の中間ノードによって別々に送られるダウンリンク受信時間インターバル及びダウンリンク送信時間インターバルとを受け取る。
【００５１】
第１ノードは、第１ダウンリンク送信時間インターバルと、第２ダウンリンク受信時間インターバルと、ｎ個の中間ノードによって別々に送られるダウンリンク受信時間インターバル及びダウンリンク送信時間インターバルとに基づいて、第１存続期間を計算する。第１存続期間DT=[dtt(0)-drt(1)]+[dtt(1)-drt(2)]+・・・+[dtt(i)-drt(i+1)]+・・・+[dtt(n)-drt(n+1)]、このとき、DTは、第１存続期間であり、dtt(0)は、第１ダウンリンク送信時間インターバルであり、drt(n+1)は、第２ダウンリンク受信時間インターバルであり、drt(i)は、ｎ個の中間ノードの中のｉ番目の中間ノードによって送られるダウンリンク受信時間インターバルであり、dtt(i)は、ｎ個の中間ノードの中のｉ番目の中間ノードによって送られるダウンリンク送信時間インターバルである。この場合に、第１ノード、ｎ個の中間ノード、及び第２ノードのうちの１つが第１サービス符号ブロックを他のノードへ送信するならば、ノードが第１サービス符号ブロックを送信するときにダウンリンクアライメントのために使用される符号ブロックは、他のノードが第１サービス符号ブロックを受信するときにダウンリンクアライメントのために使用される符号ブロックと同じである。
【００５２】
任意に、第２ノードによって送られる第２ダウンリンク受信時間インターバル、並びにｎ個の中間ノードによって別々に送られるダウンリンク受信時間インターバル及びダウンリンク送信時間インターバルは、レイテンシ配信運用、管理、及び保守（Operation,  Administration,  Maintenance，OAM）符号ブロックにおいて運ばれるか、あるいは、全てFlexEオーバーヘッドを使用することによって第１ノードへ送信される。
【００５３】
ステップＳ３０２：第１ノードは、第１アップリンク送信時間インターバル及び第２アップリンク受信時間インターバルに基づいて第２存続期間を決定する。
【００５４】
言い換えれば、本願のこの実施形態で、第１アップリンク送信時間インターバル及び第２アップリンク受信時間インターバルは、第２存続期間を決定するために使用される必要がある。第１アップリンク送信時間インターバルは、第２ノードが第２サービス符号ブロックを取得する時点と、第２ノードが第２アップリンク送信参照符号ブロックを送信する時点との間の時間インターバルであり、第２アップリンク受信時間インターバルは、第１ノードが第２サービス符号ブロックを受信する時点と、第１ノードが第２アップリンク受信参照符号ブロックを受信する時点との間の時間インターバルである。第２サービス符号ブロックは、第２ノードによって第１ノードへ送信されるサービスフローを運ぶために使用される。その上、第２アップリンク送信参照符号ブロックは、第２ノードが第２サービス符号ブロックを送信するときにアップリンクアライメントのために使用される符号ブロックであり、第２アップリンク受信参照符号ブロックは、第１ノードが第２サービス符号ブロックを受信するときにアップリンクアライメントのために使用される符号ブロックである。その上、本願のこの実施形態で、第２ノードが第２サービス符号ブロックを取得することは：第２サービス符号ブロックを生成すること、又は（他のノードによって送信される）第２サービス符号ブロックを受信すること、を含む。
【００５５】
第１存続期間を決定する方法は、異なる場合において異なり得る。２つの可能な場合が、以下に挙げられる。
【００５６】
場合１：第１ノードと第２ノードとの間の通信リンクは、他の中間ノードを通らず、この場合に、第２存続期間を決定する方法は、以下で記載される。
【００５７】
第２ノードは、第１アップリンク送信時間インターバルを記録し、例えば、第２サービス符号ブロックを取得するときに計時を開始し、第２アップリンク送信参照符号ブロックを送信するときに計時を終了し、それにより、第２ノードによって計時の開始から計時の終了までに記録された時間長さが第１アップリンク送信時間インターバルである。第２ノードは、第１アップリンク送信時間インターバルを第１ノードへ送る。第２ノードは更に、第２指示情報を第１ノードへ送信し、第２指示情報は、第２サービス符号ブロックを示すために使用される。相応して、第１ノードは、第１アップリンク送信時間インターバル及び第２指示情報を受信し、第２指示情報に従って、第２サービス符号ブロックを受信するときに計時を開始すると決定し、更には、第２アップリンク受信参照符号ブロックを受信するときに計時を終了し、それにより、第１ノードによって計時の開始から計時の終了までに記録された時間長さが第２アップリンク受信時間インターバルである。第１ノードは、第１アップリンク送信時間インターバル及び第２アップリンク受信時間インターバルに基づいて第２存続期間を計算する。第２存続期間UT=utt(0)-urt(n+1)、このとき、utt(0)は、第１アップリンク送信時間インターバルであり、urt(n+1)は、第２アップリンク受信時間インターバルである。この場合に、第１アップリンク送信参照符号ブロック及び第１アップリンク受信参照符号ブロックは、同じ符号ブロックである。
【００５８】
場合２：第１ノードと第２ノードとの間の通信リンクは、非トランスペアレント伝送モードでｎ個の中間ノードを通る。従って、第２ノードによって第１ノードへ送られる第２サービス符号ブロックは、ｎ個の中間ノードを通る。この場合に、第２存続期間を決定する方法は、以下で記載される。
【００５９】
第２ノードは、第１アップリンク送信時間インターバルを記録し、例えば、第２サービス符号ブロックを取得するときに計時を開始し、第２アップリンク送信参照符号ブロックを送信するときに計時を終了し、それにより、第２ノードによって計時の開始から計時の終了までに記録された時間長さが第１アップリンク送信時間インターバルである。
【００６０】
第２ノードは、第１アップリンク送信時間インターバルを第１ノードへ送る。第２ノードは更に、第２指示情報を第１ノード及びｎ個の中間ノードへ送信し、第２指示情報は、第２サービス符号ブロックを示すために使用される。第２ノードは、第２指示情報を第１ノードへ送信し、第２指示情報は、ｎ個の中間ノードを通る、ことが理解され得る。従って、第２ノードは第２指示情報をｎ個の中間ノードへ送信する、と見なされ得る。相応して、第１ノードは、第１アップリンク送信時間インターバル及び第２指示情報を受信し、第２指示情報に従って、第２サービス符号ブロックを受信するときに計時を開始すると決定し、更には、第２アップリンク受信参照符号ブロックを受信するときに計時を終了し、それにより、第１ノードによって計時の開始から計時の終了までに記録された時間長さが第２アップリンク受信時間インターバルである。
【００６１】
中間ノードは、第２指示情報を受信し、第２指示情報に従って、第２サービス符号ブロックを受信するときに計時を開始すると決定し、更には、アップリンク受信参照符号ブロックを受信するときに計時を終了し、それにより、中間ノードによって計時の開始から計時の終了までに記録された時間長さは、記録されたアップリンク受信時間インターバルである。ｎ個の中間ノードの中のｊ番目の中間ノードは、第２サービス符号ブロックを受信するときに計時を開始し、第４アップリンク受信参照符号ブロックを受信するときに計時を終了し、それにより、ｊ番目の中間ノードによって計時の開始から計時の終了までに記録された時間が、ｊ番目の中間ノードによって記録されたアップリンク受信時間インターバルurt(i)である。第４アップリンク受信参照符号ブロックは、ｊ番目の中間ノードが第２サービス符号ブロックを受信するときにアップリンクアライメントのために使用される符号ブロックである。ｎ個の中間ノードは、次いで、ｎ個の中間ノードによって記録されたアップリンク受信時間インターバルを第１ノードへ送り、このとき、ｎ≧ｊ≧１。任意に、ｎ個の中間ノードの中のｊ番目の中間ノードは、具体的に、ｎ個の中間ノードのうち、第２サービス符号ブロックを時間順に受信するｊ番目の中間ノードであってよい。
【００６２】
ｊ番目の中間ノードは更に、第２サービス符号ブロックを（ｊ＋１）番目の中間ノードへ送信する必要がある。ｊ番目の中間ノードは、第２サービス符号ブロックを受信するときに計時を開始し、第４アップリンク送信参照符号ブロックを送信するときに計時を終了し、それにより、ｊ番目の中間ノードによって計時の開始から計時の終了までに記録された時間長さは、ｊ番目の中間ノードによって記録されたアップリンク送信時間インターバルutt(i)である。第４アップリンク送信参照符号ブロックは、ｊ番目の中間ノードが第２サービス符号ブロックを送信するときにアップリンクアライメントのために使用される符号ブロックである。次いで、ｎ個の中間ノードは、ｎ個の中間ノードによって記録されたアップリンク送信時間インターバルを第１ノードへ送る。ｊ番目の中間ノードによって記録されるアップリンク受信時間インターバル及びアップリンク送信時間インターバルは、一緒に第１ノードへ送られてよく（例えば、アップリンク受信時間インターバル及びアップリンク送信時間インターバルは、同じ情報にカプセル化されてよい）、あるいは、別々に第１ノードへ送られてもよい、ことが理解され得る。
【００６３】
第１ノードは、ｎ個の中間ノードによって別々に送られるアップリンク受信時間インターバル及びアップリンク送信時間インターバルを受け取る。
【００６４】
第１ノードは、第１アップリンク送信時間インターバルと、第２アップリンク受信時間インターバルと、ｎ個の中間ノードによって別々に送られるアップリンク受信時間インターバル及びアップリンク送信時間インターバルとに基づいて、第２存続期間を計算する。第２存続期間UT=[utt(0)-urt(1)]+[utt(1)-urt(2)]+・・・+[utt(j)-urt(j+1)]+・・・+[utt(n)-urt(n+1)]、このとき、UTは、第２存続期間であり、utt(0)は、第１アップリンク送信時間インターバルであり、urt(n+1)は、第２アップリンク受信時間インターバルであり、urt(j)は、ｎ個の中間ノードの中のｊ番目の中間ノードによって送られるアップリンク受信時間インターバルであり、dtt(j)は、ｎ個の中間ノードの中のｊ番目の中間ノードによって送られるアップリンク送信時間インターバルである。この場合に、第１ノード、ｎ個の中間ノード、及び第２ノードのうちの１つが他のノードへ第２サービス符号ブロックを送信するならば、ノードが第２サービス符号ブロックを送信するときにアップリンクアライメントのために使用される符号ブロックは、他のノードが第２サービス符号ブロックを受信するときにアップリンクアライメントのために使用される符号ブロックと同じである。
【００６５】
任意に、ｎ個の中間ノードによって別々に送られるアップリンク送信時間インターバル及びアップリンク受信時間インターバル、並びに第２ノードによって送られる第１アップリンク送信時間インターバルは、レイテンシ配信OAM符号ブロックにおいて運ばれるか、あるいは、全てFlexEオーバーヘッドを使用することによって第１ノードへ送信される。
【００６６】
ステップＳ３０３：第１ノードは、第１存続期間及び第２存続期間に基づいて、第１ノードと第２ノードとの間のアップリンク及びダウンリンクレイテンシ差を計算する。
【００６７】
第１ノードと第２ノードとの間のアップリンク伝送レイテンシT1及びダウンリンク伝送レイテンシT2の計算方法は、次の通りである、ことが理解され得る：
T1=DT+(x0+x2+・・・+xi+・・・+xn)
T2=UT+(x0+x2+・・・+xi+・・・+xn)
【００６８】
ｎ個の中間ノードは、第１ノードまでの距離の降順でソートされると仮定される。x0は、第１ノードとｎ個の中間ノードの中の第１中間ノードとの間の参照符号ブロックの伝送のレイテンシであり、第１ノードと第１中間ノードとの間の参照符号ブロックの伝送のアップリンクレイテンシ、及び第１ノードと第１中間ノードとの間の参照符号ブロックの伝送のダウンリンクレイテンシは、等しく、両方ともx0であり；xnは、ｎ番目の中間ノードと第２ノードとの間の参照符号ブロックの伝送のレイテンシであり、ｎ番目の中間ノードと第２ノードとの間の参照符号ブロックの伝送のアップリンクレイテンシ、並びにｎ番目の中間ノードと第２ノードとの間の参照符号ブロックの伝送のダウンリンクレイテンシは、等しく、両方ともxnであり；x1は、第１中間ノードと第２中間ノードとの間の参照符号ブロックの伝送のレイテンシであり、第１中間ノードと第２中間ノードとの間の参照符号ブロックの伝送のアップリンクレイテンシ、並びに第１中間ノードと第２中間ノードとの間の参照符号ブロックの伝送のダウンリンクレイテンシは、等しく、両方ともx1であり；x2は、第２中間ノードと第３中間ノードとの間の参照符号ブロックの伝送のレイテンシであり、第２中間ノードと第３中間ノードとの間の参照符号ブロックの伝送のアップリンクレイテンシ、並びに第２中間ノードと第３中間ノードとの間の参照符号ブロックの伝送のダウンリンクレイテンシは、等しく、両方ともx2であり；xiは、ｉ番目の中間ノードと（ｉ＋１）番目の中間ノードとの間の参照符号ブロックの伝送のレイテンシであり、ｉ番目の中間ノードと（ｉ＋１）番目の中間ノードとの間の参照符号ブロックの伝送のアップリンクレイテンシ、並びにｉ番目の中間ノードと（ｉ＋１）番目の中間ノードとの間の参照符号ブロックの伝送のダウンリンクレイテンシは、等しく、両方ともxiである。残りは、類推され得る。ここで、ｉは、１からｎ−１の整数であってよい。
【００６９】
この場合に、第１ノードと第２ノードとの間のアップリンク及びダウンリンクレイテンシ差ΔTは：
ΔT=T1-T2=DT-UT
である。
【００７０】
具体的に言えば、アップリンク伝送レイテンシT1及びダウンリンク伝送レイテンシT2の夫々は、因数(x0+x2+・・・+xi+・・・+xn)を含み、それにより、T2がT1から減じられる場合に、因数(x0+x2+・・・+xi+・・・+xn)は相殺され得る。因数が相殺された後に求められた式から、アップリンク及びダウンリンクレイテンシ差ΔTは、第１存続期間と第２存続期間との間の差に等しい、ことが分かる。従って、本願のこの実施形態で、第１存続期間及び第２存続期間が最初に決定され、それから、第１ノードと第２ノードとの間のアップリンク及びダウンリンクレイテンシ差が第１存続期間及び第２存続期間に基づいて計算される。
【００７１】
アップリンク及びダウンリンクレイテンシ差を決定した後、第１ノードは、アップリンクレイテンシ及びダウンリンクレイテンシの対称性を実装するように、アップリンク及びダウンリンクレイテンシ差を補償してよい。代替的に、第１ノードは、アップリンク及びダウンリンクレイテンシ差に関する情報を他のデバイスへ送信してもよく、他のデバイスが、アップリンクレイテンシ及びダウンリンクレイテンシの対称性を実装するように、アップリンク及びダウンリンクレイテンシ差を補償する。任意に、ダウンリンクレイテンシがより短く、アップリンクレイテンシがより長い場合には、その後のダウンリンク伝送に追加のバッファが加えられてもよく、それにより、その後のダウンリンクレイテンシとその後のアップリンクレイテンシとの間のレイテンシ差は小さくなり、あるいは、ダウンリンクレイテンシとアップリンクレイテンシとの間のレイテンシ差は、ゼロまで小さくされる。アップリンクレイテンシがより短く、ダウンリンクレイテンシがより長い場合には、その後のアップリンク伝送に追加のバッファが加えられてもよく、それにより、その後のアップリンクレイテンシとその後のダウンリンクレイテンシとの間のレイテンシ差は小さくなり、あるいは、アップリンクレイテンシとダウンリンクレイテンシとの間のレイテンシ差は、ゼロまで小さくされる。
【００７２】
第１ノードと第２ノードとの間のアップリンク及びダウンリンクレイテンシ差を決定するプロセスは、ステップＳ３０１乃至Ｓ３０３において大体は記載されている。理解を簡単にするために、上記のプロセスは、具体的なシナリオの概略図を参照して、例を使用することによって以下で更に記載される。
【００７３】
図４及び図５は、第１ノードと第２ノードとの間に中間ノードが存在しないシナリオの概略図である。シナリオにおいて、第１ノードと第２ノードとの間のアップリンク及びダウンリンクレイテンシ差を決定するプロセスは、ステップ４０１乃至４１１において示される。
【００７４】
ステップ４０１：ネットワーク制御エンドは、第１ノード及び第２ノードへの非対称レイテンシ測定コマンドを起動する。
【００７５】
ステップ４０２：非対称レイテンシ測定コマンドに応答して、第１ノードは、一意の識別可能な符号ブロック（例えば、順序集合内の使用されていないユーザ定義のＯ符号によって識別される制御符号ブロック）をダウンリンクサービスフローに挿入し、サービスデータフローにおいて一意の識別可能な符号ブロックがある場合には、追加の符号ブロックは挿入不要であり、ここで、一意の識別可能な符号ブロックは、その後に第１サービス符号ブロックと呼ばれ、第１サービス符号ブロックは、ダウンリンクサービスのレイテンシ測定ポイントとして使用される。
【００７６】
ステップ４０３：第１ノードは、第１サービス符号ブロックを取得するとダウンリンク送信タイマを起動し、そして、第１ダウンリンク送信参照符号ブロックを送信するときにダウンリンク送信タイマの値を記録し、このとき、記録される値は、第１ダウンリンク送信時間インターバルdtt(0)と呼ばれてよい。
【００７７】
ステップ４０４：第２ノードは、第１サービス符号ブロックを受信するとダウンリンク受信タイマを起動し、そして、第１ダウンリンク受信参照符号ブロックを受信するときにダウンリンク受信タイマの値を記録し、このとき、記録される値は、第２ダウンリンク受信時間インターバルdrt(n+1)と呼ばれてよい。
【００７８】
ステップ４０５：第２ノードは、第２ダウンリンク受信時間インターバルを第１ノードへ送るために、第２ダウンリンク受信時間インターバルdrt(n+1)をダウンリンクサービスのレイテンシ配信OAM符号ブロックに挿入し、相応して、第１ノードは、第２ダウンリンク受信時間インターバルdrt(n+1)を受け取る。
【００７９】
x0が第１ノードと第２ノードとの間の参照符号ブロックの伝送のレイテンシであるとして、図４から、ダウンリンクレイテンシT1=dtt(0)+x0-drt(n+1)が知られ得る。
【００８０】
ステップ４０６：非対称レイテンシ測定コマンドに応答して、第２ノードは、一意の識別可能な符号ブロック（例えば、順序集合内の使用されていないユーザ定義のＯ符号によって識別される制御符号ブロック）をアップリンクサービスフローに挿入し、サービスデータフローにおいて一意の識別可能な符号ブロックがある場合には、追加の符号ブロックは挿入不要であり、ここで、一意の識別可能な符号ブロックは、その後に第２サービス符号ブロックと呼ばれ、第２サービス符号ブロックは、アップリンクサービスのレイテンシ測定ポイントとして使用される。
【００８１】
ステップ４０７：第２ノードは、第２サービス符号ブロックを取得するとアップリンク送信タイマを起動し、そして、第２アップリンク送信参照符号ブロックを送信するときにアップリンク送信タイマの値を記録し、このとき、記録される値は、第１アップリンク送信時間インターバルutt(0)と呼ばれてよい。
【００８２】
ステップ４０８：第２ノードは、第１アップリンク送信時間インターバルを第１ノードへ送るために、第１アップリンク送信時間インターバルutt(0)をアップリンクサービスのレイテンシ配信OAM符号ブロックに挿入し、相応して、第１ノードは、第１アップリンク送信時間インターバルutt(0)を受け取る。
【００８３】
ステップ４０９：第１ノードは、第２サービス符号ブロックを取得するとアップリンク受信タイマを起動し、そして、第２アップリンク受信参照符号ブロックを受信するときにアップリンク受信タイマの値を記録し、このとき、記録される値は、第２アップリンク受信時間インターバルurt(n+1)と呼ばれてよい。
【００８４】
x0が第１ノードと第２ノードとの間の参照符号ブロックの伝送のレイテンシであるとして、図５から、アップリンクレイテンシT2=utt(0)+x0-urt(n+1)が知られ得る。
【００８５】
ステップ４１０：第１ノードは、次の式：
ΔT=T1-T2=[dtt(0)-drt(n+1)]-[utt(0)-urt(n+1)]
に従って、第１ノードと第２ノードとの間のアップリンク及びダウンリンクレイテンシ差ΔTを計算する。
【００８６】
ステップ４１１：第１ノードは、アップリンク及びダウンリンクレイテンシ差ΔTに対して非対称レイテンシ補償を実行する。
【００８７】
図６及び図７は、第１ノードと第２ノードとの間に中間ノードが存在するシナリオの概略図である。シナリオにおいて、第１ノードと第２ノードとの間のアップリンク及びダウンリンクレイテンシ差を決定するプロセスは、ステップ５０１乃至５１５において示される。
【００８８】
ステップ５０１：ネットワーク制御エンドは、第１ノード及び第２ノードへの非対称レイテンシ測定コマンドを起動する。
【００８９】
ステップ５０２：非対称レイテンシ測定コマンドに応答して、第１ノードは、一意の識別可能な符号ブロック（例えば、順序集合内の使用されていないユーザ定義のＯ符号によって識別される制御符号ブロック）をダウンリンクサービスフローに挿入し、サービスデータフローにおいて一意の識別可能な符号ブロックがある場合には、追加の符号ブロックは挿入不要であり、ここで、一意の識別可能な符号ブロックは、その後に第１サービス符号ブロックと呼ばれ、第１サービス符号ブロックは、ダウンリンクサービスのレイテンシ測定ポイントとして使用される。
【００９０】
ステップ５０３：第１ノードは、第１サービス符号ブロックを取得するとダウンリンク送信タイマを起動し、そして、第１ダウンリンク送信参照符号ブロックを送信するときにダウンリンク送信タイマの値を記録し、このとき、記録される値は、第１ダウンリンク送信時間インターバルdtt(0)と呼ばれてよい。
【００９１】
ステップ５０４：第２ノードは、第１サービス符号ブロックを受信するとダウンリンク受信タイマを起動し、そして、第１ダウンリンク受信参照符号ブロックを送信するときにダウンリンク受信タイマの値を記録し、このとき、記録される値は、第２ダウンリンク受信時間インターバルdrt(n+1)と呼ばれてよい。
【００９２】
ステップ５０５：第２ノードは、第２ダウンリンク受信時間インターバルを第１ノードへ送るために、第２ダウンリンク受信時間インターバルdrt(n+1)をアップリンクサービスのレイテンシ配信OAM符号ブロックに挿入し、相応して、第１ノードは、第２ダウンリンク受信時間インターバルdrt(n+1)を受け取る。
【００９３】
ステップ５０６：ｎ個の中間ノードは、第１サービス符号ブロックを受信するとダウンリンク受信タイマを起動し、第３ダウンリンク受信参照符号ブロックを受信するときにダウンリンク受信タイマの値を記録し、このとき、第１ノードまでの昇順の距離においてｉ番目の中間ノードによって記録される値は、ダウンリンク受信時間インターバルdrt(i)と呼ばれてよい。
【００９４】
ステップ５０７：ｎ個の中間ノードは更に、第１サービス符号ブロックを受信するとダウンリンク送信タイマを起動し、第３ダウンリンク送信参照符号ブロックを送信するときにダウンリンク送信タイマの値を記録し、このとき、ｉ番目の中間ノードによって記録される値は、ダウンリンク送信時間インターバルdtt(i)と呼ばれてよい。
【００９５】
ステップ５０７：ｎ個の中間ノードは、ダウンリンク受信時間インターバル及びダウンリンク送信時間インターバルを第１ノードへ送るために、ダウンリンク受信時間インターバル及びダウンリンク送信時間インターバルをダウンリンクサービスのレイテンシ配信OAM符号ブロックに挿入し、相応して、第１ノードは、ｎ個の中間ノードによって別々に送られるダウンリンク受信時間インターバル及びダウンリンク送信時間インターバルを受け取る。
【００９６】
図６に示されるように、１つの中間ノードが存在する場合に、ダウンリンクレイテンシT1=[dtt(0)+x0-drt(1)]+[dtt(1)+x1-drt(n+1)]、このとき、x0は、第１ノードと中間ノードとの間の参照符号ブロックの伝送のレイテンシであり、x1は、中間ノードと第２ノードとの間の参照符号ブロックの伝送のレイテンシである。
【００９７】
ステップ５０８：非対称レイテンシ測定コマンドに応答して、第２ノードは、一意の識別可能な符号ブロック（例えば、順序集合内の使用されていないユーザ定義のＯ符号によって識別される制御符号ブロック）をアップリンクサービスフローに挿入し、サービスデータフローにおいて一意の識別可能な符号ブロックがある場合には、追加の符号ブロックは挿入不要であり、ここで、一意の識別可能な符号ブロックは、その後に第２サービス符号ブロックと呼ばれ、第２サービス符号ブロックは、アップリンクサービスのレイテンシ測定ポイントとして使用される。
【００９８】
ステップ５０９：第２ノードは、第２サービス符号ブロックを取得するとアップリンク送信タイマを起動し、そして、第２アップリンク送信参照符号ブロックを送信するときにアップリンク送信タイマの値を記録し、このとき、記録される値は、第１アップリンク送信時間インターバルutt(0)と呼ばれてよい。
【００９９】
ステップ５１０：第２ノードは、第１アップリンク送信時間インターバルを第１ノードへ送るために、第１アップリンク送信時間インターバルutt(0)をアップリンクサービスのレイテンシ配信OAM符号ブロックに挿入し、相応して、第１ノードは、第１アップリンク送信時間インターバルutt(0)を受け取る。
【０１００】
ステップ５１１：ｎ個の中間ノードは、第２サービス符号ブロックを受信するとアップリンク受信タイマを起動し、第４アップリンク受信参照符号ブロックを受信するときにアップリンク受信タイマの値を記録し、このとき、第１ノードまでの距離の降順においてｊ番目の中間ノードによって記録される値は、アップリンク受信時間インターバルurt(j)と呼ばれてよい。
【０１０１】
ステップ５１１：ｎ個の中間ノードは、第２サービス符号ブロックを受信するとアップリンク送信タイマを起動し、第４アップリンク送信参照符号ブロックを送信するときにアップリンク送信タイマの値を記録し、このとき、ｊ番目の中間ノードによって記録される値は、アップリンク送信時間インターバルutt(j)と呼ばれてよい。
【０１０２】
ステップ５１２：ｎ個の中間ノードは、アップリンク受信時間インターバル及びアップリンク送信時間インターバルを第１ノードへ送るために、ｎ個の中間ノードによって別々に記録されるアップリンク受信時間インターバル及びアップリンク送信時間インターバルをアップリンクサービスのレイテンシ配信OAM符号ブロックに挿入し、相応して、第１ノードは、ｎ個の中間ノードによって別々に送られるアップリンク受信時間インターバル及びアップリンク送信時間インターバルを受け取る。
【０１０３】
図７に示されるように、１つの中間ノードが存在する場合に、アップリンクレイテンシT2=[utt(0)+x0-urt(1)]+[utt(1)+x1-urt(n+1)]、このとき、x0は、第１ノードと中間ノードとの間の参照符号ブロックの伝送のレイテンシであり、x1は、中間ノードと第２ノードとの間の参照符号ブロックの伝送のレイテンシである。
【０１０４】
ステップ５１３：第１ノードは、第２サービス符号ブロックを受信するとアップリンク受信タイマを起動し、そして、第２アップリンク受信参照符号ブロックを受信するときにアップリンク受信タイマの値を記録し、このとき、記録される値は、第２アップリンク受信時間インターバルurt(n+1)と呼ばれてよい。
【０１０５】
ステップ５１４：第１ノードは、次の式：
ΔT=T1-T2=DT-UT
DT=[dtt(0)-drt(1)]+[dtt(1)-drt(2)]+・・・+[dtt(i)-drt(i+1)]+・・・+[dtt(n)-drt(n+1)]
UT=[utt(0)-urt(1)]+[utt(1)-urt(2)]+・・・+[utt(j)-urt(j+1)]+・・・+[utt(n)-urt(n+1)]
に従って、第１ノードと第２ノードとの間のアップリンク及びダウンリンクレイテンシ差ΔTを計算する。
【０１０６】
ステップ５１５：第１ノードは、アップリンク及びダウンリンクレイテンシ差ΔTに対して非対称レイテンシ補償を実行する。
【０１０７】
本願のこの実施形態には、次の場合が更に存在し得る：（例えば、Ｎ個の中間ノードが存在する場合に）ｎ個の中間ノードによって別々に送られるアップリンク送信時間インターバル及びアップリンク受信時間インターバル、並びに第２ノードによって送られる第１アップリンク送信時間インターバルのどれも第１ノードへは伝送されず、レイテンシ配信OAM符号ブロックにおいて運ばれるか、あるいは、FlexEオーバーヘッドを使用することによって、事前指定されたネットワーク管理サーバへ全て伝送される。その上、第１ノードも、記録された第１ダウンリンク送信時間インターバル及び第２アップリンク受信時間インターバルをネットワーク管理サーバへ送信する。相応して、第１ノードによって記録される第１ダウンリンク送信時間インターバル及び第２アップリンク受信時間インターバルと、第２ノードによって記録される第１ダウンリンク受信時間インターバル及び第１アップリンク送信時間インターバルと、（Ｎ個の中間ノードが存在する場合に）ｎ個の中間ノードによって別々に送られるアップリンク送信時間インターバル及びアップリンク受信時間インターバルとを取得した後、ネットワーク管理サーバは、第１存続期間DT及び第２存続期間UTを計算するための上記の式に従って、第１存続期間DT及び第２存続期間UTを計算する。次いで、ネットワーク管理サーバは、第１存続期間DT及び第２存続期間UTに基づいて、第１ノードと第２ノードとの間のアップリンク及びダウンリンクレイテンシ差を計算する。第１ノードと第２ノードとの間のアップリンク及びダウンリンクレイテンシ差を決定するためにネットワーク管理サーバによって使用される原理は、ステップＳ３０３で第１ノードと第２ノードとの間のアップリンク及びダウンリンクレイテンシ差を決定するために第１ノードによって使用される原理と同じであり、詳細は、ここで再びは記載されない。
【０１０８】
本願のこの実施形態には、次の場合が更に存在し得る：ｎ個の中間ノードは、（Ｎ個の中間ノードが存在する場合に）アップリンク送信時間インターバル及びアップリンク受信時間インターバルを第２ノードへ別々に送り、第１ノードも、第１ダウンリンク送信時間インターバル及び第２アップリンク時間インターバルを第２ノードへ送る。相応して、第１ノードによって記録される第１ダウンリンク送信時間インターバル及び第２アップリンク受信時間インターバルと、（Ｎ個の中間ノードが存在する場合に）ｎ個の中間ノードによって別々に送られるアップリンク送信時間インターバル及びアップリンク受信時間インターバルとを取得した後に、第２ノードは、第１存続期間DT及び第２存続期間UTを計算するための上記の式に従って、第１存続期間DT及び第２存続期間UTを計算する。次いで、第２ノードは、第１存続期間DT及び第２存続期間UTに基づいて、第１ノードと第２ノードとの間のアップリンク及びダウンリンクレイテンシ差を計算する。第１ノードと第２ノードとの間のアップリンク及びダウンリンクレイテンシ差を決定するために第２ノードによって使用される原理は、ステップＳ３０３で第１ノードと第２ノードとの間のアップリンク及びダウンリンクレイテンシ差を決定するために第１ノードによって使用される原理と同じであり、詳細は、ここで再びは記載されない。
【０１０９】
図３に記載される方法で、第１ノードは、第１ノードで第１サービス符号ブロックを送信する時点と、第１ノードで第１ダウンリンク送信参照符号ブロックを送信する時点との間の時間インターバルと、第２ノードで第１サービス符号ブロックを受信する時点と、第２ノードで第１ダウンリンク受信参照符号ブロックを受信する時点との間の時間インターバルとに基づいて第１存続期間を決定し、第２ノードで第２サービス符号ブロックを送信する時点と、第２ノードで第２アップリンク送信参照符号ブロックを送信する時点との間の時間インターバルと、第１ノードで第２サービス符号ブロックを受信する時点と、第１ノードで第２アップリンク受信参照符号ブロックを受信する時点との間の時間インターバルとに基づいて第２存続期間を決定し、次いで、第１存続期間と第２存続期間との間の差に基づいて第１ノードと第２ノードとの間のアップリンク及びダウンリンクレイテンシ差を決定する。このプロセスは、GPSによって実行される時間同期化に依存する必要がなく、それにより、安定性はより良く、コストはより低い。
【０１１０】
本発明の実施形態における方法は、詳細に上述されており、本発明の実施形態における装置は、以下で提供される。
【０１１１】
図８は、本発明の実施形態に従うノード８０の略構造図である。ノードは、決定ユニット８０１及び計算ユニット８０２を含んでよい。各ユニットは、以下で詳細に記載される。
【０１１２】
決定ユニット８０１は、第１ダウンリンク送信時間インターバル及び第２ダウンリンク受信時間インターバルに基づいて第１存続期間を決定するよう構成され、第１ダウンリンク送信時間インターバルは、ノードが第１サービス符号ブロックを取得する時点と、ノードが第１ダウンリンク送信参照符号ブロックを送信する時点との間の時間インターバルであり、第２ダウンリンク受信時間インターバルは、第２ノードが第１サービス符号ブロックを受信する時点と、第２ノードが第１ダウンリンク受信参照符号ブロックを受信する時点との間の時間インターバルであり、第１サービス符号ブロックは、ノードによって第２ノードへ送信されるサービスフローを運ぶために使用され、第１ダウンリンク送信参照符号ブロックは、ノードが第１サービス符号ブロックを送信するときにダウンリンクアライメントのために使用される符号ブロックであり、第１ダウンリンク受信参照符号ブロックは、第２ノードが第１サービス符号ブロックを受信するときにダウンリンクアライメントのために使用される符号ブロックである。
【０１１３】
決定ユニット８０１は更に、第１アップリンク送信時間インターバル及び第２アップリンク受信時間インターバルに基づいて第２存続期間を決定するよう構成され、第１アップリンク送信時間インターバルは、第２ノードが第２サービス符号ブロックを取得する時点と、第２ノードが第２アップリンク送信参照符号ブロックを送信する時点との間の時間インターバルであり、第２アップリンク受信時間インターバルは、ノードが第２サービス符号ブロックを受信する時点と、ノードが第２アップリンク受信参照符号ブロックを受信する時点との間の時間インターバルであり、第２サービス符号ブロックは、第２ノードによってノードへ送信されるサービスフローを運ぶために使用され、第２アップリンク送信参照符号ブロックは、第２ノードが第２サービス符号ブロックを送信するときにアップリンクアライメントのために使用される符号ブロックであり、第２アップリンク受信参照符号ブロックは、ノードが第２サービス符号ブロックを受信するときにアップリンクアライメントのために使用される符号ブロックである。
【０１１４】
計算ユニット８０２は、第１存続期間及び第２存続期間に基づいてノードと第２ノードとの間のアップリンク及びダウンリンクレイテンシ差を計算するよう構成される。
【０１１５】
上記のステップを実行することによって、ノードは、ノードで第１サービス符号ブロックを送信する時点と、ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及びノードで第２サービス符号ブロックを受信する時点と、ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【０１１６】
任意の解決法において、ノードと第２ノードとの間の通信リンクは、ノード及び第２ノード以外の中間ノードを通らず、あるいは、ノードと第２ノードとの間の通信リンクは、中間ノードを通ってトランスペアレントに伝送される。第１存続期間、第１ダウンリンク送信時間インターバル、及び第２ダウンリンク受信時間インターバルは、次の関係：DT=dtt(0)-drt(n+1)を満足し、このとき、DTは、第１存続期間であり、dtt(0)は、第１ダウンリンク送信時間インターバルであり、drt(n+1)は、第２ダウンリンク受信時間インターバルであり；第２存続期間、第１アップリンク送信時間インターバル、及び第２アップリンク受信時間インターバルは、次の関係：UT=utt(0)-urt(n+1)を満足し、このとき、UTは、第２存続期間であり、utt(0)は、第１アップリンク送信時間インターバルであり、urt(n+1)は、第２アップリンク受信時間インターバルである。
【０１１７】
他の任意の解決法において、ノードと第２ノードとの間の通信リンクは、非トランスペアレント伝送モードでｎ個の中間ノードを通り、ｎは、１以上の正の整数であり、この場合に、
第１存続期間、第１ダウンリンク送信時間インターバル、及び第２ダウンリンク受信時間インターバルは、次の関係：DT=[dtt(0)-drt(1)]+[dtt(1)-drt(2)]+・・・+[dtt(i)-drt(i+1)]+・・・+[dtt(n)-drt(n+1)]を満足し、このとき、DTは、第１存続期間であり、dtt(0)は、第１ダウンリンク送信時間インターバルであり、drt(n+1)は、第２ダウンリンク受信時間インターバルであり、drt(i)は、ｎ個の中間ノードの中のｉ番目の中間ノードが第１サービス符号ブロックを受信する時点と、ｉ番目の中間ノードが第３ダウンリンク受信参照符号ブロックを受信する時点との間の時間インターバルであり、第３ダウンリンク受信参照符号ブロックは、ｉ番目の中間ノードが第１サービス符号ブロックを受信するときにダウンリンクアライメントのために使用される符号ブロックであり、dtt(i)は、ｎ個の中間ノードの中のｉ番目の中間ノードが第１サービス符号ブロックを受信する時点と、ｉ番目の中間ノードが第３ダウンリンク送信参照符号ブロックを送信する時点との間の時間インターバルであり、第３ダウンリンク送信参照符号ブロックは、ｉ番目の中間ノードが第１サービス符号ブロックを送信するときにダウンリンクアライメントのために使用される符号ブロックであり、このとき、ｎ≧ｉ≧１であり、
第２存続期間、第１アップリンク送信時間インターバル、及び第２アップリンク受信時間インターバルは、次の関係：UT=[utt(0)-urt(1)]+[utt(1)-urt(2)]+・・・+[utt(j)-urt(j+1)]+・・・+[utt(n)-urt(n+1)]を満足し、このとき、UTは、第２存続期間であり、utt(0)は、第１アップリンク送信時間インターバルであり、urt(n+1)は、第２アップリンク受信時間インターバルであり、urt(j)は、ｎ個の中間ノードの中のｊ番目の中間ノードが第２サービス符号ブロックを受信する時点と、ｊ番目の中間ノードが第４アップリンク受信参照符号ブロックを受信する時点との間の時間インターバルであり、第４アップリンク受信参照符号ブロックは、ｊ番目の中間ノードが第２サービス符号ブロックを受信するときにアップリンクアライメントのために使用される符号ブロックであり、dtt(j)は、ｎ個の中間ノードの中のｊ番目の中間ノードが第２サービス符号ブロックを受信する時点と、ｊ番目の中間ノードが第４アップリンク送信参照符号ブロックを送信する時点との間の時間インターバルであり、第４アップリンク送信参照符号ブロックは、ｊ番目の中間ノードが第２サービス符号ブロックを送信するときにアップリンクアライメントのために使用される符号ブロックであり、このとき、ｎ≧ｊ≧１である。
【０１１８】
更なる他の任意の解決法において、ノードは、記録ユニット、送信ユニット、及び受信ユニットを更に含む。
【０１１９】
記録ユニットは、決定ユニット８０１が、第１ダウンリンク送信時間インターバル及び第２ダウンリンク受信時間インターバルに基づいて第１存続期間を決定する前に、第１ダウンリンク送信時間インターバルdtt(0)を記録するよう構成される。送信ユニットは、第２ノード及びｎ個の中間ノードへ第１指示情報を送信するよう構成され、第１指示情報は、第１サービス符号ブロックを示すために使用され、第１サービス符号ブロックは、第２ノード及び中間ノードに、ダウンリンク受信時間インターバル及びダウンリンク送信時間インターバルを記録するよう指示するために使用される。受信ユニットは、ｎ個の中間ノードによって別々に送信されるダウンリンク送信時間インターバル及びダウンリンク受信時間インターバルと、第２ノードによって送信される第２ダウンリンク受信時間インターバルdrt(n+1)とを受け取るよう構成され、ｉ番目の中間ノードによって送信されるダウンリンク受信時間インターバルはdrt(i)であり、ｉ番目の中間ノードによって送信されるダウンリンク送信時間インターバルはdtt(i)である。
【０１２０】
更なる他の任意の解決法において、ノードは、記録ユニット、送信ユニット、及び受信ユニットを更に含む。受信ユニットは、決定ユニット８０１が、第１ダウンリンク送信時間インターバル及び第２ダウンリンク受信時間インターバルに基づいて第１存続期間を決定する前に、第２ノードによって送信される第１アップリンク送信時間インターバルutt(0)と、ｎ個の中間ノードによって別々に送信されるアップリンク受信時間インターバル及びアップリンク送信時間インターバルとを受け取るよう構成され、ｊ番目の中間ノードによって送信されるアップリンク受信時間インターバルはurt(j)であり、ｊ番目の中間ノードによって送信されるアップリンク送信時間インターバルはutt(j)である。受信ユニットは、第２ノードによって送信される第２指示情報を受信するよう構成され、第２指示情報は、第２サービス符号ブロックを示すために使用される。記録ユニットは、第２指示情報に従って第２アップリンク受信時間インターバルurt(n+1)を記録するよう構成される。
【０１２１】
更なる他の任意の解決法において、ｎ個の中間ノードによって別々に送信されるアップリンク送信時間インターバル及びアップリンク受信時間インターバル、並びに第２ノードによって送信される第１アップリンク送信時間インターバルdtt(n+1)は、レイテンシ配信運用、管理、及び保守OAM符号ブロックにおいて運ばれる。
【０１２２】
更なる他の任意の解決法において、ｎ個の中間ノードによって別々に送信されるダウンリンク送信時間インターバル及びダウンリンク受信時間インターバル、並びに第２ノードによって送信される第２ダウンリンク受信時間インターバルdrt(n+1)は、レイテンシ配信運用、管理、及び保守OAM符号ブロックにおいて運ばれる。
【０１２３】
更なる他の任意の解決法において、第１サービス符号ブロックは、第１サービスのフレームヘッダであり、第２サービス符号ブロックは、第２サービスのフレームヘッダである。
【０１２４】
各ユニットの実施については、図３に示される方法の実施形態における対応する記載を参照されたい、ことが留意されるべきである。ノード８０は、図３に示される方法の実施形態で記載される第１ノードである。
【０１２５】
図８に記載されるノード８０では、ノードは、ノードで第１サービス符号ブロックを送信する時点と、ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及びノードで第２サービス符号ブロックを受信する時点と、ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【０１２６】
図９は、本発明の実施形態に従うノード９０の略構造図である。ノードは、決定ユニット９０１、記録ユニット９０２、及び送信ユニット９０３を含んでよい。各ユニットは、以下で詳細に記載される。
【０１２７】
受信ユニット９０１は、第１ノードによって送信される第１指示情報を受信するよう構成され、第１指示情報は、第１サービス符号ブロックを示すために使用される。
【０１２８】
記録ユニット９０２は、指示情報に従って第２ダウンリンク受信時間インターバルを記録するよう構成され、第２ダウンリンク受信時間インターバルは、ノードが第１サービス符号ブロックを受信する時点と、ノードが第１ダウンリンク受信参照符号ブロックを受信する時点との間の時間インターバルであり、第１サービス符号ブロックは、第１ノードによってノードへ送信されるサービスフローを運ぶために使用され、第１ダウンリンク受信参照符号ブロックは、ノードが第１サービス符号ブロックを受信するときにダウンリンクアライメントのために使用される符号ブロックである。
【０１２９】
送信ユニット９０３は、第１ノードへ第２ダウンリンク受信時間インターバル及び第１アップリンク送信時間インターバルを送るよう構成され、第１アップリンク送信時間インターバルは、ノードが第２サービス符号ブロックを取得する時点と、ノードが第２アップリンク送信参照符号ブロックを送信する時点との間の時間インターバルであり、第１アップリンク送信時間インターバル及び第２ダウンリンク受信時間インターバルは、第１ノードとノードとの間のアップリンク及びダウンリンクレイテンシ差を決定するために使用され、第２サービス符号ブロックは、ノードによって第１ノードへ送信されるサービスフローを運ぶために使用され、第２アップリンク送信参照符号ブロックは、ノードが第２サービス符号ブロックを送信するときにアップリンクアライメントのために使用される符号ブロックである。
【０１３０】
上記のステップを実行することによって、第１ノードは、第１ノードで第１サービス符号ブロックを送信する時点と、第１ノードで第１ダウンリンク送信参照符号ブロックを送信する時点との間の時間インターバル、及びノードで第１サービス符号ブロックを受信する時点と、ノードで第１ダウンリンク受信参照符号ブロックを受信する時点との間の時間インターバルに基づいて第１存続期間を決定し、ノードで第２サービス符号ブロックを送信する時点と、ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードとノードとの間のアップリンク及ぶダウンリンクレイテンシ差を決定する。このプロセスは、GPSによって実行される時間同期化に依存する必要がなく、それにより、安定性はより良く、コストはより低い。
【０１３１】
他の任意の解決法において、送信ユニットは、第１ノードへ第２指示情報を送信するよう更に構成され、第２指示情報は、第２サービス符号ブロックを示すために使用され、第２サービス符号ブロックは、第１ノードに、第２アップリンク受信時間インターバルを決定するよう指示するために使用され、第２アップリンク受信時間インターバルは、第１ノードが第２サービス符号ブロックを受信する時点と、第１ノードが第２アップリンク受信参照符号ブロックを受信する時点との間の時間インターバルであり、第２アップリンク受信参照符号ブロックは、第１ノードが第２サービス符号ブロックを受信するときにアップリンクアライメントのために使用される符号ブロックである。
【０１３２】
更なる他の任意の解決法において、第１サービス符号ブロックは、第１サービスのフレームヘッダであり、第２サービス符号ブロックは、第２サービスのフレームヘッダである。
【０１３３】
各ユニットの実施については、図３に示される方法の実施形態における対応する記載を参照されたい、ことが留意されるべきである。ノード９０は、図３に示される方法の実施形態で記載される第２ノードである。
【０１３４】
図９に記載されるノード９０では、第１ノードは、第１ノードで第１サービス符号ブロックを送信する時点と、第１ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【０１３５】
図１０は、本発明の実施形態に従うノード１００を示す。ノードは、プロセッサ１００１、メモリ１００２、受信器１００３、及び送信器１００４を含む。プロセッサ１００１、メモリ１００２、受信器１００３、及び送信器１００４は、バスを使用することによって互いに接続される。
【０１３６】
メモリ１００２は、制限なしに、ランダム・アクセス・メモリ（random  access  memory，RAM）、リード・オンリー・メモリ（read-only  memory，ROM）、消去可能なプログラム可能リード・オンリー・メモリ（erasable  programmable  read  only  memory，EPROM）、又はポータブル・リード・オンリー・メモリ（compact  disc  read-only  memory，CD-ROM）を含む。メモリ１００２は、関連する命令及び関連するデータを記憶するよう構成される。受信器１００３は、データを受信するよう構成され、送信器１００４は、データを送信するよう構成される。
【０１３７】
プロセッサ１００１は、１つ以上の中央演算処理装置（central  processing  unit，CPU）であってよい。プロセッサ１００１が１つのCPUである場合に、CPUは、シングルコアCPU又はマルチコアCPUであってよい。
【０１３８】
ノード内のプロセッサ１００１は、メモリ１００２に記憶されているプログラムコードを読み出して、次の：
第１ダウンリンク送信時間インターバル及び第２ダウンリンク受信時間インターバルに基づいて第１存続期間を決定する動作であり、第１ダウンリンク送信時間インターバルは、ノードが第１サービス符号ブロックを取得する時点と、ノードが第１ダウンリンク送信参照符号ブロックを送信する時点との間の時間インターバルであり、第２ダウンリンク受信時間インターバルは、第２ノードが第１サービス符号ブロックを受信する時点と、第２ノードが第１ダウンリンク受信参照符号ブロックを受信する時点との間の時間インターバルであり、第１サービス符号ブロックは、ノードによって第２ノードへ送信されるサービスフローを運ぶために使用され、第１ダウンリンク送信参照符号ブロックは、ノードが第１サービス符号ブロックを送信するときにダウンリンクアライメントのために使用される符号ブロックであり、第１ダウンリンク受信参照符号ブロックは、第２ノードが第１サービス符号ブロックを受信するときにダウンリンクアライメントのために使用される符号ブロックである、動作と、
次いで、第１アップリンク送信時間インターバル及び第２アップリンク受信時間インターバルに基づいて第２存続期間を決定する動作であり、第１アップリンク送信時間インターバルは、第２ノードが第２サービス符号ブロックを取得する時点と、第２ノードが第２アップリンク送信参照符号ブロックを送信する時点との間の時間インターバルであり、第２アップリンク受信時間インターバルは、ノードが第２サービス符号ブロックを受信する時点と、ノードが第２アップリンク受信参照符号ブロックを受信する時点との間の時間インターバルであり、第２サービス符号ブロックは、第２ノードによってノードへ送信されるサービスフローを運ぶために使用され、第２アップリンク送信参照符号ブロックは、第２ノードが第２サービス符号ブロックを送信するときにアップリンクアライメントのために使用される符号ブロックであり、第２アップリンク受信参照符号ブロックは、ノードが第２サービス符号ブロックを受信するときにアップリンクアライメントのために使用される符号ブロックである、動作と、
その後に、第１存続期間及び第２存続期間に基づいてノードと第２ノードとの間のアップリンク及びダウンリンクレイテンシ差を計算する動作と
を実行するよう構成される。
【０１３９】
上記の動作を実行することによって、ノードは、ノードで第１サービス符号ブロックを送信する時点と、ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及びノードで第２サービス符号ブロックを受信する時点と、ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【０１４０】
各動作の実施については、図３に示される方法の実施形態における対応する記載を参照されたい、ことが留意されるべきである。ノード１００は、図３に示される方法の実施形態で記載される第１ノードである。
【０１４１】
図１１は、本発明の実施形態に従うノード１１０を示す。ノードは、プロセッサ１１０１、メモリ１１０２、受信器１１０３、及び送信器１１０４を含む。プロセッサ１１０１、メモリ１１０２、受信器１１０３、及び送信器１１０４は、バスを使用することによって互いに接続される。
【０１４２】
メモリ１１０２は、制限なしに、ランダム・アクセス・メモリ（random  access  memory，RAM）、リード・オンリー・メモリ（read-only  memory，ROM）、消去可能なプログラム可能リード・オンリー・メモリ（erasable  programmable  read  only  memory，EPROM）、又はポータブル・リード・オンリー・メモリ（compact  disc  read-only  memory，CD-ROM）を含む。メモリ１１０２は、関連する命令及び関連するデータを記憶するよう構成される。受信器１１０３は、データを受信するよう構成され、送信器１００４は、データを送信するよう構成される。
【０１４３】
プロセッサ１１０１は、１つ以上の中央演算処理装置（central  processing  unit，CPU）であってよい。プロセッサ１１０１が１つのCPUである場合に、CPUは、シングルコアCPU又はマルチコアCPUであってよい。
【０１４４】
ノード内のプロセッサ１１０１は、メモリ１１０２に記憶されているプログラムコードを読み出して、次の：
受信器を使用することによって、第１ノードによって送信される第１指示情報を受信する動作であり、第１指示情報は、第１サービス符号ブロックを示すために使用される、動作と、
指示情報に従って第２ダウンリンク受信時間インターバルを記録する動作であり、第２ダウンリンク受信時間インターバルは、ノードが第１サービス符号ブロックを受信する時点と、ノードが第１ダウンリンク受信参照符号ブロックを受信する時点との間の時間インターバルであり、第１サービス符号ブロックは、第１ノードによってノードへ送信されるサービスフローを運ぶために使用され、第１ダウンリンク受信参照符号ブロックは、ノードが第１サービス符号ブロックを受信するときにダウンリンクアライメントのために使用される符号ブロックである、動作と、
送信器を使用することによって、第１ノードへ第２ダウンリンク受信時間インターバル及び第１アップリンク送信時間インターバルを送る動作であり、第１アップリンク送信時間インターバルは、ノードが第２サービス符号ブロックを取得する時点と、ノードが第２アップリンク送信参照符号ブロックを送信する時点との間の時間インターバルであり、第１アップリンク送信時間インターバル及び第２ダウンリンク受信時間インターバルは、第１ノードとノードとの間のアップリンク及びダウンリンクレイテンシ差を決定するために使用され、第２サービス符号ブロックは、ノードによって第１ノードへ送信されるサービスフローを運ぶために使用され、第２アップリンク送信参照符号ブロックは、ノードが第２サービス符号ブロックを送信するときにアップリンクアライメントのために使用される符号ブロックである、動作と
を実行するよう構成される。
【０１４５】
上記の動作を実行することによって、第１ノードは、第１ノードで第１サービス符号ブロックを送信する時点と、第１ノードで第１ダウンリンク送信参照符号ブロックを送信する時点との間の時間インターバル、及びノードで第１サービス符号ブロックを受信する時点と、ノードで第１ダウンリンク受信参照符号ブロックを受信する時点との間の時間インターバルに基づいて第１存続期間を決定し、ノードで第２サービス符号ブロックを送信する時点と、ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードとノードとの間のアップリンク及ぶダウンリンクレイテンシ差を決定する。このプロセスは、GPSによって実行される時間同期化に依存する必要がなく、それにより、安定性はより良く、コストはより低い。
【０１４６】
各動作の実施については、図３に示される方法の実施形態における対応する記載を参照されたい、ことが留意されるべきである。ノード１１０は、図３に示される方法の実施形態で記載される第２ノードである。
【０１４７】
本発明の実施形態は、チップシステムを提供する。チップシステムは、少なくとも１つのプロセッサ、メモリ、及びインターフェイス回路を含み、メモリ、インターフェイス回路、及び少なくとも１つのプロセッサは、ラインを使用することによって互いに接続され、少なくとも１つのメモリは命令を記憶しており、命令がプロセッサによって実行される場合に、図３に示される方法が実施される。
【０１４８】
本発明の実施形態は、コンピュータ可読記憶媒体を更に提供し、コンピュータ可読記憶媒体はプログラム命令を記憶しており、プログラム命令がプロセッサで実行される場合に、図３に示される方法が実施される。
【０１４９】
本発明の実施形態は、コンピュータプログラム製品を更に提供し、コンピュータプログラム製品がプロセッサで実行される場合に、図３に示される方法が実施される。
【０１５０】
最後に、本発明の実施形態に従って、第１ノードは、第１ノードで第１サービス符号ブロックを送信する時点と、第１ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【０１５１】
当業者であれば、実施形態における方法のプロシージャの全部又は一部が、関連するハードウェアに指示するコンピュータプログラムによって実施されてよい、と理解し得る。プログラムはコンピュータ可読記憶媒体に記憶されてよく、プログラムが実行される場合に、上記の方法の実施形態のプロシージャが含まれ得る。上記の記憶媒体は、ROM、ランダム・アクセス・メモリRAM、磁気ディスク、又は光ディスクなどの、プログラムコードを記憶することができる如何なる媒体を含む。
【図１】
2021508210.tif 000003
【図２】
2021508210.tif 000004
【図３】
2021508210.tif 000005
【図４】
2021508210.tif 000006
【図５】
2021508210.tif 000007
【図６】
2021508210.tif 000008
【図７】
2021508210.tif 000009
【図８】
2021508210.tif 000010
【図９】
2021508210.tif 000011
【図１０】
2021508210.tif 000012
【図１１】
2021508210.tif 000013
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
フレキシブル・イーサネットのレイテンシ測定の方法であって、
第１ノードによって、第１ダウンリンク送信時間インターバル及び第２ダウンリンク受信時間インターバルに基づいて第１存続期間を決定することであり、前記第１ダウンリンク送信時間インターバルは、前記第１ノードが第１サービス符号ブロックを取得する時点と、前記第１ノードが第１ダウンリンク送信参照符号ブロックを送信する時点との間の時間インターバルであり、前記第２ダウンリンク受信時間インターバルは、第２ノードが前記第１サービス符号ブロックを受信する時点と、前記第２ノードが第１ダウンリンク受信参照符号ブロックを受信する時点との間の時間インターバルであり、前記第１サービス符号ブロックは、前記第１ノードによって前記第２ノードへ送信されるサービスフローを運ぶために使用され、前記第１ダウンリンク送信参照符号ブロックは、前記第１ノードが前記第１サービス符号ブロックを送信するときにダウンリンクアライメントのために使用される符号ブロックであり、前記第１ダウンリンク受信参照符号ブロックは、前記第２ノードが前記第１サービス符号ブロックを受信するときにダウンリンクアライメントのために使用される符号ブロックである、前記第１存続期間を決定することと、
前記第１ノードによって、第１アップリンク送信時間インターバル及び第２アップリンク受信時間インターバルに基づいて第２存続期間を決定することであり、前記第１アップリンク送信時間インターバルは、前記第２ノードが第２サービス符号ブロックを取得する時点と、前記第２ノードが第２アップリンク送信参照符号ブロックを送信する時点との間の時間インターバルであり、前記第２アップリンク受信時間インターバルは、前記第１ノードが前記第２サービス符号ブロックを受信する時点と、前記第１ノードが第２アップリンク受信参照符号ブロックを受信する時点との間の時間インターバルであり、前記第２サービス符号ブロックは、前記第２ノードによって前記第１ノードへ送信されるサービスフローを運ぶために使用され、前記第２アップリンク送信参照符号ブロックは、前記第２ノードが前記第２サービス符号ブロックを送信するときにアップリンクアライメントのために使用される符号ブロックであり、前記第２アップリンク受信参照符号ブロックは、前記第１ノードが前記第２サービス符号ブロックを受信するときにアップリンクアライメントのために使用される符号ブロックである、前記第２存続期間を決定することと、
前記第１ノードによって、前記第１存続期間及び前記第２存続期間に基づいて前記第１ノードと前記第２ノードとの間のアップリンク及びダウンリンクレイテンシ差を計算することと
を有する方法。
【請求項２】
前記第１ノードと前記第２ノードとの間の通信リンクは、前記第１ノード及び前記第２ノード以外の中間ノードを通らず、あるいは、前記第１ノードと前記第２ノードとの間の通信リンクは、中間ノードを通ってトランスペアレントに伝送され、
前記第１存続期間、前記第１ダウンリンク送信時間インターバル、及び前記第２ダウンリンク受信時間インターバルは、次の関係：
DT=dtt(0)-drt(n+1)
を満足し、
DTは、前記第１存続期間であり、dtt(0)は、前記第１ダウンリンク送信時間インターバルであり、drt(n+1)は、前記第２ダウンリンク受信時間インターバルであり、
前記第２存続期間、前記第１アップリンク送信時間インターバル、及び前記第２アップリンク受信時間インターバルは、次の関係：
UT=utt(0)-urt(n+1)
を満足し、
UTは、前記第２存続期間であり、utt(0)は、前記第１アップリンク送信時間インターバルであり、urt(n+1)は、前記第２アップリンク受信時間インターバルである、
請求項１に記載の方法。
【請求項３】
前記第１ノードと前記第２ノードとの間の通信リンクは、非トランスペアレント伝送モードでｎ個の中間ノードを通り、ｎは、１以上の正の整数であり、
前記第１存続期間、前記第１ダウンリンク送信時間インターバル、及び前記第２ダウンリンク受信時間インターバルは、次の関係：
DT=[dtt(0)-drt(1)]+[dtt(1)-drt(2)]+・・・+[dtt(i)-drt(i+1)]+・・・+[dtt(n)-drt(n+1)]
を満足し、
DTは、前記第１存続期間であり、dtt(0)は、前記第１ダウンリンク送信時間インターバルであり、drt(n+1)は、前記第２ダウンリンク受信時間インターバルであり、drt(i)は、前記ｎ個の中間ノードの中のｉ番目の中間ノードが前記第１サービス符号ブロックを受信する時点と、前記ｉ番目の中間ノードが第３ダウンリンク受信参照符号ブロックを受信する時点との間の時間インターバルであり、前記第３ダウンリンク受信参照符号ブロックは、前記ｉ番目の中間ノードが前記第１サービス符号ブロックを受信するときにダウンリンクアライメントのために使用される符号ブロックであり、dtt(i)は、前記ｎ個の中間ノードの中の前記ｉ番目の中間ノードが前記第１サービス符号ブロックを受信する時点と、前記ｉ番目の中間ノードが第３ダウンリンク送信参照符号ブロックを送信する時点との間の時間インターバルであり、前記第３ダウンリンク送信参照符号ブロックは、前記ｉ番目の中間ノードが前記第１サービス符号ブロックを送信するときにダウンリンクアライメントのために使用される符号ブロックであり、このとき、ｎ≧ｉ≧１であり、
前記第２存続期間、前記第１アップリンク送信時間インターバル、及び前記第２アップリンク受信時間インターバルは、次の関係：
UT=[utt(0)-urt(1)]+[utt(1)-urt(2)]+・・・+[utt(j)-urt(j+1)]+・・・+[utt(n)-urt(n+1)]
を満足し、
UTは、前記第２存続期間であり、utt(0)は、前記第１アップリンク送信時間インターバルであり、urt(n+1)は、前記第２アップリンク受信時間インターバルであり、urt(j)は、前記ｎ個の中間ノードの中のｊ番目の中間ノードが前記第２サービス符号ブロックを受信する時点と、前記ｊ番目の中間ノードが第４アップリンク受信参照符号ブロックを受信する時点との間の時間インターバルであり、前記第４アップリンク受信参照符号ブロックは、前記ｊ番目の中間ノードが前記第２サービス符号ブロックを受信するときにアップリンクアライメントのために使用される符号ブロックであり、utt(j)は、前記ｎ個の中間ノードの中の前記ｊ番目の中間ノードが前記第２サービス符号ブロックを受信する時点と、前記ｊ番目の中間ノードが第４アップリンク送信参照符号ブロックを送信する時点との間の時間インターバルであり、前記第４アップリンク送信参照符号ブロックは、前記ｊ番目の中間ノードが前記第２サービス符号ブロックを送信するときにアップリンクアライメントのために使用される符号ブロックであり、このとき、ｎ≧ｊ≧１である、
請求項１に記載の方法。
【請求項４】
第１ノードによって、第１ダウンリンク送信時間インターバル及び第２ダウンリンク受信時間インターバルに基づいて第１存続期間を決定することより前に、前記方法は、
前記第１ノードによって前記第１ダウンリンク送信時間インターバルdtt(0)を記録することと、
前記第１ノードによって前記第２ノード及び前記ｎ個の中間ノードへ第１指示情報を送信することであり、該第１指示情報は、前記第１サービス符号ブロックを示すために使用され、該第１サービス符号ブロックは、前記第２ノード及び前記中間ノードに、ダウンリンク受信時間インターバル及びダウンリンク送信時間インターバルを記録するよう指示するために使用される、前記第１指示情報を送信することと、
前記第１ノードによって、前記ｎ個の中間ノードによって別々に送信される前記ダウンリンク送信時間インターバル及び前記ダウンリンク受信時間インターバルと、前記第２ノードによって送信される前記第２ダウンリンク受信時間インターバルdrt(n+1)とを受け取ることであり、前記ｉ番目の中間ノードによって送信される前記ダウンリンク受信時間インターバルはdrt(i)であり、前記ｉ番目の中間ノードによって送信される前記ダウンリンク送信時間インターバルはdtt(i)である、前記受け取ることと
を更に有する、
請求項３に記載の方法。
【請求項５】
第１ノードによって、第１ダウンリンク送信時間インターバル及び第２ダウンリンク受信時間インターバルに基づいて第１存続期間を決定することより前に、前記方法は、
前記第１ノードによって、前記第２ノードによって送信される前記第１アップリンク送信時間インターバルutt(0)と、前記ｎ個の中間ノードによって別々に送信されるアップリンク受信時間インターバル及びアップリンク送信時間インターバルとを受け取ることであり、前記ｊ番目の中間ノードによって送信される前記アップリンク受信時間インターバルはurt(j)であり、前記ｊ番目の中間ノードによって送信される前記アップリンク送信時間インターバルはutt(j)である、前記受け取ることと、
前記第１ノードによって、前記第２ノードによって送信される第２指示情報を受信することであり、該第２指示情報は、前記第２サービス符号ブロックを示すために使用される、前記第２指示情報を受信することと、
前記第１ノードによって、前記第２指示情報に従って前記第２アップリンク受信時間インターバルurt(n+1)を記録することと
を更に有する、
請求項３又は４に記載の方法。
【請求項６】
フレキシブル・イーサネットのレイテンシ測定の方法であって、
第２ノードによって、第１ノードによって送信される第１指示情報を受信することであり、該第１指示情報は、第１サービス符号ブロックを示すために使用される、前記第１指示情報を受信することと、
前記第２ノードによって、前記第１指示情報に従って、第２ダウンリンク受信時間インターバルを記録することであり、該第２ダウンリンク受信時間インターバルは、前記第２ノードが前記第１サービス符号ブロックを受信する時点と、前記第２ノードが第１ダウンリンク受信参照符号ブロックを受信する時点との間の時間インターバルであり、前記第１サービス符号ブロックは、前記第１ノードによって前記第２ノードへ送信されるサービスフローを運ぶために使用され、前記第１ダウンリンク受信参照符号ブロックは、前記第２ノードが前記第１サービス符号ブロックを受信するときにダウンリンクアライメントのために使用される符号ブロックである、前記記録することと、
前記第２ノードによって前記第１ノードへ前記第２ダウンリンク受信時間インターバル及び第１アップリンク送信時間インターバルを送ることであり、前記第１アップリンク送信時間インターバルは、前記第２ノードが第２サービス符号ブロックを取得する時点と、前記第２ノードが第２アップリンク送信参照符号ブロックを送信する時点との間の時間インターバルであり、前記第１アップリンク送信時間インターバル及び前記第２ダウンリンク受信時間インターバルは、前記第１ノードと前記第２ノードとの間のアップリンク及びダウンリンクレイテンシ差を決定するために使用され、前記第２サービス符号ブロックは、前記第２ノードによって前記第１ノードへ送信されるサービスフローを運ぶために使用され、前記第２アップリンク送信参照符号ブロックは、前記第２ノードが前記第２サービス符号ブロックを送信するときにアップリンクアライメントのために使用される符号ブロックである、前記送ることと
を有する方法。
【請求項７】
前記方法は、
前記第２ノードによって前記第１ノードへ第２指示情報を送信することであり、該第２指示情報は、前記第２サービス符号ブロックを示すために使用され、該第２サービス符号ブロックは、前記第１ノードに、第２アップリンク受信時間インターバルを決定するよう指示するために使用され、該第２アップリンク受信時間インターバルは、前記第１ノードが前記第２サービス符号ブロックを受信する時点と、前記第１ノードが第２アップリンク受信参照符号ブロックを受信する時点との間の時間インターバルであり、前記第２アップリンク受信参照符号ブロックは、前記第１ノードが前記第２サービス符号ブロックを受信するときにアップリンクアライメントのために使用される符号ブロックである、前記第２指示情報を送信すること
を更に有する、
請求項６に記載の方法。
【請求項８】
プロセッサ及びメモリを有するノードであって、
前記メモリは、プログラム命令を記憶するよう構成され、
前記プロセッサは、前記プログラム命令を呼び出して、
第１ダウンリンク送信時間インターバル及び第２ダウンリンク受信時間インターバルに基づいて第１存続期間を決定する動作であり、前記第１ダウンリンク送信時間インターバルは、前記ノードが第１サービス符号ブロックを取得する時点と、前記ノードが第１ダウンリンク送信参照符号ブロックを送信する時点との間の時間インターバルであり、前記第２ダウンリンク受信時間インターバルは、第２ノードが前記第１サービス符号ブロックを受信する時点と、前記第２ノードが第１ダウンリンク受信参照符号ブロックを受信する時点との間の時間インターバルであり、前記第１サービス符号ブロックは、前記ノードによって前記第２ノードへ送信されるサービスフローを運ぶために使用され、前記第１ダウンリンク送信参照符号ブロックは、前記ノードが前記第１サービス符号ブロックを送信するときにダウンリンクアライメントのために使用される符号ブロックであり、前記第１ダウンリンク受信参照符号ブロックは、前記第２ノードが前記第１サービス符号ブロックを受信するときにダウンリンクアライメントのために使用される符号ブロックである、前記第１存続期間を決定する動作と、
第１アップリンク送信時間インターバル及び第２アップリンク受信時間インターバルに基づいて第２存続期間を決定する動作であり、前記第１アップリンク送信時間インターバルは、前記第２ノードが第２サービス符号ブロックを取得する時点と、前記第２ノードが第２アップリンク送信参照符号ブロックを送信する時点との間の時間インターバルであり、前記第２アップリンク受信時間インターバルは、前記ノードが前記第２サービス符号ブロックを受信する時点と、前記ノードが第２アップリンク受信参照符号ブロックを受信する時点との間の時間インターバルであり、前記第２サービス符号ブロックは、前記第２ノードによって前記ノードへ送信されるサービスフローを運ぶために使用され、前記第２アップリンク送信参照符号ブロックは、前記第２ノードが前記第２サービス符号ブロックを送信するときにアップリンクアライメントのために使用される符号ブロックであり、前記第２アップリンク受信参照符号ブロックは、前記ノードが前記第２サービス符号ブロックを受信するときにアップリンクアライメントのために使用される符号ブロックである、前記第２存続期間を決定する動作と、
前記第１存続期間及び前記第２存続期間に基づいて前記ノードと前記第２ノードとの間のアップリンク及びダウンリンクレイテンシ差を計算する動作と
を実行するよう構成される、
ノード。
【請求項９】
前記ノードと前記第２ノードとの間の通信リンクは、前記ノード及び前記第２ノード以外の中間ノードを通らず、あるいは、前記ノードと前記第２ノードとの間の通信リンクは、中間ノードを通ってトランスペアレントに伝送され、
前記第１存続期間、前記第１ダウンリンク送信時間インターバル、及び前記第２ダウンリンク受信時間インターバルは、次の関係：
DT=dtt(0)-drt(n+1)
を満足し、
DTは、前記第１存続期間であり、dtt(0)は、前記第１ダウンリンク送信時間インターバルであり、drt(n+1)は、前記第２ダウンリンク受信時間インターバルであり、
前記第２存続期間、前記第１アップリンク送信時間インターバル、及び前記第２アップリンク受信時間インターバルは、次の関係：
UT=utt(0)-urt(n+1)
を満足し、
UTは、前記第２存続期間であり、utt(0)は、前記第１アップリンク送信時間インターバルであり、urt(n+1)は、前記第２アップリンク受信時間インターバルである、
請求項８に記載のノード。
【請求項１０】
前記ノードと前記第２ノードとの間の通信リンクは、非トランスペアレント伝送モードでｎ個の中間ノードを通り、ｎは、１以上の正の整数であり、
前記第１存続期間、前記第１ダウンリンク送信時間インターバル、及び前記第２ダウンリンク受信時間インターバルは、次の関係：
DT=[dtt(0)-drt(1)]+[dtt(1)-drt(2)]+・・・+[dtt(i)-drt(i+1)]+・・・+[dtt(n)-drt(n+1)]
を満足し、
DTは、前記第１存続期間であり、dtt(0)は、前記第１ダウンリンク送信時間インターバルであり、drt(n+1)は、前記第２ダウンリンク受信時間インターバルであり、drt(i)は、前記ｎ個の中間ノードの中のｉ番目の中間ノードが前記第１サービス符号ブロックを受信する時点と、前記ｉ番目の中間ノードが第３ダウンリンク受信参照符号ブロックを受信する時点との間の時間インターバルであり、前記第３ダウンリンク受信参照符号ブロックは、前記ｉ番目の中間ノードが前記第１サービス符号ブロックを受信するときにダウンリンクアライメントのために使用される符号ブロックであり、dtt(i)は、前記ｎ個の中間ノードの中の前記ｉ番目の中間ノードが前記第１サービス符号ブロックを受信する時点と、前記ｉ番目の中間ノードが第３ダウンリンク送信参照符号ブロックを送信する時点との間の時間インターバルであり、前記第３ダウンリンク送信参照符号ブロックは、前記ｉ番目の中間ノードが前記第１サービス符号ブロックを送信するときにダウンリンクアライメントのために使用される符号ブロックであり、このとき、ｎ≧ｉ≧１であり、
前記第２存続期間、前記第１アップリンク送信時間インターバル、及び前記第２アップリンク受信時間インターバルは、次の関係：
UT=[utt(0)-urt(1)]+[utt(1)-urt(2)]+・・・+[utt(j)-urt(j+1)]+・・・+[utt(n)-urt(n+1)]
を満足し、
UTは、前記第２存続期間であり、utt(0)は、前記第１アップリンク送信時間インターバルであり、urt(n+1)は、前記第２アップリンク受信時間インターバルであり、urt(j)は、前記ｎ個の中間ノードの中のｊ番目の中間ノードが前記第２サービス符号ブロックを受信する時点と、前記ｊ番目の中間ノードが第４アップリンク受信参照符号ブロックを受信する時点との間の時間インターバルであり、前記第４アップリンク受信参照符号ブロックは、前記ｊ番目の中間ノードが前記第２サービス符号ブロックを受信するときにアップリンクアライメントのために使用される符号ブロックであり、utt(j)は、前記ｎ個の中間ノードの中の前記ｊ番目の中間ノードが前記第２サービス符号ブロックを受信する時点と、前記ｊ番目の中間ノードが第４アップリンク送信参照符号ブロックを送信する時点との間の時間インターバルであり、前記第４アップリンク送信参照符号ブロックは、前記ｊ番目の中間ノードが前記第２サービス符号ブロックを送信するときにアップリンクアライメントのために使用される符号ブロックであり、このとき、ｎ≧ｊ≧１である、
請求項８に記載のノード。
【請求項１１】
前記ノードは、受信器及び送信器を更に有し、
前記第１ダウンリンク送信時間インターバル及び前記第２ダウンリンク受信時間インターバルに基づいて前記第１存続期間を決定する前に、前記プロセッサは、
前記第１ダウンリンク送信時間インターバルdtt(0)を記録し、
前記送信器を使用することによって前記第２ノード及び前記ｎ個の中間ノードへ第１指示情報を送信し、該第１指示情報は、前記第１サービス符号ブロックを示すために使用され、該第１サービス符号ブロックは、前記第２ノード及び前記中間ノードに、ダウンリンク受信時間インターバル及びダウンリンク送信時間インターバルを記録するよう指示するために使用され、
前記受信器を使用することによって、前記ｎ個の中間ノードによって別々に送信される前記ダウンリンク送信時間インターバル及び前記ダウンリンク受信時間インターバルと、前記第２ノードによって送信される前記第２ダウンリンク受信時間インターバルdrt(n+1)とを受け取り、前記ｉ番目の中間ノードによって送信される前記ダウンリンク受信時間インターバルはdrt(i)であり、前記ｉ番目の中間ノードによって送信される前記ダウンリンク送信時間インターバルはdtt(i)である、
よう更に構成される、
請求項１０に記載のノード。
【請求項１２】
前記ノードは、受信器を更に有し、
前記第１ダウンリンク送信時間インターバル及び前記第２ダウンリンク受信時間インターバルに基づいて前記第１存続期間を決定する前に、前記プロセッサは、
前記受信器を使用することによって、前記第２ノードによって送信される前記第１アップリンク送信時間インターバルutt(0)と、前記ｎ個の中間ノードによって別々に送信されるアップリンク受信時間インターバル及びアップリンク送信時間インターバルとを受け取り、前記ｊ番目の中間ノードによって送信される前記アップリンク受信時間インターバルはurt(j)であり、前記ｊ番目の中間ノードによって送信される前記アップリンク送信時間インターバルはutt(j)であり、
前記受信器を使用することによって、前記第２ノードによって送信される第２指示情報を受信し、該第２指示情報は、前記第２サービス符号ブロックを示すために使用され、
前記第２指示情報に従って前記第２アップリンク受信時間インターバルurt(n+1)を記録する
よう更に構成される、
請求項１０又は１１に記載のノード。
【請求項１３】
プロセッサ、メモリ、受信器及び送信器を有するノードであって、
前記メモリは、プログラム命令を記憶するよう構成され、
前記プロセッサは、前記プログラム命令を呼び出して、
前記受信器を使用することによって、第１ノードによって送信される第１指示情報を受信する動作であり、該第１指示情報は、第１サービス符号ブロックを示すために使用される、前記第１指示情報を受信する動作と、
前記第１指示情報に従って第２ダウンリンク受信時間インターバルを記録する動作であり、該第２ダウンリンク受信時間インターバルは、前記ノードが前記第１サービス符号ブロックを受信する時点と、前記ノードが第１ダウンリンク受信参照符号ブロックを受信する時点との間の時間インターバルであり、前記第１サービス符号ブロックは、前記第１ノードによって前記ノードへ送信されるサービスフローを運ぶために使用され、前記第１ダウンリンク受信参照符号ブロックは、前記ノードが前記第１サービス符号ブロックを受信するときにダウンリンクアライメントのために使用される符号ブロックである、前記記録する動作と、
前記送信器を使用することによって、前記第１ノードへ前記第２ダウンリンク受信時間インターバル及び第１アップリンク送信時間インターバルを送る動作であり、前記第１アップリンク送信時間インターバルは、前記ノードが第２サービス符号ブロックを取得する時点と、前記ノードが第２アップリンク送信参照符号ブロックを送信する時点との間の時間インターバルであり、前記第１アップリンク送信時間インターバル及び前記第２ダウンリンク受信時間インターバルは、前記第１ノードと前記ノードとの間のアップリンク及びダウンリンクレイテンシ差を決定するために使用され、前記第２サービス符号ブロックは、前記ノードによって前記第１ノードへ送信されるサービスフローを運ぶために使用され、前記第２アップリンク送信参照符号ブロックは、前記ノードが前記第２サービス符号ブロックを送信するときにアップリンクアライメントのために使用される符号ブロックである、前記送る動作と
を実行するよう構成される、
ノード。
【請求項１４】
前記プロセッサは、
前記送信器を使用することによって前記第１ノードへ第２指示情報を送信し、該第２指示情報は、前記第２サービス符号ブロックを示すために使用され、該第２サービス符号ブロックは、前記第１ノードに、第２アップリンク受信時間インターバルを決定するよう指示するために使用され、該第２アップリンク受信時間インターバルは、前記第１ノードが前記第２サービス符号ブロックを受信する時点と、前記第１ノードが第２アップリンク受信参照符号ブロックを受信する時点との間の時間インターバルであり、前記第２アップリンク受信参照符号ブロックは、前記第１ノードが前記第２サービス符号ブロックを受信するときにアップリンクアライメントのために使用される符号ブロックである、
よう更に構成される、
請求項１３に記載のノード。
【請求項１５】
プロセッサで実行される場合に、該プロセッサに、請求項１乃至７のうちいずれか一項に記載の方法を実行させるプログラム。
【請求項１６】
請求項１５に記載のプログラムを記憶しているコンピュータ可読記憶媒体。
【手続補正２】
【補正対象書類名】明細書
【補正対象項目名】全文
【補正方法】変更
【補正の内容】
【発明の詳細な説明】
【技術分野】
【０００１】
本発明は、通信技術の分野に、特に、フレキシブル・イーサネットのレイテンシ測定の方法及び関連するデバイスに関係がある。
【背景技術】
【０００２】
フレキシブル・イーサネット（FlexE）は、イーサネットサービスを対象としたバインディング、サブレート、及びチャネライゼーションなどの機能をサポートすることができる。FlexEに基づくベアラネットワークは、適用中に様々なタイプのサービスにアクセスする。サービス符号ブロックが到着する時点と、サービス符号ブロックによる使用のためにFlexEによって供給されるスロットチャネルが到着する時点とは、ランダムである。その結果、FlexE内の一方向性伝送リンクのレイテンシが不確実であるために、アップリンクレイテンシ及びダウンリンクレイテンシは非対称であることがある。しかし、FlexEにおけるいくつかのサービス、例えば、共通公衆無線インターフェイス（Common  Public  Radio  Interface，CPRI）サービスは、アップリンクレイテンシ及びダウンリンクレイテンシの対称性を必要とする。アップリンクレイテンシ及びダウンリンクレイテンシの対称性を実装するために、最初に、非対称なアップリンク及びダウンリンクレイテンシが決定される必要があり、次いで、非対称なレイテンシは補償される。
【０００３】
現在、非対称なアップリンク及びダウンリンクレイテンシを決定する方法は：FlexE技術を使用する次世代イーサネット（XE）トランスポートネットワークのプロバイダエッジ（provider  edge，PE）が、グローバル・ポジショニング・システム（Global  Positioning  System，GPS）を使用することによってGPS衛星のそれと時間及び周波数を同期させる、ことである。図１は、対応するシナリオの概略図である。サービスのアップリンクレイテンシが測定される場合に、サービス送信デバイス（PEに属する）は、サービスを送信するときに時間スタンプT1を添付し、サービス受信デバイス（PEに属する）は、サービスを受信するときに時間スタンプT2を添付する、ことが知られ得る。サービス受信デバイスは、次いで、時間スタンプT2をサービス送信デバイスへ送り、サービス送信デバイスは、アップリンクレイテンシが(T2-T1)に等しいとして、時間スタンプT1及び時間スタンプT2に基づいてアップリンクレイテンシを計算する。サービスのダウンリンクレイテンシは、同じ原理に従って測定され得る。それから、非対称なアップリンク及びダウンリンクレイテンシは、サービスのアップリンクレイテンシとサービスのダウンリンクレイテンシとの間の差に基づいて決定され得る。この測定方法はネットワークのプロバイダエッジのGPSに依存し、GPSのメンテナンス費用は比較的に高く、無効リスクが存在する、ことが知られ得る。例えば、GPSのアンテナのフィーダは、長距離では比較的に太く、約１０％のアンテナが毎年無効であり、GPSが無効である場合には、現場でのハードウェア交換が必要とされる。結果として、GPSのメンテナンス費用は非常に高い。メンテナンス費用を減らしかつ無効リスクを回避しながら如何にして非対称なアップリンク及びダウンリンクレイテンシを測定するかは、当業者によって研究されている技術的課題である。
【発明の概要】
【０００４】
本発明の実施形態は、非対称なアップリンク及びダウンリンクレイテンシを測定するコストを減らすための、フレキシブル・イーサネットのレイテンシ測定の方法及び関連するデバイスを開示する。
【０００５】
本発明の実施形態の第１の態様は、フレキシブル・イーサネットのレイテンシ測定の方法を開示する。方法は：
第１ノードによって、第１ダウンリンク送信時間インターバル及び第２ダウンリンク受信時間インターバルに基づいて第１存続期間を決定することであり、第１ダウンリンク送信時間インターバルは、第１ノードが第１サービス符号ブロックを取得する時点と、第１ノードが第１ダウンリンク送信参照符号ブロックを送信する時点との間の時間インターバルであり、第２ダウンリンク受信時間インターバルは、第２ノードが第１サービス符号ブロックを受信する時点と、第２ノードが第１ダウンリンク受信参照符号ブロックを受信する時点との間の時間インターバルであり、第１サービス符号ブロックは、第１ノードによって第２ノードへ送信されるサービスフローを運ぶために使用され、第１ダウンリンク送信参照符号ブロックは、第１ノードが第１サービス符号ブロックを送信するときにダウンリンクアライメントのために使用される符号ブロックであり、第１ダウンリンク受信参照符号ブロックは、第２ノードが第１サービス符号ブロックを受信するときにダウンリンクアライメントのために使用される符号ブロックである、ことと、
第１ノードによって、第１アップリンク送信時間インターバル及び第２アップリンク受信時間インターバルに基づいて第２存続期間を決定することであり、第１アップリンク送信時間インターバルは、第２ノードが第２サービス符号ブロックを取得する時点と、第２ノードが第２アップリンク送信参照符号ブロックを送信する時点との間の時間インターバルであり、第２アップリンク受信時間インターバルは、第１ノードが第２サービス符号ブロックを受信する時点と、第１ノードが第２アップリンク受信参照符号ブロックを受信する時点との間の時間インターバルであり、第２サービス符号ブロックは、第２ノードによって第１ノードへ送信されるサービスフローを運ぶために使用され、第２アップリンク送信参照符号ブロックは、第２ノードが第２サービス符号ブロックを送信するときにアップリンクアライメントのために使用される符号ブロックであり、第２アップリンク受信参照符号ブロックは、第１ノードが第２サービス符号ブロックを受信するときにアップリンクアライメントのために使用される符号ブロックである、ことと、
第１ノードによって、第１存続期間及び前記第２存続期間に基づいて第１ノードと第２ノードとの間のアップリンク及びダウンリンクレイテンシ差を計算することと
を含む。
【０００６】
上記のステップを実行することによって、第１ノードは、第１ノードで第１サービス符号ブロックを送信する時点と、第１ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【０００７】
第１の態様を参照して、第１の態様の第１の可能な実施において、第１ノードと第２ノードとの間の通信リンクは、第１ノード及び第２ノード以外の中間ノードを通らず、あるいは、第１ノードと第２ノードとの間の通信リンクは、中間ノードを通ってトランスペアレントに伝送され、この場合に、
第１存続期間、第１ダウンリンク送信時間インターバル、及び第２ダウンリンク受信時間インターバルは、次の関係：
DT=dtt(0)-drt(n+1)
を満足し、このとき、DTは、第１存続期間であり、dtt(0)は、第１ダウンリンク送信時間インターバルであり、drt(n+1)は、第２ダウンリンク受信時間インターバルであり、
第２存続期間、第１アップリンク送信時間インターバル、及び第２アップリンク受信時間インターバルは、次の関係：
UT=utt(0)-urt(n+1)
を満足し、このとき、UTは、第２存続期間であり、utt(0)は、第１アップリンク送信時間インターバルであり、urt(n+1)は、第２アップリンク受信時間インターバルである。
【０００８】
第１の態様又は第１の態様の上記の可能な実施のいずれか１つを参照して、第１の態様の第２の可能な実施において、第１ノードと第２ノードとの間の通信リンクは、非トランスペアレント伝送モードでｎ個の中間ノードを通り、ｎは、１以上の正の整数であり、この場合に。
第１存続期間、第１ダウンリンク送信時間インターバル、及び第２ダウンリンク受信時間インターバルは、次の関係：
DT=[dtt(0)-drt(1)]+[dtt(1)-drt(2)]+・・・+[dtt(i)-drt(i+1)]+・・・+[dtt(n)-drt(n+1)]
を満足し、このときDTは、第１存続期間であり、dtt(0)は、第１ダウンリンク送信時間インターバルであり、drt(n+1)は、第２ダウンリンク受信時間インターバルであり、drt(i)は、ｎ個の中間ノードの中のｉ番目の中間ノードが第１サービス符号ブロックを受信する時点と、ｉ番目の中間ノードが第３ダウンリンク受信参照符号ブロックを受信する時点との間の時間インターバルであり、第３ダウンリンク受信参照符号ブロックは、ｉ番目の中間ノードが第１サービス符号ブロックを受信するときにダウンリンクアライメントのために使用される符号ブロックであり、dtt(i)は、ｎ個の中間ノードの中のｉ番目の中間ノードが第１サービス符号ブロックを受信する時点と、ｉ番目の中間ノードが第３ダウンリンク送信参照符号ブロックを送信する時点との間の時間インターバルであり、第３ダウンリンク送信参照符号ブロックは、ｉ番目の中間ノードが第１サービス符号ブロックを送信するときにダウンリンクアライメントのために使用される符号ブロックであり、このとき、ｎ≧ｉ≧１であり、
第２存続期間、第１アップリンク送信時間インターバル、及び第２アップリンク受信時間インターバルは、次の関係：
UT=[utt(0)-urt(1)]+[utt(1)-urt(2)]+・・・+[utt(j)-urt(j+1)]+・・・+[utt(n)-urt(n+1)]
を満足し、このとき、UTは、第２存続期間であり、utt(0)は、第１アップリンク送信時間インターバルであり、urt(n+1)は、第２アップリンク受信時間インターバルであり、urt(j)は、ｎ個の中間ノードの中のｊ番目の中間ノードが第２サービス符号ブロックを受信する時点と、ｊ番目の中間ノードが第４アップリンク受信参照符号ブロックを受信する時点との間の時間インターバルであり、第４アップリンク受信参照符号ブロックは、ｊ番目の中間ノードが第２サービス符号ブロックを受信するときにアップリンクアライメントのために使用される符号ブロックであり、utt(j)は、ｎ個の中間ノードの中のｊ番目の中間ノードが第２サービス符号ブロックを受信する時点と、ｊ番目の中間ノードが第４アップリンク送信参照符号ブロックを送信する時点との間の時間インターバルであり、第４アップリンク送信参照符号ブロックは、ｊ番目の中間ノードが第２サービス符号ブロックを送信するときにアップリンクアライメントのために使用される符号ブロックであり、このとき、ｎ≧ｊ≧１である。
【０００９】
第１の態様又は第１の態様の上記の可能な実施のいずれか１つを参照して、第１の態様の第３の可能な実施において、第１ノードによって第１ダウンリンク送信時間インターバル及び第２ダウンリンク受信時間インターバルに基づいて第１存続期間を決定することより前に、方法は、
第１ノードによって第１ダウンリンク送信時間インターバルdtt(0)を記録することと、
第１ノードによって第２ノード及びｎ個の中間ノードへ第１指示情報を送信することであり、第１指示情報は、第１サービス符号ブロックを示すために使用され、第１サービス符号ブロックは、第２ノード及び前記中間ノードに、ダウンリンク受信時間インターバル及びダウンリンク送信時間インターバルを記録するよう指示するために使用される、ことと、
第１ノードによって、ｎ個の中間ノードによって別々に送信されるダウンリンク送信時間インターバル及びダウンリンク受信時間インターバルと、第２ノードによって送信される第２ダウンリンク受信時間インターバルdrt(n+1)とを受け取ることであり、ｉ番目の中間ノードによって送信されるダウンリンク受信時間インターバルはdrt(i)であり、ｉ番目の中間ノードによって送信されるダウンリンク送信時間インターバルはdtt(i)である、ことと
を更に含む。
【００１０】
第１の態様又は第１の態様の上記の可能な実施のいずれか１つを参照して、第１の態様の第４の可能な実施において、第１ノードによって第１ダウンリンク送信時間インターバル及び第２ダウンリンク受信時間インターバルに基づいて第１存続期間を決定することより前に、方法は、
第１ノードによって、第２ノードによって送信される第１アップリンク送信時間インターバルutt(0)と、ｎ個の中間ノードによって別々に送信されるアップリンク受信時間インターバル及びアップリンク送信時間インターバルとを受け取ることであり、ｊ番目の中間ノードによって送信されるアップリンク受信時間インターバルはurt(j)であり、ｊ番目の中間ノードによって送信される前記アップリンク送信時間インターバルはutt(j)である、ことと、
第１ノードによって、第２ノードによって送信される第２指示情報を受信することであり、第２指示情報は、第２サービス符号ブロックを示すために使用される、ことと、
第１ノードによって、第２指示情報に従って第２アップリンク受信時間インターバルurt(n+1)を記録することと
を更に含む。
【００１１】
第１の態様又は第１の態様の上記の可能な実施のいずれか１つを参照して、第１の態様の第５の可能な実施において、ｎ個の中間ノードによって別々に送信されるアップリンク送信時間インターバル及びアップリンク受信時間インターバル、並びに第２ノードによって送信される第１アップリンク送信時間インターバルutt(n+1)は、レイテンシ配信運用、管理、及び保守（operation,  administration,  and  maintenance，OAM）符号ブロックにおいて運ばれる。
【００１２】
第１の態様又は第１の態様の上記の可能な実施のいずれか１つを参照して、第１の態様の第６の可能な実施において、ｎ個の中間ノードによって別々に送信されるダウンリンク送信時間インターバル及びダウンリンク受信時間インターバル、並びに第２ノードによって送信される第２ダウンリンク受信時間インターバルdrt(n+1)は、レイテンシ配信運用、管理、及び保守（OAM）符号ブロックにおいて運ばれる。
【００１３】
第１の態様又は第１の態様の上記の可能な実施のいずれか１つを参照して、第１の態様の第７の可能な実施において、第１サービス符号ブロックは、第１サービスのフレームヘッダであり、第２サービス符号ブロックは、第２サービスのフレームヘッダである。
【００１４】
第２の態様に従って、本願の実施形態は、フレキシブル・イーサネットのレイテンシ測定の方法を提供する。方法は：
第２ノードによって、第１ノードによって送信される第１指示情報を受信することであり、第１指示情報は、第１サービス符号ブロックを示すために使用される、ことと、
第２ノードによって、指示情報に従って、第２ダウンリンク受信時間インターバルを記録することであり、第２ダウンリンク受信時間インターバルは、第２ノードが第１サービス符号ブロックを受信する時点と、第２ノードが第１ダウンリンク受信参照符号ブロックを受信する時点との間の時間インターバルであり、第１サービス符号ブロックは、第１ノードによって第２ノードへ送信されるサービスフローを運ぶために使用され、第１ダウンリンク受信参照符号ブロックは、第２ノードが前記第１サービス符号ブロックを受信するときにダウンリンクアライメントのために使用される符号ブロックである、ことと、
第２ノードによって第１ノードへ第２ダウンリンク受信時間インターバル及び第１アップリンク送信時間インターバルを送ることであり、第１アップリンク送信時間インターバルは、第２ノードが第２サービス符号ブロックを取得する時点と、第２ノードが第２アップリンク送信参照符号ブロックを送信する時点との間の時間インターバルであり、第１アップリンク送信時間インターバル及び第２ダウンリンク受信時間インターバルは、第１ノードと第２ノードとの間のアップリンク及びダウンリンクレイテンシ差を決定するために使用され、第２サービス符号ブロックは、第２ノードによって第１ノードへ送信されるサービスフローを運ぶために使用され、第２アップリンク送信参照符号ブロックは、第２ノードが第２サービス符号ブロックを送信するときにアップリンクアライメントのために使用される符号ブロックである、ことと
を含む。
【００１５】
上記のステップを実行することによって、第１ノードは、第１ノードで第１サービス符号ブロックを送信する時点と、第１ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【００１６】
第２の態様を参照して、第２の態様の第１の可能な実施において、方法は、第２ノードによって第１ノードへ第２指示情報を送信することであり、第２指示情報は、第２サービス符号ブロックを示すために使用され、第２サービス符号ブロックは、第１ノードに、第２アップリンク受信時間インターバルを決定するよう指示するために使用され、第２アップリンク受信時間インターバルは、第１ノードが第２サービス符号ブロックを受信する時点と、第１ノードが第２アップリンク受信参照符号ブロックを受信する時点との間の時間インターバルであり、第２アップリンク受信参照符号ブロックは、第１ノードが第２サービス符号ブロックを受信するときにアップリンクアライメントのために使用される符号ブロックである、ことを更に含む。
【００１７】
第２の態様又は第２の態様の上記の可能な実施のいずれか１つを参照して、第２の態様の第２の可能な実施において、第１サービス符号ブロックは、第１サービスのフレームヘッダであり、第２サービス符号ブロックは、第２サービスのフレームヘッダである。
【００１８】
第３の態様に従って、本願の実施形態は、ノードを提供する。ノードは、プロセッサ及びメモリを含み、メモリは、プログラム命令を記憶するよう構成され、プロセッサは、前記プログラム命令を呼び出して、次の：
第１ダウンリンク送信時間インターバル及び第２ダウンリンク受信時間インターバルに基づいて第１存続期間を決定する動作であり、第１ダウンリンク送信時間インターバルは、ノードが第１サービス符号ブロックを取得する時点と、ノードが第１ダウンリンク送信参照符号ブロックを送信する時点との間の時間インターバルであり、第２ダウンリンク受信時間インターバルは、第２ノードが第１サービス符号ブロックを受信する時点と、第２ノードが第１ダウンリンク受信参照符号ブロックを受信する時点との間の時間インターバルであり、第１サービス符号ブロックは、ノードによって第２ノードへ送信されるサービスフローを運ぶために使用され、第１ダウンリンク送信参照符号ブロックは、ノードが第１サービス符号ブロックを送信するときにダウンリンクアライメントのために使用される符号ブロックであり、第１ダウンリンク受信参照符号ブロックは、第２ノードが第１サービス符号ブロックを受信するときにダウンリンクアライメントのために使用される符号ブロックである、動作と、
次いで、第１アップリンク送信時間インターバル及び第２アップリンク受信時間インターバルに基づいて第２存続期間を決定する動作であり、第１アップリンク送信時間インターバルは、第２ノードが第２サービス符号ブロックを取得する時点と、第２ノードが第２アップリンク送信参照符号ブロックを送信する時点との間の時間インターバルであり、第２アップリンク受信時間インターバルは、ノードが第２サービス符号ブロックを受信する時点と、ノードが第２アップリンク受信参照符号ブロックを受信する時点との間の時間インターバルであり、第２サービス符号ブロックは、第２ノードによってノードへ送信されるサービスフローを運ぶために使用され、第２アップリンク送信参照符号ブロックは、第２ノードが第２サービス符号ブロックを送信するときにアップリンクアライメントのために使用される符号ブロックであり、第２アップリンク受信参照符号ブロックは、ノードが第２サービス符号ブロックを受信するときにアップリンクアライメントのために使用される符号ブロックである、動作と、
その後に、第１存続期間及び第２存続期間に基づいてノードと第２ノードとの間のアップリンク及びダウンリンクレイテンシ差を計算する動作と
を実行するよう構成される。
【００１９】
上記の動作を実行することによって、ノードは、ノードで第１サービス符号ブロックを送信する時点と、ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及びノードで第２サービス符号ブロックを受信する時点と、ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【００２０】
第３の態様を参照して、第３の態様の第１の可能な実施において、ノードと第２ノードとの間の通信リンクは、ノード及び第２ノード以外の中間ノードを通らず、あるいは、ノードと第２ノードとの間の通信リンクは、中間ノードを通ってトランスペアレントに伝送され、この場合に、
第１存続期間、第１ダウンリンク送信時間インターバル、及び第２ダウンリンク受信時間インターバルは、次の関係：
DT=dtt(0)-drt(n+1)
を満足し、このとき、DTは、第１存続期間であり、dtt(0)は、第１ダウンリンク送信時間インターバルであり、drt(n+1)は、第２ダウンリンク受信時間インターバルであり、
第２存続期間、第１アップリンク送信時間インターバル、及び第２アップリンク受信時間インターバルは、次の関係：
UT=utt(0)-urt(n+1)
を満足し、このとき、UTは、第２存続期間であり、utt(0)は、第１アップリンク送信時間インターバルであり、urt(n+1)は、第２アップリンク受信時間インターバルである。
【００２１】
第３の態様又は第３の態様の上記の可能な実施のいずれか１つを参照して、第３の態様の第２の可能な実施において、ノードと第２ノードとの間の通信リンクは、非トランスペアレント伝送モードでｎ個の中間ノードを通り、ｎは、１以上の正の整数であり、この場合に、
第１存続期間、第１ダウンリンク送信時間インターバル、及び第２ダウンリンク受信時間インターバルは、次の関係：
DT=[dtt(0)-drt(1)]+[dtt(1)-drt(2)]+・・・+[dtt(i)-drt(i+1)]+・・・+[dtt(n)-drt(n+1)]
を満足し、このとき、DTは、第１存続期間であり、dtt(0)は、第１ダウンリンク送信時間インターバルであり、drt(n+1)は、第２ダウンリンク受信時間インターバルであり、drt(i)は、ｎ個の中間ノードの中のｉ番目の中間ノードが第１サービス符号ブロックを受信する時点と、ｉ番目の中間ノードが第３ダウンリンク受信参照符号ブロックを受信する時点との間の時間インターバルであり、第３ダウンリンク受信参照符号ブロックは、ｉ番目の中間ノードが第１サービス符号ブロックを受信するときにダウンリンクアライメントのために使用される符号ブロックであり、dtt(i)は、ｎ個の中間ノードの中のｉ番目の中間ノードが第１サービス符号ブロックを受信する時点と、ｉ番目の中間ノードが第３ダウンリンク送信参照符号ブロックを送信する時点との間の時間インターバルであり、第３ダウンリンク送信参照符号ブロックは、ｉ番目の中間ノードが第１サービス符号ブロックを送信するときにダウンリンクアライメントのために使用される符号ブロックであり、このとき、ｎ≧ｉ≧１であり、
第２存続期間、第１アップリンク送信時間インターバル、及び第２アップリンク受信時間インターバルは、次の関係：
UT=[utt(0)-urt(1)]+[utt(1)-urt(2)]+・・・+[utt(j)-urt(j+1)]+・・・+[utt(n)-urt(n+1)]
を満足し、このとき、UTは、第２存続期間であり、utt(0)は、第１アップリンク送信時間インターバルであり、urt(n+1)は、第２アップリンク受信時間インターバルであり、urt(j)は、ｎ個の中間ノードの中のｊ番目の中間ノードが第２サービス符号ブロックを受信する時点と、ｊ番目の中間ノードが第４アップリンク受信参照符号ブロックを受信する時点との間の時間インターバルであり、第４アップリンク受信参照符号ブロックは、ｊ番目の中間ノードが第２サービス符号ブロックを受信するときにアップリンクアライメントのために使用される符号ブロックであり、utt(j)は、ｎ個の中間ノードの中のｊ番目の中間ノードが第２サービス符号ブロックを受信する時点と、ｊ番目の中間ノードが第４アップリンク送信参照符号ブロックを送信する時点との間の時間インターバルであり、第４アップリンク送信参照符号ブロックは、ｊ番目の中間ノードが第２サービス符号ブロックを送信するときにアップリンクアライメントのために使用される符号ブロックであり、このとき、ｎ≧ｊ≧１である。
【００２２】
第３の態様又は第３の態様の上記の可能な実施のいずれか１つを参照して、第３の態様の第３の可能な実施において、ノードは、受信器及び送信器を更に含み、
第１ダウンリンク送信時間インターバル及び第２ダウンリンク受信時間インターバルに基づいて第１存続期間を決定する前に、プロセッサは、
第１ダウンリンク送信時間インターバルdtt(0)を記録し、
送信器を使用することによって第２ノード及びｎ個の中間ノードへ第１指示情報を送信し、第１指示情報は、第１サービス符号ブロックを示すために使用され、第１サービス符号ブロックは、第２ノード及び中間ノードに、ダウンリンク受信時間インターバル及びダウンリンク送信時間インターバルを記録するよう指示するために使用され、
受信器を使用することによって、ｎ個の中間ノードによって別々に送信されるダウンリンク送信時間インターバル及びダウンリンク受信時間インターバルと、第２ノードによって送信される第２ダウンリンク受信時間インターバルdrt(n+1)とを受け取り、ｉ番目の中間ノードによって送信されるダウンリンク受信時間インターバルはdrt(i)であり、ｉ番目の中間ノードによって送信されるダウンリンク送信時間インターバルはdtt(i)である、
よう更に構成される。
【００２３】
第３の態様又は第３の態様の上記の可能な実施のいずれか１つを参照して、第４の態様の第２の可能な実施において、ノードは、受信器を更に含み、
第１ダウンリンク送信時間インターバル及び第２ダウンリンク受信時間インターバルに基づいて第１存続期間を決定する前に、プロセッサは、
受信器を使用することによって、第２ノードによって送信される第１アップリンク送信時間インターバルutt(0)と、ｎ個の中間ノードによって別々に送信されるアップリンク受信時間インターバル及びアップリンク送信時間インターバルとを受け取り、ｊ番目の中間ノードによって送信されるアップリンク受信時間インターバルはurt(j)であり、ｊ番目の中間ノードによって送信されるアップリンク送信時間インターバルはutt(j)であり、
受信器を使用することによって、第２ノードによって送信される第２指示情報を受信し、第２指示情報は、第２サービス符号ブロックを示すために使用され、
第２指示情報に従って第２アップリンク受信時間インターバルurt(n+1)を記録する
よう更に構成される。
【００２４】
第３の態様又は第３の態様の上記の可能な実施のいずれか１つを参照して、第３の態様の第５の可能な実施において、ｎ個の中間ノードによって別々に送信されるアップリンク送信時間インターバル及びアップリンク受信時間インターバル、並びに第２ノードによって送信される第１アップリンク送信時間インターバルutt(n+1)は、レイテンシ配信運用、管理、及び保守（OAM）符号ブロックにおいて運ばれる。
【００２５】
第３の態様又は第３の態様の上記の可能な実施のいずれか１つを参照して、第３の態様の第６の可能な実施において、ｎ個の中間ノードによって別々に送信されるダウンリンク送信時間インターバル及びダウンリンク受信時間インターバル、並びに第２ノードによって送信される第２ダウンリンク受信時間インターバルdrt(n+1)は、レイテンシ配信運用、管理、及び保守（OAM）符号ブロックにおいて運ばれる。
【００２６】
第３の態様又は第３の態様の上記の可能な実施のいずれか１つを参照して、第３の態様の第７の可能な実施において、第１サービス符号ブロックは、第１サービスのフレームヘッダであり、第２サービス符号ブロックは、第２サービスのフレームヘッダである。
【００２７】
第４の態様に従って、本願の実施形態は、ノードを提供する。ノードは、プロセッサ、メモリ、受信器及び送信器を含み、メモリは、プログラム命令を記憶するよう構成され、プロセッサは、前記プログラム命令を呼び出して、次の：
受信器を使用することによって、第１ノードによって送信される第１指示情報を受信する動作であり、第１指示情報は、第１サービス符号ブロックを示すために使用される、動作と、
指示情報に従って第２ダウンリンク受信時間インターバルを記録する動作であり、第２ダウンリンク受信時間インターバルは、ノードが第１サービス符号ブロックを受信する時点と、ノードが第１ダウンリンク受信参照符号ブロックを受信する時点との間の時間インターバルであり、第１サービス符号ブロックは、第１ノードによってノードへ送信されるサービスフローを運ぶために使用され、第１ダウンリンク受信参照符号ブロックは、ノードが第１サービス符号ブロックを受信するときにダウンリンクアライメントのために使用される符号ブロックである、動作と、
送信器を使用することによって、第１ノードへ第２ダウンリンク受信時間インターバル及び第１アップリンク送信時間インターバルを送る動作であり、第１アップリンク送信時間インターバルは、ノードが第２サービス符号ブロックを取得する時点と、ノードが第２アップリンク送信参照符号ブロックを送信する時点との間の時間インターバルであり、第１アップリンク送信時間インターバル及び第２ダウンリンク受信時間インターバルは、第１ノードとノードとの間のアップリンク及びダウンリンクレイテンシ差を決定するために使用され、第２サービス符号ブロックは、ノードによって第１ノードへ送信されるサービスフローを運ぶために使用され、第２アップリンク送信参照符号ブロックは、ノードが第２サービス符号ブロックを送信するときにアップリンクアライメントのために使用される符号ブロックである、動作と
を実行するよう構成される。
【００２８】
上記の動作を実行することによって、第１ノードは、第１ノードで第１サービス符号ブロックを送信する時点と、第１ノードで第１ダウンリンク送信参照符号ブロックを送信する時点との間の時間インターバル、及びノードで第１サービス符号ブロックを受信する時点と、ノードで第１ダウンリンク受信参照符号ブロックを受信する時点との間の時間インターバルに基づいて第１存続期間を決定し、ノードで第２サービス符号ブロックを送信する時点と、ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードとノードとの間のアップリンク及ぶダウンリンクレイテンシ差を決定する。このプロセスは、GPSによって実行される時間同期化に依存する必要がなく、それにより、安定性はより良く、コストはより低い。
【００２９】
第４の態様を参照して、第４の態様の第１の可能な実施において、プロセッサは、送信器を使用することによって第１ノードへ第２指示情報を送信するよう更に構成され、第２指示情報は、第２サービス符号ブロックを示すために使用され、第２サービス符号ブロックは、第１ノードに、第２アップリンク受信時間インターバルを決定するよう指示するために使用され、第２アップリンク受信時間インターバルは、第１ノードが第２サービス符号ブロックを受信する時点と、第１ノードが第２アップリンク受信参照符号ブロックを受信する時点との間の時間インターバルであり、第２アップリンク受信参照符号ブロックは、第１ノードが第２サービス符号ブロックを受信するときにアップリンクアライメントのために使用される符号ブロックである。
【００３０】
第４の態様又は第４の態様の上記の可能な実施のいずれか１つを参照して、第４の態様の第２の可能な実施において、第１サービス符号ブロックは、第１サービスのフレームヘッダであり、第２サービス符号ブロックは、第２サービスのフレームヘッダである。
【００３１】
第５の態様に従って、本願の実施形態は、第１ノードを提供する。第１ノードは、第１の態様又は第１の態様の可能な実施のいずれか１つに従う方法を実行するよう構成されるユニットを含む。
【００３２】
第６の態様に従って、本願の実施形態は、第２ノードを提供する。第２ノードは、第２の態様又は第２の態様の可能な実施のいずれか１つに従う方法を実行するよう構成されるユニットを含む。
【００３３】
第７の態様に従って、本願の実施形態は、チップシステムを提供する。チップシステムは、少なくとも１つのプロセッサ、メモリ、及びインターフェイス回路を含み、メモリ、インターフェイス回路、及び少なくとも１つのプロセッサは、ラインを使用することによって互いに接続され、少なくとも１つのメモリはプログラム命令を記憶しており、プログラム命令がプロセッサによって実行される場合に、第１の態様又は第１の態様の可能な実施のいずれか１つ、あるいは、第２の態様又は第２の態様の可能な実施のいずれか１つに記載される方法が実施される。
【００３４】
第８の態様に従って、本願の実施形態は、コンピュータ可読記憶媒体を提供する。コンピュータ可読記憶媒体はプログラム命令を記憶しており、プログラム命令がプロセッサで実行される場合に、第１の態様又は第１の態様の可能な実施のいずれか１つ、あるいは、第２の態様又は第２の態様の可能な実施のいずれか１つに記載される方法が実施される。
【００３５】
第９の態様に従って、本願の実施形態は、コンピュータプログラム製品を提供する。コンピュータプログラム製品がプロセッサで実行される場合に、第１の態様又は第１の態様の可能な実施のいずれか１つ、あるいは、第２の態様又は第２の態様の可能な実施のいずれか１つに記載される方法が実施される。
【００３６】
本発明の実施形態を実施することによって、第１ノードは、第１ノードで第１サービス符号ブロックを送信する時点と、第１ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【００３７】
本発明の実施形態で使用される添付の図面が以下で説明される。
【図面の簡単な説明】
【００３８】
【図１】先行技術におけるアップリンク及びダウンリンクレイテンシ測定シナリオの概略図である。
【図２】本発明の実施形態に従う通信システムの略アーキテクチャ図である。
【図３】本発明の実施形態に従うフレキシブル・イーサネットのレイテンシ測定の方法の略フローチャートである。
【図４】本発明の実施形態に従うダウンリンクサービス伝送の略構造図である。
【図５】本発明の実施形態に従う他のダウンリンクサービス伝送の略構造図である。
【図６】本発明の実施形態に従うアップリンクサービス伝送の略構造図である。
【図７】本発明の実施形態に従う他のアップリンクサービス伝送の略構造図である。
【図８】本発明の実施形態に従うノードの略構造図である。
【図９】本発明の実施形態に従う他のノードの略構造図である。
【図１０】本発明の実施形態に従う他のノードの略構造図である。
【図１１】本発明の実施形態に従う他のノードの略構造図である。
【発明を実施するための形態】
【００３９】
本発明の実施形態は、本発明の実施形態における添付の図面を参照して、以下で記載される。
【００４０】
図２は、本発明の実施形態に従う通信システムの略アーキテクチャ図である。通信システムは、カスタマデバイス２１１、第１ノード２１２、第２ノード２１３、XEトランスポートネットワーク２１４、及びカスタマデバイス２１５を含む。通信システム内のデバイスは、フレキシブル・イーサネット（FlexE）技術に基づいて互いと通信する。第１ノード２１２及び第２ノード２１３は、XEトランスポートネットワーク２１４内のプロバイダエッジに属する。カスタマデバイス２１１によって送信されたサービスは、第１ノード２１２を使用することによってXEトランスポートネットワーク２１４へ伝送され、次いで、XEトランスポートネットワーク２１４から第２ノード２１３へ伝送され、次いで、第２ノード２１３によってカスタマデバイス２１５へ伝送される。カスタマデバイス２１５によって送信されたサービスは、第２ノード２１３を使用することによってXEトランスポートネットワーク２１４へ伝送され、次いで、XEトランスポートネットワーク２１４から第１ノード２１２へ伝送され、それから、第１ノード２１２によってカスタマデバイス２１１へ伝送される。第１ノード２１２へ接続される１つ以上のカスタマデバイスが存在してよく、第２ノード２１３へ接続される１つ以上のカスタマデバイスも存在してよいことが留意されるべきである。図２では、第１ノード２１２及び第２ノード２１３が夫々１つ以上のカスタマデバイスへ接続されている例が、説明のために使用される。その上、XEトランスポートネットワーク２１４内の第１ノード２１２と第２ノード２１３との間のリンクは、中間ノードを通ってもよく、あるいは、中間ノードを通らなくてもよい。中間ノードを通る場合に、リンクは、１つ以上の中間ノードを通ってよい。XEトランスポートネットワーク２１４は、代替的に、他のネットワークと置き換えられてもよいことが理解され得る。
【００４１】
図３は、本発明の実施形態に従うフレキシブル・イーサネットのレイテンシ測定の方法を示す。方法は、図２に示されるアーキテクチャに基づいて実施されてよい。方法は、制限なしに、次のステップを含む。
【００４２】
ステップＳ３０１：第１ノードは、第１ダウンリンク送信時間インターバル及び第２ダウンリンク受信時間インターバルに基づいて第１存続期間を決定する。
【００４３】
言い換えれば、本願のこの実施形態で、第１ダウンリンク送信時間インターバル及び第２ダウンリンク受信時間インターバルは、第１存続期間を決定するために使用される必要がある。第１ダウンリンク送信時間インターバルは、第１ノードが第１サービス符号ブロックを取得する時点と、第１ノードが第１ダウンリンク送信参照符号ブロックを送信する時点との間の時間インターバルであり、第２ダウンリンク受信時間インターバルは、第２ノードが第１サービス符号ブロックを受信する時点と、第２ノードが第１ダウンリンク受信参照符号ブロックを受信する時点との間の時間インターバルである。第１サービス符号ブロックは、第１ノードによって前記第２ノードへ送信されるサービスフローを運ぶために使用される。その上、第１ダウンリンク送信参照符号ブロックは、第１ノードが第１サービス符号ブロックを送信するときにダウンリンクアライメントのために使用される符号ブロックであり、第１ダウンリンク受信参照符号ブロックは、第２ノードが第１サービス符号ブロックを受信するときにダウンリンクアライメントのために使用される符号ブロックである。その上、本願のこの実施形態で、第１ノードが第１サービス符号ブロックを取得することは：第１サービス符号ブロックを生成すること、又は（他のノードによって送信される）第１サービス符号ブロックを受信すること、を含む。第１存続期間を決定する方法は、異なる場合において異なり得る。２つの可能な場合が、以下に挙げられる。
【００４４】
場合１：第１ノードと第２ノードとの間の通信リンクは、他の中間ノードを通らず、あるいは、第１ノードと第２ノードとの間の通信リンクは、中間ノードを通ってトランスペアレントに伝送され、この場合に、第１存続期間を決定する方法は、以下で記載される。
【００４５】
第１ノードは、第１ダウンリンク送信時間インターバルを記録し、例えば、第１サービス符号ブロックを取得するときに計時を開始し、第１ダウンリンク送信参照符号ブロックを送信するときに計時を終了し、それにより、第１ノードによって計時の開始から計時の終了までに記録された時間長さが第１ダウンリンク送信時間インターバルである。第１ノードは、第１指示情報を第２ノードへ送信し、第１指示情報は、第１サービス符号ブロックを示すために使用される。相応して、第２ノードは、第１指示情報を受信し、第１指示情報に従って、第１サービス符号ブロックを受信するときに計時を開始すると決定し、更には、第１ダウンリンク受信参照符号ブロックを受信するときに計時を終了し、それにより、第２ノードによって計時の開始から計時の終了までに記録された時間長さが第２ダウンリンク受信時間インターバルである。次いで、第２ノードは、第２ダウンリンク受信時間インターバルを第１ノードへ送り、第１ノードは、第２ノードによって送られた第２ダウンリンク受信時間インターバルを受け取る。最後に、第１ノードは、第１ダウンリンク送信時間インターバル及び第２ダウンリンク受信時間インターバルに基づいて第１存続期間を計算する。第１存続期間DT=dtt(0)-drt(n+1)、このとき、dtt(0)は、第１ダウンリンク送信時間インターバルであり、drt(n+1)は、第２ダウンリンク受信時間インターバルである。この場合に、第１ダウンリンク送信参照符号ブロック及び第１ダウンリンク受信参照符号ブロックは、同じ符号ブロックである。
【００４６】
場合２：第１ノードと第２ノードとの間の通信リンクは、非トランスペアレント伝送モードでｎ個の中間ノードを通る。従って、第１ノードによって第２ノードへ送られる第１サービス符号ブロックは、ｎ個の中間ノードを通る。この場合に、第１存続期間を決定する方法は、以下で記載される。
【００４７】
第１ノードは、第１ダウンリンク送信時間インターバルを記録し、例えば、第１サービス符号ブロックを取得するときに計時を開始し、第１ダウンリンク送信参照符号ブロックを送信するときに計時を終了し、それにより、第１ノードによって計時の開始から計時の終了までに記録された時間長さが第１ダウンリンク送信時間インターバルである。
【００４８】
第１ノードは、第１指示情報を第２ノード及びｎ個の中間ノードへ送信し、第１指示情報は、第１サービス符号ブロックを示すために使用される。第１ノードは、第１指示情報を第２ノードへ送信し、第１指示情報は、ｎ個の中間ノードを通る、ことが理解され得る。従って、第１ノードは第１指示情報をｎ個の中間ノードへ送信する、と見なされ得る。相応して、第２ノードは、第１指示情報を受信し、第１指示情報に従って、第１サービス符号ブロックを受信するときに計時を開始すると決定し、更には、第１ダウンリンク受信参照符号ブロックを受信するときに計時を終了し、それにより、第２ノードによって計時の開始から計時の終了までに記録された時間長さが第２ダウンリンク受信時間インターバルである。次いで、第２ノードは、第２ダウンリンク受信時間インターバルを第１ノードへ送る。
【００４９】
中間ノードは、第１指示情報を受信し、第１指示情報に従って、第１サービス符号ブロックを受信するときに計時を開始すると決定し、更には、第３ダウンリンク受信参照符号ブロックを受信するときに計時を終了する。第３ダウンリンク受信参照符号ブロックは、ｉ番目の中間ノードが第１サービス符号ブロックを受信するときにダウンリンクアライメントのために使用される符号ブロックであり、ｎ個の中間ノードによって計時の開始から計時の終了までに記録された時間長さは、記録されたダウンリンク受信時間インターバルである。ｎ個の中間ノードの中のｉ番目の中間ノードによって記録されるダウンリンク受信時間インターバルは、drt(i)であり、ｎ個の中間ノードは、次いで、ｎ個の中間ノードによって記録されたダウンリンク受信時間インターバルを第１ノードへ送る。その上、ｉ番目の中間ノードは更に、第１サービス符号ブロックを（ｉ＋１）番目の中間ノードへ送信する必要がある。ｉ番目の中間ノードは、第１サービス符号ブロックを受信するときに計時を開始し、第３ダウンリンク送信参照符号ブロックを送信するときに計時を終了する。第３ダウンリンク送信参照符号ブロックは、ｉ番目の中間ノードが第１サービス符号ブロックを送信するときにダウンリンクアライメントのために使用される符号ブロックであり、ｉ番目の中間ノードによる計時の開始から計時の終了までに記録された時間長さは、ｉ番目の中間ノードによって記録されたダウンリンク送信時間インターバルである。ｎ個の中間ノードは、次いで、ｎ個の中間ノードによって記録されたダウンリンク送信時間インターバルを第１ノードへ送り、このとき、ｎ≧ｉ≧１。ｉ番目の中間ノードによって記録されるダウンリンク受信時間インターバル及びダウンリンク送信時間インターバルは、一緒に第１ノードへ送られてよく（例えば、ダウンリンク受信時間インターバル及びダウンリンク送信時間インターバルは、同じ情報にカプセル化されてよい）、あるいは、別々に第１ノードへ送られてもよい、ことが理解され得る。任意に、ｎ個の中間ノードの中のｉ番目の中間ノードは、具体的に、ｎ個の中間ノードのうち、第１サービス符号ブロックを時間順に受信するｉ番目の中間ノードであってよい。
【００５０】
第１ノードは、第２ノードによって送られる第２ダウンリンク受信時間インターバルと、ｎ個の中間ノードによって別々に送られるダウンリンク受信時間インターバル及びダウンリンク送信時間インターバルとを受け取る。
【００５１】
第１ノードは、第１ダウンリンク送信時間インターバルと、第２ダウンリンク受信時間インターバルと、ｎ個の中間ノードによって別々に送られるダウンリンク受信時間インターバル及びダウンリンク送信時間インターバルとに基づいて、第１存続期間を計算する。第１存続期間DT=[dtt(0)-drt(1)]+[dtt(1)-drt(2)]+・・・+[dtt(i)-drt(i+1)]+・・・+[dtt(n)-drt(n+1)]、このとき、DTは、第１存続期間であり、dtt(0)は、第１ダウンリンク送信時間インターバルであり、drt(n+1)は、第２ダウンリンク受信時間インターバルであり、drt(i)は、ｎ個の中間ノードの中のｉ番目の中間ノードによって送られるダウンリンク受信時間インターバルであり、dtt(i)は、ｎ個の中間ノードの中のｉ番目の中間ノードによって送られるダウンリンク送信時間インターバルである。この場合に、第１ノード、ｎ個の中間ノード、及び第２ノードのうちの１つが第１サービス符号ブロックを他のノードへ送信するならば、ノードが第１サービス符号ブロックを送信するときにダウンリンクアライメントのために使用される符号ブロックは、他のノードが第１サービス符号ブロックを受信するときにダウンリンクアライメントのために使用される符号ブロックと同じである。
【００５２】
任意に、第２ノードによって送られる第２ダウンリンク受信時間インターバル、並びにｎ個の中間ノードによって別々に送られるダウンリンク受信時間インターバル及びダウンリンク送信時間インターバルは、レイテンシ配信運用、管理、及び保守（Operation,  Administration,  Maintenance，OAM）符号ブロックにおいて運ばれるか、あるいは、全てFlexEオーバーヘッドを使用することによって第１ノードへ送信される。
【００５３】
ステップＳ３０２：第１ノードは、第１アップリンク送信時間インターバル及び第２アップリンク受信時間インターバルに基づいて第２存続期間を決定する。
【００５４】
言い換えれば、本願のこの実施形態で、第１アップリンク送信時間インターバル及び第２アップリンク受信時間インターバルは、第２存続期間を決定するために使用される必要がある。第１アップリンク送信時間インターバルは、第２ノードが第２サービス符号ブロックを取得する時点と、第２ノードが第２アップリンク送信参照符号ブロックを送信する時点との間の時間インターバルであり、第２アップリンク受信時間インターバルは、第１ノードが第２サービス符号ブロックを受信する時点と、第１ノードが第２アップリンク受信参照符号ブロックを受信する時点との間の時間インターバルである。第２サービス符号ブロックは、第２ノードによって第１ノードへ送信されるサービスフローを運ぶために使用される。その上、第２アップリンク送信参照符号ブロックは、第２ノードが第２サービス符号ブロックを送信するときにアップリンクアライメントのために使用される符号ブロックであり、第２アップリンク受信参照符号ブロックは、第１ノードが第２サービス符号ブロックを受信するときにアップリンクアライメントのために使用される符号ブロックである。その上、本願のこの実施形態で、第２ノードが第２サービス符号ブロックを取得することは：第２サービス符号ブロックを生成すること、又は（他のノードによって送信される）第２サービス符号ブロックを受信すること、を含む。
【００５５】
第２存続期間を決定する方法は、異なる場合において異なり得る。２つの可能な場合が、以下に挙げられる。
【００５６】
場合１：第１ノードと第２ノードとの間の通信リンクは、他の中間ノードを通らず、この場合に、第２存続期間を決定する方法は、以下で記載される。
【００５７】
第２ノードは、第１アップリンク送信時間インターバルを記録し、例えば、第２サービス符号ブロックを取得するときに計時を開始し、第２アップリンク送信参照符号ブロックを送信するときに計時を終了し、それにより、第２ノードによって計時の開始から計時の終了までに記録された時間長さが第１アップリンク送信時間インターバルである。第２ノードは、第１アップリンク送信時間インターバルを第１ノードへ送る。第２ノードは更に、第２指示情報を第１ノードへ送信し、第２指示情報は、第２サービス符号ブロックを示すために使用される。相応して、第１ノードは、第１アップリンク送信時間インターバル及び第２指示情報を受信し、第２指示情報に従って、第２サービス符号ブロックを受信するときに計時を開始すると決定し、更には、第２アップリンク受信参照符号ブロックを受信するときに計時を終了し、それにより、第１ノードによって計時の開始から計時の終了までに記録された時間長さが第２アップリンク受信時間インターバルである。第１ノードは、第１アップリンク送信時間インターバル及び第２アップリンク受信時間インターバルに基づいて第２存続期間を計算する。第２存続期間UT=utt(0)-urt(n+1)、このとき、utt(0)は、第１アップリンク送信時間インターバルであり、urt(n+1)は、第２アップリンク受信時間インターバルである。この場合に、第２アップリンク送信参照符号ブロック及び第２アップリンク受信参照符号ブロックは、同じ符号ブロックである。
【００５８】
場合２：第１ノードと第２ノードとの間の通信リンクは、非トランスペアレント伝送モードでｎ個の中間ノードを通る。従って、第２ノードによって第１ノードへ送られる第２サービス符号ブロックは、ｎ個の中間ノードを通る。この場合に、第２存続期間を決定する方法は、以下で記載される。
【００５９】
第２ノードは、第１アップリンク送信時間インターバルを記録し、例えば、第２サービス符号ブロックを取得するときに計時を開始し、第２アップリンク送信参照符号ブロックを送信するときに計時を終了し、それにより、第２ノードによって計時の開始から計時の終了までに記録された時間長さが第１アップリンク送信時間インターバルである。
【００６０】
第２ノードは、第１アップリンク送信時間インターバルを第１ノードへ送る。第２ノードは更に、第２指示情報を第１ノード及びｎ個の中間ノードへ送信し、第２指示情報は、第２サービス符号ブロックを示すために使用される。第２ノードは、第２指示情報を第１ノードへ送信し、第２指示情報は、ｎ個の中間ノードを通る、ことが理解され得る。従って、第２ノードは第２指示情報をｎ個の中間ノードへ送信する、と見なされ得る。相応して、第１ノードは、第１アップリンク送信時間インターバル及び第２指示情報を受信し、第２指示情報に従って、第２サービス符号ブロックを受信するときに計時を開始すると決定し、更には、第２アップリンク受信参照符号ブロックを受信するときに計時を終了し、それにより、第１ノードによって計時の開始から計時の終了までに記録された時間長さが第２アップリンク受信時間インターバルである。
【００６１】
中間ノードは、第２指示情報を受信し、第２指示情報に従って、第２サービス符号ブロックを受信するときに計時を開始すると決定し、更には、アップリンク受信参照符号ブロックを受信するときに計時を終了し、それにより、中間ノードによって計時の開始から計時の終了までに記録された時間長さは、記録されたアップリンク受信時間インターバルである。ｎ個の中間ノードの中のｊ番目の中間ノードは、第２サービス符号ブロックを受信するときに計時を開始し、第４アップリンク受信参照符号ブロックを受信するときに計時を終了し、それにより、ｊ番目の中間ノードによって計時の開始から計時の終了までに記録された時間が、ｊ番目の中間ノードによって記録されたアップリンク受信時間インターバルurt(j)である。第４アップリンク受信参照符号ブロックは、ｊ番目の中間ノードが第２サービス符号ブロックを受信するときにアップリンクアライメントのために使用される符号ブロックである。ｎ個の中間ノードは、次いで、ｎ個の中間ノードによって記録されたアップリンク受信時間インターバルを第１ノードへ送り、このとき、ｎ≧ｊ≧１。任意に、ｎ個の中間ノードの中のｊ番目の中間ノードは、具体的に、ｎ個の中間ノードのうち、第２サービス符号ブロックを時間順に受信するｊ番目の中間ノードであってよい。
【００６２】
ｊ番目の中間ノードは更に、第２サービス符号ブロックを（ｊ＋１）番目の中間ノードへ送信する必要がある。ｊ番目の中間ノードは、第２サービス符号ブロックを受信するときに計時を開始し、第４アップリンク送信参照符号ブロックを送信するときに計時を終了し、それにより、ｊ番目の中間ノードによって計時の開始から計時の終了までに記録された時間長さは、ｊ番目の中間ノードによって記録されたアップリンク送信時間インターバルutt(j)である。第４アップリンク送信参照符号ブロックは、ｊ番目の中間ノードが第２サービス符号ブロックを送信するときにアップリンクアライメントのために使用される符号ブロックである。次いで、ｎ個の中間ノードは、ｎ個の中間ノードによって記録されたアップリンク送信時間インターバルを第１ノードへ送る。ｊ番目の中間ノードによって記録されるアップリンク受信時間インターバル及びアップリンク送信時間インターバルは、一緒に第１ノードへ送られてよく（例えば、アップリンク受信時間インターバル及びアップリンク送信時間インターバルは、同じ情報にカプセル化されてよい）、あるいは、別々に第１ノードへ送られてもよい、ことが理解され得る。
【００６３】
第１ノードは、ｎ個の中間ノードによって別々に送られるアップリンク受信時間インターバル及びアップリンク送信時間インターバルを受け取る。
【００６４】
第１ノードは、第１アップリンク送信時間インターバルと、第２アップリンク受信時間インターバルと、ｎ個の中間ノードによって別々に送られるアップリンク受信時間インターバル及びアップリンク送信時間インターバルとに基づいて、第２存続期間を計算する。第２存続期間UT=[utt(0)-urt(1)]+[utt(1)-urt(2)]+・・・+[utt(j)-urt(j+1)]+・・・+[utt(n)-urt(n+1)]、このとき、UTは、第２存続期間であり、utt(0)は、第１アップリンク送信時間インターバルであり、urt(n+1)は、第２アップリンク受信時間インターバルであり、urt(j)は、ｎ個の中間ノードの中のｊ番目の中間ノードによって送られるアップリンク受信時間インターバルであり、utt(j)は、ｎ個の中間ノードの中のｊ番目の中間ノードによって送られるアップリンク送信時間インターバルである。この場合に、第１ノード、ｎ個の中間ノード、及び第２ノードのうちの１つが他のノードへ第２サービス符号ブロックを送信するならば、ノードが第２サービス符号ブロックを送信するときにアップリンクアライメントのために使用される符号ブロックは、他のノードが第２サービス符号ブロックを受信するときにアップリンクアライメントのために使用される符号ブロックと同じである。
【００６５】
任意に、ｎ個の中間ノードによって別々に送られるアップリンク送信時間インターバル及びアップリンク受信時間インターバル、並びに第２ノードによって送られる第１アップリンク送信時間インターバルは、レイテンシ配信OAM符号ブロックにおいて運ばれるか、あるいは、全てFlexEオーバーヘッドを使用することによって第１ノードへ送信される。
【００６６】
ステップＳ３０３：第１ノードは、第１存続期間及び第２存続期間に基づいて、第１ノードと第２ノードとの間のアップリンク及びダウンリンクレイテンシ差を計算する。
【００６７】
第１ノードと第２ノードとの間のダウンリンク伝送レイテンシT1及びアップリンク伝送レイテンシT2の計算方法は、次の通りである、ことが理解され得る：
T1=DT+(x0+x2+・・・+xi+・・・+xn)
T2=UT+(x0+x2+・・・+xi+・・・+xn)
【００６８】
ｎ個の中間ノードは、第１ノードまでの距離の降順でソートされると仮定される。x0は、第１ノードとｎ個の中間ノードの中の第１中間ノードとの間の参照符号ブロックの伝送のレイテンシであり、第１ノードと第１中間ノードとの間の参照符号ブロックの伝送のアップリンクレイテンシ、及び第１ノードと第１中間ノードとの間の参照符号ブロックの伝送のダウンリンクレイテンシは、等しく、両方ともx0であり；xnは、ｎ番目の中間ノードと第２ノードとの間の参照符号ブロックの伝送のレイテンシであり、ｎ番目の中間ノードと第２ノードとの間の参照符号ブロックの伝送のアップリンクレイテンシ、並びにｎ番目の中間ノードと第２ノードとの間の参照符号ブロックの伝送のダウンリンクレイテンシは、等しく、両方ともxnであり；x1は、第１中間ノードと第２中間ノードとの間の参照符号ブロックの伝送のレイテンシであり、第１中間ノードと第２中間ノードとの間の参照符号ブロックの伝送のアップリンクレイテンシ、並びに第１中間ノードと第２中間ノードとの間の参照符号ブロックの伝送のダウンリンクレイテンシは、等しく、両方ともx1であり；x2は、第２中間ノードと第３中間ノードとの間の参照符号ブロックの伝送のレイテンシであり、第２中間ノードと第３中間ノードとの間の参照符号ブロックの伝送のアップリンクレイテンシ、並びに第２中間ノードと第３中間ノードとの間の参照符号ブロックの伝送のダウンリンクレイテンシは、等しく、両方ともx2であり；xiは、ｉ番目の中間ノードと（ｉ＋１）番目の中間ノードとの間の参照符号ブロックの伝送のレイテンシであり、ｉ番目の中間ノードと（ｉ＋１）番目の中間ノードとの間の参照符号ブロックの伝送のアップリンクレイテンシ、並びにｉ番目の中間ノードと（ｉ＋１）番目の中間ノードとの間の参照符号ブロックの伝送のダウンリンクレイテンシは、等しく、両方ともxiである。残りは、類推され得る。ここで、ｉは、１からｎ−１の整数であってよい。
【００６９】
この場合に、第１ノードと第２ノードとの間のアップリンク及びダウンリンクレイテンシ差ΔTは：
ΔT=T1-T2=DT-UT
である。
【００７０】
具体的に言えば、ダウンリンク伝送レイテンシT1及びアップリンク伝送レイテンシT2の夫々は、因数(x0+x2+・・・+xi+・・・+xn)を含み、それにより、T2がT1から減じられる場合に、因数(x0+x2+・・・+xi+・・・+xn)は相殺され得る。因数が相殺された後に求められた式から、アップリンク及びダウンリンクレイテンシ差ΔTは、第１存続期間と第２存続期間との間の差に等しい、ことが分かる。従って、本願のこの実施形態で、第１存続期間及び第２存続期間が最初に決定され、それから、第１ノードと第２ノードとの間のアップリンク及びダウンリンクレイテンシ差が第１存続期間及び第２存続期間に基づいて計算される。
【００７１】
アップリンク及びダウンリンクレイテンシ差を決定した後、第１ノードは、アップリンクレイテンシ及びダウンリンクレイテンシの対称性を実装するように、アップリンク及びダウンリンクレイテンシ差を補償してよい。代替的に、第１ノードは、アップリンク及びダウンリンクレイテンシ差に関する情報を他のデバイスへ送信してもよく、他のデバイスが、アップリンクレイテンシ及びダウンリンクレイテンシの対称性を実装するように、アップリンク及びダウンリンクレイテンシ差を補償する。任意に、ダウンリンクレイテンシがより短く、アップリンクレイテンシがより長い場合には、その後のダウンリンク伝送に追加のバッファが加えられてもよく、それにより、その後のダウンリンクレイテンシとその後のアップリンクレイテンシとの間のレイテンシ差は小さくなり、あるいは、ダウンリンクレイテンシとアップリンクレイテンシとの間のレイテンシ差は、ゼロまで小さくされる。アップリンクレイテンシがより短く、ダウンリンクレイテンシがより長い場合には、その後のアップリンク伝送に追加のバッファが加えられてもよく、それにより、その後のアップリンクレイテンシとその後のダウンリンクレイテンシとの間のレイテンシ差は小さくなり、あるいは、アップリンクレイテンシとダウンリンクレイテンシとの間のレイテンシ差は、ゼロまで小さくされる。
【００７２】
第１ノードと第２ノードとの間のアップリンク及びダウンリンクレイテンシ差を決定するプロセスは、ステップＳ３０１乃至Ｓ３０３において大体は記載されている。理解を簡単にするために、上記のプロセスは、具体的なシナリオの概略図を参照して、例を使用することによって以下で更に記載される。
【００７３】
図４及び図５は、第１ノードと第２ノードとの間に中間ノードが存在しないシナリオの概略図である。シナリオにおいて、第１ノードと第２ノードとの間のアップリンク及びダウンリンクレイテンシ差を決定するプロセスは、ステップ４０１乃至４１１において示される。
【００７４】
ステップ４０１：ネットワーク制御エンドは、第１ノード及び第２ノードへの非対称レイテンシ測定コマンドを起動する。
【００７５】
ステップ４０２：非対称レイテンシ測定コマンドに応答して、第１ノードは、一意の識別可能な符号ブロック（例えば、順序集合内の使用されていないユーザ定義のＯ符号によって識別される制御符号ブロック）をダウンリンクサービスフローに挿入し、サービスデータフローにおいて一意の識別可能な符号ブロックがある場合には、追加の符号ブロックは挿入不要であり、ここで、一意の識別可能な符号ブロックは、その後に第１サービス符号ブロックと呼ばれ、第１サービス符号ブロックは、ダウンリンクサービスのレイテンシ測定ポイントとして使用される。
【００７６】
ステップ４０３：第１ノードは、第１サービス符号ブロックを取得するとダウンリンク送信タイマを起動し、そして、第１ダウンリンク送信参照符号ブロックを送信するときにダウンリンク送信タイマの値を記録し、このとき、記録される値は、第１ダウンリンク送信時間インターバルdtt(0)と呼ばれてよい。
【００７７】
ステップ４０４：第２ノードは、第１サービス符号ブロックを受信するとダウンリンク受信タイマを起動し、そして、第１ダウンリンク受信参照符号ブロックを受信するときにダウンリンク受信タイマの値を記録し、このとき、記録される値は、第２ダウンリンク受信時間インターバルdrt(n+1)と呼ばれてよい。
【００７８】
ステップ４０５：第２ノードは、第２ダウンリンク受信時間インターバルを第１ノードへ送るために、第２ダウンリンク受信時間インターバルdrt(n+1)をダウンリンクサービスのレイテンシ配信OAM符号ブロックに挿入し、相応して、第１ノードは、第２ダウンリンク受信時間インターバルdrt(n+1)を受け取る。
【００７９】
x0が第１ノードと第２ノードとの間の参照符号ブロックの伝送のレイテンシであるとして、図４から、ダウンリンクレイテンシT1=dtt(0)+x0-drt(n+1)が知られ得る。
【００８０】
ステップ４０６：非対称レイテンシ測定コマンドに応答して、第２ノードは、一意の識別可能な符号ブロック（例えば、順序集合内の使用されていないユーザ定義のＯ符号によって識別される制御符号ブロック）をアップリンクサービスフローに挿入し、サービスデータフローにおいて一意の識別可能な符号ブロックがある場合には、追加の符号ブロックは挿入不要であり、ここで、一意の識別可能な符号ブロックは、その後に第２サービス符号ブロックと呼ばれ、第２サービス符号ブロックは、アップリンクサービスのレイテンシ測定ポイントとして使用される。
【００８１】
ステップ４０７：第２ノードは、第２サービス符号ブロックを取得するとアップリンク送信タイマを起動し、そして、第２アップリンク送信参照符号ブロックを送信するときにアップリンク送信タイマの値を記録し、このとき、記録される値は、第１アップリンク送信時間インターバルutt(0)と呼ばれてよい。
【００８２】
ステップ４０８：第２ノードは、第１アップリンク送信時間インターバルを第１ノードへ送るために、第１アップリンク送信時間インターバルutt(0)をアップリンクサービスのレイテンシ配信OAM符号ブロックに挿入し、相応して、第１ノードは、第１アップリンク送信時間インターバルutt(0)を受け取る。
【００８３】
ステップ４０９：第１ノードは、第２サービス符号ブロックを取得するとアップリンク受信タイマを起動し、そして、第２アップリンク受信参照符号ブロックを受信するときにアップリンク受信タイマの値を記録し、このとき、記録される値は、第２アップリンク受信時間インターバルurt(n+1)と呼ばれてよい。
【００８４】
x0が第１ノードと第２ノードとの間の参照符号ブロックの伝送のレイテンシであるとして、図５から、アップリンクレイテンシT2=utt(0)+x0-urt(n+1)が知られ得る。
【００８５】
ステップ４１０：第１ノードは、次の式：
ΔT=T1-T2=[dtt(0)-drt(n+1)]-[utt(0)-urt(n+1)]
に従って、第１ノードと第２ノードとの間のアップリンク及びダウンリンクレイテンシ差ΔTを計算する。
【００８６】
ステップ４１１：第１ノードは、アップリンク及びダウンリンクレイテンシ差ΔTに対して非対称レイテンシ補償を実行する。
【００８７】
図６及び図７は、第１ノードと第２ノードとの間に中間ノードが存在するシナリオの概略図である。シナリオにおいて、第１ノードと第２ノードとの間のアップリンク及びダウンリンクレイテンシ差を決定するプロセスは、ステップ５０１乃至５１５において示される。
【００８８】
ステップ５０１：ネットワーク制御エンドは、第１ノード及び第２ノードへの非対称レイテンシ測定コマンドを起動する。
【００８９】
ステップ５０２：非対称レイテンシ測定コマンドに応答して、第１ノードは、一意の識別可能な符号ブロック（例えば、順序集合内の使用されていないユーザ定義のＯ符号によって識別される制御符号ブロック）をダウンリンクサービスフローに挿入し、サービスデータフローにおいて一意の識別可能な符号ブロックがある場合には、追加の符号ブロックは挿入不要であり、ここで、一意の識別可能な符号ブロックは、その後に第１サービス符号ブロックと呼ばれ、第１サービス符号ブロックは、ダウンリンクサービスのレイテンシ測定ポイントとして使用される。
【００９０】
ステップ５０３：第１ノードは、第１サービス符号ブロックを取得するとダウンリンク送信タイマを起動し、そして、第１ダウンリンク送信参照符号ブロックを送信するときにダウンリンク送信タイマの値を記録し、このとき、記録される値は、第１ダウンリンク送信時間インターバルdtt(0)と呼ばれてよい。
【００９１】
ステップ５０４：第２ノードは、第１サービス符号ブロックを受信するとダウンリンク受信タイマを起動し、そして、第１ダウンリンク受信参照符号ブロックを受信するときにダウンリンク受信タイマの値を記録し、このとき、記録される値は、第２ダウンリンク受信時間インターバルdrt(n+1)と呼ばれてよい。
【００９２】
ステップ５０５：第２ノードは、第２ダウンリンク受信時間インターバルを第１ノードへ送るために、第２ダウンリンク受信時間インターバルdrt(n+1)をダウンリンクサービスのレイテンシ配信OAM符号ブロックに挿入し、相応して、第１ノードは、第２ダウンリンク受信時間インターバルdrt(n+1)を受け取る。
【００９３】
ステップ５０６：ｎ個の中間ノードは、第１サービス符号ブロックを受信するとダウンリンク受信タイマを起動し、第３ダウンリンク受信参照符号ブロックを受信するときにダウンリンク受信タイマの値を記録し、このとき、第１ノードまでの昇順の距離においてｉ番目の中間ノードによって記録される値は、ダウンリンク受信時間インターバルdrt(i)と呼ばれてよい。
【００９４】
ステップ５０７：ｎ個の中間ノードは更に、第１サービス符号ブロックを受信するとダウンリンク送信タイマを起動し、第３ダウンリンク送信参照符号ブロックを送信するときにダウンリンク送信タイマの値を記録し、このとき、ｉ番目の中間ノードによって記録される値は、ダウンリンク送信時間インターバルdtt(i)と呼ばれてよい。
【００９５】
ステップ５０７：ｎ個の中間ノードは、ダウンリンク受信時間インターバル及びダウンリンク送信時間インターバルを第１ノードへ送るために、ダウンリンク受信時間インターバル及びダウンリンク送信時間インターバルをダウンリンクサービスのレイテンシ配信OAM符号ブロックに挿入し、相応して、第１ノードは、ｎ個の中間ノードによって別々に送られるダウンリンク受信時間インターバル及びダウンリンク送信時間インターバルを受け取る。
【００９６】
図６に示されるように、１つの中間ノードが存在する場合に、ダウンリンクレイテンシT1=[dtt(0)+x0-drt(1)]+[dtt(1)+x1-drt(n+1)]、このとき、x0は、第１ノードと中間ノードとの間の参照符号ブロックの伝送のレイテンシであり、x1は、中間ノードと第２ノードとの間の参照符号ブロックの伝送のレイテンシである。
【００９７】
ステップ５０８：非対称レイテンシ測定コマンドに応答して、第２ノードは、一意の識別可能な符号ブロック（例えば、順序集合内の使用されていないユーザ定義のＯ符号によって識別される制御符号ブロック）をアップリンクサービスフローに挿入し、サービスデータフローにおいて一意の識別可能な符号ブロックがある場合には、追加の符号ブロックは挿入不要であり、ここで、一意の識別可能な符号ブロックは、その後に第２サービス符号ブロックと呼ばれ、第２サービス符号ブロックは、アップリンクサービスのレイテンシ測定ポイントとして使用される。
【００９８】
ステップ５０９：第２ノードは、第２サービス符号ブロックを取得するとアップリンク送信タイマを起動し、そして、第２アップリンク送信参照符号ブロックを送信するときにアップリンク送信タイマの値を記録し、このとき、記録される値は、第１アップリンク送信時間インターバルutt(0)と呼ばれてよい。
【００９９】
ステップ５１０：第２ノードは、第１アップリンク送信時間インターバルを第１ノードへ送るために、第１アップリンク送信時間インターバルutt(0)をアップリンクサービスのレイテンシ配信OAM符号ブロックに挿入し、相応して、第１ノードは、第１アップリンク送信時間インターバルutt(0)を受け取る。
【０１００】
ステップ５１１：ｎ個の中間ノードは、第２サービス符号ブロックを受信するとアップリンク受信タイマを起動し、第４アップリンク受信参照符号ブロックを受信するときにアップリンク受信タイマの値を記録し、このとき、第１ノードまでの距離の降順においてｊ番目の中間ノードによって記録される値は、アップリンク受信時間インターバルurt(j)と呼ばれてよい。
【０１０１】
ステップ５１１：ｎ個の中間ノードは、第２サービス符号ブロックを受信するとアップリンク送信タイマを起動し、第４アップリンク送信参照符号ブロックを送信するときにアップリンク送信タイマの値を記録し、このとき、ｊ番目の中間ノードによって記録される値は、アップリンク送信時間インターバルutt(j)と呼ばれてよい。
【０１０２】
ステップ５１２：ｎ個の中間ノードは、アップリンク受信時間インターバル及びアップリンク送信時間インターバルを第１ノードへ送るために、ｎ個の中間ノードによって別々に記録されるアップリンク受信時間インターバル及びアップリンク送信時間インターバルをアップリンクサービスのレイテンシ配信OAM符号ブロックに挿入し、相応して、第１ノードは、ｎ個の中間ノードによって別々に送られるアップリンク受信時間インターバル及びアップリンク送信時間インターバルを受け取る。
【０１０３】
図７に示されるように、１つの中間ノードが存在する場合に、アップリンクレイテンシT2=[utt(0)+x0-urt(1)]+[utt(1)+x1-urt(n+1)]、このとき、x0は、第１ノードと中間ノードとの間の参照符号ブロックの伝送のレイテンシであり、x1は、中間ノードと第２ノードとの間の参照符号ブロックの伝送のレイテンシである。
【０１０４】
ステップ５１３：第１ノードは、第２サービス符号ブロックを受信するとアップリンク受信タイマを起動し、そして、第２アップリンク受信参照符号ブロックを受信するときにアップリンク受信タイマの値を記録し、このとき、記録される値は、第２アップリンク受信時間インターバルurt(n+1)と呼ばれてよい。
【０１０５】
ステップ５１４：第１ノードは、次の式：
ΔT=T1-T2=DT-UT
DT=[dtt(0)-drt(1)]+[dtt(1)-drt(2)]+・・・+[dtt(i)-drt(i+1)]+・・・+[dtt(n)-drt(n+1)]
UT=[utt(0)-urt(1)]+[utt(1)-urt(2)]+・・・+[utt(j)-urt(j+1)]+・・・+[utt(n)-urt(n+1)]
に従って、第１ノードと第２ノードとの間のアップリンク及びダウンリンクレイテンシ差ΔTを計算する。
【０１０６】
ステップ５１５：第１ノードは、アップリンク及びダウンリンクレイテンシ差ΔTに対して非対称レイテンシ補償を実行する。
【０１０７】
本願のこの実施形態には、次の場合が更に存在し得る：（例えば、Ｎ個の中間ノードが存在する場合に）ｎ個の中間ノードによって別々に送られるアップリンク送信時間インターバル及びアップリンク受信時間インターバル、並びに第２ノードによって送られる第１アップリンク送信時間インターバルのどれも第１ノードへは伝送されず、レイテンシ配信OAM符号ブロックにおいて運ばれるか、あるいは、FlexEオーバーヘッドを使用することによって、事前指定されたネットワーク管理サーバへ全て伝送される。その上、第１ノードも、記録された第１ダウンリンク送信時間インターバル及び第２アップリンク受信時間インターバルをネットワーク管理サーバへ送信する。相応して、第１ノードによって記録される第１ダウンリンク送信時間インターバル及び第２アップリンク受信時間インターバルと、第２ノードによって記録される第２ダウンリンク受信時間インターバル及び第１アップリンク送信時間インターバルと、（Ｎ個の中間ノードが存在する場合に）ｎ個の中間ノードによって別々に送られるアップリンク送信時間インターバル及びアップリンク受信時間インターバルとを取得した後、ネットワーク管理サーバは、第１存続期間DT及び第２存続期間UTを計算するための上記の式に従って、第１存続期間DT及び第２存続期間UTを計算する。次いで、ネットワーク管理サーバは、第１存続期間DT及び第２存続期間UTに基づいて、第１ノードと第２ノードとの間のアップリンク及びダウンリンクレイテンシ差を計算する。第１ノードと第２ノードとの間のアップリンク及びダウンリンクレイテンシ差を決定するためにネットワーク管理サーバによって使用される原理は、ステップＳ３０３で第１ノードと第２ノードとの間のアップリンク及びダウンリンクレイテンシ差を決定するために第１ノードによって使用される原理と同じであり、詳細は、ここで再びは記載されない。
【０１０８】
本願のこの実施形態には、次の場合が更に存在し得る：ｎ個の中間ノードは、（Ｎ個の中間ノードが存在する場合に）アップリンク送信時間インターバル及びアップリンク受信時間インターバルを第２ノードへ別々に送り、第１ノードも、第１ダウンリンク送信時間インターバル及び第２アップリンク受信時間インターバルを第２ノードへ送る。相応して、第１ノードによって記録される第１ダウンリンク送信時間インターバル及び第２アップリンク受信時間インターバルと、（Ｎ個の中間ノードが存在する場合に）ｎ個の中間ノードによって別々に送られるアップリンク送信時間インターバル及びアップリンク受信時間インターバルとを取得した後に、第２ノードは、第１存続期間DT及び第２存続期間UTを計算するための上記の式に従って、第１存続期間DT及び第２存続期間UTを計算する。次いで、第２ノードは、第１存続期間DT及び第２存続期間UTに基づいて、第１ノードと第２ノードとの間のアップリンク及びダウンリンクレイテンシ差を計算する。第１ノードと第２ノードとの間のアップリンク及びダウンリンクレイテンシ差を決定するために第２ノードによって使用される原理は、ステップＳ３０３で第１ノードと第２ノードとの間のアップリンク及びダウンリンクレイテンシ差を決定するために第１ノードによって使用される原理と同じであり、詳細は、ここで再びは記載されない。
【０１０９】
図３に記載される方法で、第１ノードは、第１ノードで第１サービス符号ブロックを送信する時点と、第１ノードで第１ダウンリンク送信参照符号ブロックを送信する時点との間の時間インターバルと、第２ノードで第１サービス符号ブロックを受信する時点と、第２ノードで第１ダウンリンク受信参照符号ブロックを受信する時点との間の時間インターバルとに基づいて第１存続期間を決定し、第２ノードで第２サービス符号ブロックを送信する時点と、第２ノードで第２アップリンク送信参照符号ブロックを送信する時点との間の時間インターバルと、第１ノードで第２サービス符号ブロックを受信する時点と、第１ノードで第２アップリンク受信参照符号ブロックを受信する時点との間の時間インターバルとに基づいて第２存続期間を決定し、次いで、第１存続期間と第２存続期間との間の差に基づいて第１ノードと第２ノードとの間のアップリンク及びダウンリンクレイテンシ差を決定する。このプロセスは、GPSによって実行される時間同期化に依存する必要がなく、それにより、安定性はより良く、コストはより低い。
【０１１０】
本発明の実施形態における方法は、詳細に上述されており、本発明の実施形態における装置は、以下で提供される。
【０１１１】
図８は、本発明の実施形態に従うノード８０の略構造図である。ノードは、決定ユニット８０１及び計算ユニット８０２を含んでよい。各ユニットは、以下で詳細に記載される。
【０１１２】
決定ユニット８０１は、第１ダウンリンク送信時間インターバル及び第２ダウンリンク受信時間インターバルに基づいて第１存続期間を決定するよう構成され、第１ダウンリンク送信時間インターバルは、ノードが第１サービス符号ブロックを取得する時点と、ノードが第１ダウンリンク送信参照符号ブロックを送信する時点との間の時間インターバルであり、第２ダウンリンク受信時間インターバルは、第２ノードが第１サービス符号ブロックを受信する時点と、第２ノードが第１ダウンリンク受信参照符号ブロックを受信する時点との間の時間インターバルであり、第１サービス符号ブロックは、ノードによって第２ノードへ送信されるサービスフローを運ぶために使用され、第１ダウンリンク送信参照符号ブロックは、ノードが第１サービス符号ブロックを送信するときにダウンリンクアライメントのために使用される符号ブロックであり、第１ダウンリンク受信参照符号ブロックは、第２ノードが第１サービス符号ブロックを受信するときにダウンリンクアライメントのために使用される符号ブロックである。
【０１１３】
決定ユニット８０１は更に、第１アップリンク送信時間インターバル及び第２アップリンク受信時間インターバルに基づいて第２存続期間を決定するよう構成され、第１アップリンク送信時間インターバルは、第２ノードが第２サービス符号ブロックを取得する時点と、第２ノードが第２アップリンク送信参照符号ブロックを送信する時点との間の時間インターバルであり、第２アップリンク受信時間インターバルは、ノードが第２サービス符号ブロックを受信する時点と、ノードが第２アップリンク受信参照符号ブロックを受信する時点との間の時間インターバルであり、第２サービス符号ブロックは、第２ノードによってノードへ送信されるサービスフローを運ぶために使用され、第２アップリンク送信参照符号ブロックは、第２ノードが第２サービス符号ブロックを送信するときにアップリンクアライメントのために使用される符号ブロックであり、第２アップリンク受信参照符号ブロックは、ノードが第２サービス符号ブロックを受信するときにアップリンクアライメントのために使用される符号ブロックである。
【０１１４】
計算ユニット８０２は、第１存続期間及び第２存続期間に基づいてノードと第２ノードとの間のアップリンク及びダウンリンクレイテンシ差を計算するよう構成される。
【０１１５】
上記のステップを実行することによって、ノードは、ノードで第１サービス符号ブロックを送信する時点と、ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及びノードで第２サービス符号ブロックを受信する時点と、ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【０１１６】
任意の解決法において、ノードと第２ノードとの間の通信リンクは、ノード及び第２ノード以外の中間ノードを通らず、あるいは、ノードと第２ノードとの間の通信リンクは、中間ノードを通ってトランスペアレントに伝送される。第１存続期間、第１ダウンリンク送信時間インターバル、及び第２ダウンリンク受信時間インターバルは、次の関係：DT=dtt(0)-drt(n+1)を満足し、このとき、DTは、第１存続期間であり、dtt(0)は、第１ダウンリンク送信時間インターバルであり、drt(n+1)は、第２ダウンリンク受信時間インターバルであり；第２存続期間、第１アップリンク送信時間インターバル、及び第２アップリンク受信時間インターバルは、次の関係：UT=utt(0)-urt(n+1)を満足し、このとき、UTは、第２存続期間であり、utt(0)は、第１アップリンク送信時間インターバルであり、urt(n+1)は、第２アップリンク受信時間インターバルである。
【０１１７】
他の任意の解決法において、ノードと第２ノードとの間の通信リンクは、非トランスペアレント伝送モードでｎ個の中間ノードを通り、ｎは、１以上の正の整数であり、この場合に、
第１存続期間、第１ダウンリンク送信時間インターバル、及び第２ダウンリンク受信時間インターバルは、次の関係：DT=[dtt(0)-drt(1)]+[dtt(1)-drt(2)]+・・・+[dtt(i)-drt(i+1)]+・・・+[dtt(n)-drt(n+1)]を満足し、このとき、DTは、第１存続期間であり、dtt(0)は、第１ダウンリンク送信時間インターバルであり、drt(n+1)は、第２ダウンリンク受信時間インターバルであり、drt(i)は、ｎ個の中間ノードの中のｉ番目の中間ノードが第１サービス符号ブロックを受信する時点と、ｉ番目の中間ノードが第３ダウンリンク受信参照符号ブロックを受信する時点との間の時間インターバルであり、第３ダウンリンク受信参照符号ブロックは、ｉ番目の中間ノードが第１サービス符号ブロックを受信するときにダウンリンクアライメントのために使用される符号ブロックであり、dtt(i)は、ｎ個の中間ノードの中のｉ番目の中間ノードが第１サービス符号ブロックを受信する時点と、ｉ番目の中間ノードが第３ダウンリンク送信参照符号ブロックを送信する時点との間の時間インターバルであり、第３ダウンリンク送信参照符号ブロックは、ｉ番目の中間ノードが第１サービス符号ブロックを送信するときにダウンリンクアライメントのために使用される符号ブロックであり、このとき、ｎ≧ｉ≧１であり、
第２存続期間、第１アップリンク送信時間インターバル、及び第２アップリンク受信時間インターバルは、次の関係：UT=[utt(0)-urt(1)]+[utt(1)-urt(2)]+・・・+[utt(j)-urt(j+1)]+・・・+[utt(n)-urt(n+1)]を満足し、このとき、UTは、第２存続期間であり、utt(0)は、第１アップリンク送信時間インターバルであり、urt(n+1)は、第２アップリンク受信時間インターバルであり、urt(j)は、ｎ個の中間ノードの中のｊ番目の中間ノードが第２サービス符号ブロックを受信する時点と、ｊ番目の中間ノードが第４アップリンク受信参照符号ブロックを受信する時点との間の時間インターバルであり、第４アップリンク受信参照符号ブロックは、ｊ番目の中間ノードが第２サービス符号ブロックを受信するときにアップリンクアライメントのために使用される符号ブロックであり、utt(j)は、ｎ個の中間ノードの中のｊ番目の中間ノードが第２サービス符号ブロックを受信する時点と、ｊ番目の中間ノードが第４アップリンク送信参照符号ブロックを送信する時点との間の時間インターバルであり、第４アップリンク送信参照符号ブロックは、ｊ番目の中間ノードが第２サービス符号ブロックを送信するときにアップリンクアライメントのために使用される符号ブロックであり、このとき、ｎ≧ｊ≧１である。
【０１１８】
更なる他の任意の解決法において、ノードは、記録ユニット、送信ユニット、及び受信ユニットを更に含む。
【０１１９】
記録ユニットは、決定ユニット８０１が、第１ダウンリンク送信時間インターバル及び第２ダウンリンク受信時間インターバルに基づいて第１存続期間を決定する前に、第１ダウンリンク送信時間インターバルdtt(0)を記録するよう構成される。送信ユニットは、第２ノード及びｎ個の中間ノードへ第１指示情報を送信するよう構成され、第１指示情報は、第１サービス符号ブロックを示すために使用され、第１サービス符号ブロックは、第２ノード及び中間ノードに、ダウンリンク受信時間インターバル及びダウンリンク送信時間インターバルを記録するよう指示するために使用される。受信ユニットは、ｎ個の中間ノードによって別々に送信されるダウンリンク送信時間インターバル及びダウンリンク受信時間インターバルと、第２ノードによって送信される第２ダウンリンク受信時間インターバルdrt(n+1)とを受け取るよう構成され、ｉ番目の中間ノードによって送信されるダウンリンク受信時間インターバルはdrt(i)であり、ｉ番目の中間ノードによって送信されるダウンリンク送信時間インターバルはdtt(i)である。
【０１２０】
更なる他の任意の解決法において、ノードは、記録ユニット、送信ユニット、及び受信ユニットを更に含む。受信ユニットは、決定ユニット８０１が、第１ダウンリンク送信時間インターバル及び第２ダウンリンク受信時間インターバルに基づいて第１存続期間を決定する前に、第２ノードによって送信される第１アップリンク送信時間インターバルutt(0)と、ｎ個の中間ノードによって別々に送信されるアップリンク受信時間インターバル及びアップリンク送信時間インターバルとを受け取るよう構成され、ｊ番目の中間ノードによって送信されるアップリンク受信時間インターバルはurt(j)であり、ｊ番目の中間ノードによって送信されるアップリンク送信時間インターバルはutt(j)である。受信ユニットは、第２ノードによって送信される第２指示情報を受信するよう構成され、第２指示情報は、第２サービス符号ブロックを示すために使用される。記録ユニットは、第２指示情報に従って第２アップリンク受信時間インターバルurt(n+1)を記録するよう構成される。
【０１２１】
更なる他の任意の解決法において、ｎ個の中間ノードによって別々に送信されるアップリンク送信時間インターバル及びアップリンク受信時間インターバル、並びに第２ノードによって送信される第１アップリンク送信時間インターバルutt(n+1)は、レイテンシ配信運用、管理、及び保守（OAM）符号ブロックにおいて運ばれる。
【０１２２】
更なる他の任意の解決法において、ｎ個の中間ノードによって別々に送信されるダウンリンク送信時間インターバル及びダウンリンク受信時間インターバル、並びに第２ノードによって送信される第２ダウンリンク受信時間インターバルdrt(n+1)は、レイテンシ配信運用、管理、及び保守（OAM）符号ブロックにおいて運ばれる。
【０１２３】
更なる他の任意の解決法において、第１サービス符号ブロックは、第１サービスのフレームヘッダであり、第２サービス符号ブロックは、第２サービスのフレームヘッダである。
【０１２４】
各ユニットの実施については、図３に示される方法の実施形態における対応する記載を参照されたい、ことが留意されるべきである。ノード８０は、図３に示される方法の実施形態で記載される第１ノードである。
【０１２５】
図８に記載されるノード８０では、ノードは、ノードで第１サービス符号ブロックを送信する時点と、ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及びノードで第２サービス符号ブロックを受信する時点と、ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【０１２６】
図９は、本発明の実施形態に従うノード９０の略構造図である。ノードは、受信ユニット９０１、記録ユニット９０２、及び送信ユニット９０３を含んでよい。各ユニットは、以下で詳細に記載される。
【０１２７】
受信ユニット９０１は、第１ノードによって送信される第１指示情報を受信するよう構成され、第１指示情報は、第１サービス符号ブロックを示すために使用される。
【０１２８】
記録ユニット９０２は、指示情報に従って第２ダウンリンク受信時間インターバルを記録するよう構成され、第２ダウンリンク受信時間インターバルは、ノードが第１サービス符号ブロックを受信する時点と、ノードが第１ダウンリンク受信参照符号ブロックを受信する時点との間の時間インターバルであり、第１サービス符号ブロックは、第１ノードによってノードへ送信されるサービスフローを運ぶために使用され、第１ダウンリンク受信参照符号ブロックは、ノードが第１サービス符号ブロックを受信するときにダウンリンクアライメントのために使用される符号ブロックである。
【０１２９】
送信ユニット９０３は、第１ノードへ第２ダウンリンク受信時間インターバル及び第１アップリンク送信時間インターバルを送るよう構成され、第１アップリンク送信時間インターバルは、ノードが第２サービス符号ブロックを取得する時点と、ノードが第２アップリンク送信参照符号ブロックを送信する時点との間の時間インターバルであり、第１アップリンク送信時間インターバル及び第２ダウンリンク受信時間インターバルは、第１ノードとノードとの間のアップリンク及びダウンリンクレイテンシ差を決定するために使用され、第２サービス符号ブロックは、ノードによって第１ノードへ送信されるサービスフローを運ぶために使用され、第２アップリンク送信参照符号ブロックは、ノードが第２サービス符号ブロックを送信するときにアップリンクアライメントのために使用される符号ブロックである。
【０１３０】
上記のステップを実行することによって、第１ノードは、第１ノードで第１サービス符号ブロックを送信する時点と、第１ノードで第１ダウンリンク送信参照符号ブロックを送信する時点との間の時間インターバル、及びノードで第１サービス符号ブロックを受信する時点と、ノードで第１ダウンリンク受信参照符号ブロックを受信する時点との間の時間インターバルに基づいて第１存続期間を決定し、ノードで第２サービス符号ブロックを送信する時点と、ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードとノードとの間のアップリンク及ぶダウンリンクレイテンシ差を決定する。このプロセスは、GPSによって実行される時間同期化に依存する必要がなく、それにより、安定性はより良く、コストはより低い。
【０１３１】
他の任意の解決法において、送信ユニット９０３は、第１ノードへ第２指示情報を送信するよう更に構成され、第２指示情報は、第２サービス符号ブロックを示すために使用され、第２サービス符号ブロックは、第１ノードに、第２アップリンク受信時間インターバルを決定するよう指示するために使用され、第２アップリンク受信時間インターバルは、第１ノードが第２サービス符号ブロックを受信する時点と、第１ノードが第２アップリンク受信参照符号ブロックを受信する時点との間の時間インターバルであり、第２アップリンク受信参照符号ブロックは、第１ノードが第２サービス符号ブロックを受信するときにアップリンクアライメントのために使用される符号ブロックである。
【０１３２】
更なる他の任意の解決法において、第１サービス符号ブロックは、第１サービスのフレームヘッダであり、第２サービス符号ブロックは、第２サービスのフレームヘッダである。
【０１３３】
各ユニットの実施については、図３に示される方法の実施形態における対応する記載を参照されたい、ことが留意されるべきである。ノード９０は、図３に示される方法の実施形態で記載される第２ノードである。
【０１３４】
図９に記載されるノード９０では、第１ノードは、第１ノードで第１サービス符号ブロックを送信する時点と、第１ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【０１３５】
図１０は、本発明の実施形態に従うノード１００を示す。ノードは、プロセッサ１００１、メモリ１００２、受信器１００３、及び送信器１００４を含む。プロセッサ１００１、メモリ１００２、受信器１００３、及び送信器１００４は、バスを使用することによって互いに接続される。
【０１３６】
メモリ１００２は、制限なしに、ランダム・アクセス・メモリ（random  access  memory，RAM）、リード・オンリー・メモリ（read-only  memory，ROM）、消去可能なプログラム可能リード・オンリー・メモリ（erasable  programmable  read  only  memory，EPROM）、又はポータブル・リード・オンリー・メモリ（compact  disc  read-only  memory，CD-ROM）を含む。メモリ１００２は、関連する命令及び関連するデータを記憶するよう構成される。受信器１００３は、データを受信するよう構成され、送信器１００４は、データを送信するよう構成される。
【０１３７】
プロセッサ１００１は、１つ以上の中央演算処理装置（central  processing  unit，CPU）であってよい。プロセッサ１００１が１つのCPUである場合に、CPUは、シングルコアCPU又はマルチコアCPUであってよい。
【０１３８】
ノード内のプロセッサ１００１は、メモリ１００２に記憶されているプログラムコードを読み出して、次の：
第１ダウンリンク送信時間インターバル及び第２ダウンリンク受信時間インターバルに基づいて第１存続期間を決定する動作であり、第１ダウンリンク送信時間インターバルは、ノードが第１サービス符号ブロックを取得する時点と、ノードが第１ダウンリンク送信参照符号ブロックを送信する時点との間の時間インターバルであり、第２ダウンリンク受信時間インターバルは、第２ノードが第１サービス符号ブロックを受信する時点と、第２ノードが第１ダウンリンク受信参照符号ブロックを受信する時点との間の時間インターバルであり、第１サービス符号ブロックは、ノードによって第２ノードへ送信されるサービスフローを運ぶために使用され、第１ダウンリンク送信参照符号ブロックは、ノードが第１サービス符号ブロックを送信するときにダウンリンクアライメントのために使用される符号ブロックであり、第１ダウンリンク受信参照符号ブロックは、第２ノードが第１サービス符号ブロックを受信するときにダウンリンクアライメントのために使用される符号ブロックである、動作と、
次いで、第１アップリンク送信時間インターバル及び第２アップリンク受信時間インターバルに基づいて第２存続期間を決定する動作であり、第１アップリンク送信時間インターバルは、第２ノードが第２サービス符号ブロックを取得する時点と、第２ノードが第２アップリンク送信参照符号ブロックを送信する時点との間の時間インターバルであり、第２アップリンク受信時間インターバルは、ノードが第２サービス符号ブロックを受信する時点と、ノードが第２アップリンク受信参照符号ブロックを受信する時点との間の時間インターバルであり、第２サービス符号ブロックは、第２ノードによってノードへ送信されるサービスフローを運ぶために使用され、第２アップリンク送信参照符号ブロックは、第２ノードが第２サービス符号ブロックを送信するときにアップリンクアライメントのために使用される符号ブロックであり、第２アップリンク受信参照符号ブロックは、ノードが第２サービス符号ブロックを受信するときにアップリンクアライメントのために使用される符号ブロックである、動作と、
その後に、第１存続期間及び第２存続期間に基づいてノードと第２ノードとの間のアップリンク及びダウンリンクレイテンシ差を計算する動作と
を実行するよう構成される。
【０１３９】
上記の動作を実行することによって、ノードは、ノードで第１サービス符号ブロックを送信する時点と、ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及びノードで第２サービス符号ブロックを受信する時点と、ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【０１４０】
各動作の実施については、図３に示される方法の実施形態における対応する記載を参照されたい、ことが留意されるべきである。ノード１００は、図３に示される方法の実施形態で記載される第１ノードである。
【０１４１】
図１１は、本発明の実施形態に従うノード１１０を示す。ノードは、プロセッサ１１０１、メモリ１１０２、受信器１１０３、及び送信器１１０４を含む。プロセッサ１１０１、メモリ１１０２、受信器１１０３、及び送信器１１０４は、バスを使用することによって互いに接続される。
【０１４２】
メモリ１１０２は、制限なしに、ランダム・アクセス・メモリ（random  access  memory，RAM）、リード・オンリー・メモリ（read-only  memory，ROM）、消去可能なプログラム可能リード・オンリー・メモリ（erasable  programmable  read  only  memory，EPROM）、又はポータブル・リード・オンリー・メモリ（compact  disc  read-only  memory，CD-ROM）を含む。メモリ１１０２は、関連する命令及び関連するデータを記憶するよう構成される。受信器１１０３は、データを受信するよう構成され、送信器１００４は、データを送信するよう構成される。
【０１４３】
プロセッサ１１０１は、１つ以上の中央演算処理装置（central  processing  unit，CPU）であってよい。プロセッサ１１０１が１つのCPUである場合に、CPUは、シングルコアCPU又はマルチコアCPUであってよい。
【０１４４】
ノード内のプロセッサ１１０１は、メモリ１１０２に記憶されているプログラムコードを読み出して、次の：
受信器を使用することによって、第１ノードによって送信される第１指示情報を受信する動作であり、第１指示情報は、第１サービス符号ブロックを示すために使用される、動作と、
指示情報に従って第２ダウンリンク受信時間インターバルを記録する動作であり、第２ダウンリンク受信時間インターバルは、ノードが第１サービス符号ブロックを受信する時点と、ノードが第１ダウンリンク受信参照符号ブロックを受信する時点との間の時間インターバルであり、第１サービス符号ブロックは、第１ノードによってノードへ送信されるサービスフローを運ぶために使用され、第１ダウンリンク受信参照符号ブロックは、ノードが第１サービス符号ブロックを受信するときにダウンリンクアライメントのために使用される符号ブロックである、動作と、
送信器を使用することによって、第１ノードへ第２ダウンリンク受信時間インターバル及び第１アップリンク送信時間インターバルを送る動作であり、第１アップリンク送信時間インターバルは、ノードが第２サービス符号ブロックを取得する時点と、ノードが第２アップリンク送信参照符号ブロックを送信する時点との間の時間インターバルであり、第１アップリンク送信時間インターバル及び第２ダウンリンク受信時間インターバルは、第１ノードとノードとの間のアップリンク及びダウンリンクレイテンシ差を決定するために使用され、第２サービス符号ブロックは、ノードによって第１ノードへ送信されるサービスフローを運ぶために使用され、第２アップリンク送信参照符号ブロックは、ノードが第２サービス符号ブロックを送信するときにアップリンクアライメントのために使用される符号ブロックである、動作と
を実行するよう構成される。
【０１４５】
上記の動作を実行することによって、第１ノードは、第１ノードで第１サービス符号ブロックを送信する時点と、第１ノードで第１ダウンリンク送信参照符号ブロックを送信する時点との間の時間インターバル、及びノードで第１サービス符号ブロックを受信する時点と、ノードで第１ダウンリンク受信参照符号ブロックを受信する時点との間の時間インターバルに基づいて第１存続期間を決定し、ノードで第２サービス符号ブロックを送信する時点と、ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードとノードとの間のアップリンク及ぶダウンリンクレイテンシ差を決定する。このプロセスは、GPSによって実行される時間同期化に依存する必要がなく、それにより、安定性はより良く、コストはより低い。
【０１４６】
各動作の実施については、図３に示される方法の実施形態における対応する記載を参照されたい、ことが留意されるべきである。ノード１１０は、図３に示される方法の実施形態で記載される第２ノードである。
【０１４７】
本発明の実施形態は、チップシステムを提供する。チップシステムは、少なくとも１つのプロセッサ、メモリ、及びインターフェイス回路を含み、メモリ、インターフェイス回路、及び少なくとも１つのプロセッサは、ラインを使用することによって互いに接続され、少なくとも１つのメモリは命令を記憶しており、命令がプロセッサによって実行される場合に、図３に示される方法が実施される。
【０１４８】
本発明の実施形態は、コンピュータ可読記憶媒体を更に提供し、コンピュータ可読記憶媒体はプログラム命令を記憶しており、プログラム命令がプロセッサで実行される場合に、図３に示される方法が実施される。
【０１４９】
本発明の実施形態は、コンピュータプログラム製品を更に提供し、コンピュータプログラム製品がプロセッサで実行される場合に、図３に示される方法が実施される。
【０１５０】
最後に、本発明の実施形態に従って、第１ノードは、第１ノードで第１サービス符号ブロックを送信する時点と、第１ノードで第１ダウンリンク送信参照符号ブロックを送信する時点との間の時間インターバル、及び第２ノードで第１サービス符号ブロックを受信する時点と、第２ノードで第１ダウンリンク受信参照符号ブロックを受信する時点との間の時間インターバルに基づいて第１存続期間を決定し、第２ノードで第２サービス符号ブロックを送信する時点と、第２ノードで第２アップリンク送信参照符号ブロックを送信する時点との間の時間インターバル、及び第１ノードで第２サービス符号ブロックを受信する時点と、第１ノードで第２アップリンク受信参照符号ブロックを受信する時点との間の時間インターバルに基づいて第２存続期間を決定し、それから、第１存続期間と第２存続期間との間の差に基づいて第１ノードと第２ノードとの間のアップリンク及ぶダウンリンクレイテンシ差を決定する。このプロセスは、GPSによって実行される時間同期化に依存する必要がなく、それにより、安定性はより良く、コストはより低い。
【０１５１】
当業者であれば、実施形態における方法のプロシージャの全部又は一部が、関連するハードウェアに指示するコンピュータプログラムによって実施されてよい、と理解し得る。プログラムはコンピュータ可読記憶媒体に記憶されてよく、プログラムが実行される場合に、上記の方法の実施形態のプロシージャが含まれ得る。上記の記憶媒体は、ROM、ランダム・アクセス・メモリRAM、磁気ディスク、又は光ディスクなどの、プログラムコードを記憶することができる如何なる媒体を含む。
【国際調査報告】
2021508210.tif 000014
2021508210.tif 000015
2021508210.tif 000016
2021508210.tif 000017
2021508210.tif 000018
2021508210.tif 000019